(57)【特許請求の範囲】
【請求項１】
以下の（ａ）〜（ｅ）の工程を含む、安定同位体標識ペプチドを用いた液体クロマトグラフ−タンデム質量分析装置（ＬＣ−ＭＳＭＳ）による細胞膜タンパク質の定量法：
（ａ）分離した被定量細胞膜タンパク質を断片化してオリゴペプチド断片を調製して同定し、少なくとも（１）トリプシン、エンドプロテナーゼ、又は、ペプシンからなるタンパク質分解酵素により得られるペプチドであること、（２）標的分子に特異的なペプチド配列であること、から設定された必須クライテリアを含む定量対象ペプチド選定クライテリアによって、ＥＳＩ法によるイオン化が可能な定量対象ペプチドを選定する工程、
（ｂ）ペプチド合成法により、安定同位元素を用いて、定量対象ペプチドと同配列であり、標識化された安定同位体標識ペプチドを調製する工程、
（ｃ）定量対象ペプチド及び安定同位体標識ペプチドを用いて、それぞれの所定濃度段階に対するＬＣ−ＭＳＭＳを用いた質量分析を行い、検量線を作成する工程、
（ｄ）試料の被定量細胞膜タンパク質を前記タンパク質分解酵素により断片化して得られるペプチド断片に、安定同位体標識ペプチドを添加してＬＣ−ＭＳＭＳを用いた質量分析を行い、被定量細胞膜タンパク質ペプチド／安定同位体標識ペプチドのマススペクトル面積比を算出する工程、
（ｅ）該面積比から検量線を用いて定量値を算出する工程。
【請求項２】
定量対象ペプチド選定クライテリアが、必須クライテリア（１）及び（２）に加えて、次の（３）〜（１１）のスコアつきの選択クライテリアを設定して、スコア合計の高いペプチドを優先的に選択するクライテリアであることを特徴とする請求項１記載の細胞膜タンパク質の定量法：
（３）トリプトファン、チロシン、バリン、ロイシン、イソロイシン、フェニルアラニンからなる疎水アミノ酸の含量及び配列条件として、疎水アミノ酸の含量が８０％以下であり、かつ前記疎水アミノ酸が１０アミノ酸以上連続しないペプチドであること［スコア２］、
（４）アミノ酸残基数が、４〜３０のペプチドであること［スコア３］、
（５）特定アミノ酸配列条件として、アスパラギン−Ｘ(ただし、Ｘは、プロリン以外のアミノ酸を表す。)−セリン若しくは−スレオニン、−システインの配列を含まないペプチドであること［スコア２］、
（６）翻訳後修飾部位を含まないペプチドであること（ただし、翻訳後修飾タンパク質を定量する場合はこの限りではない。）［スコア３］、
（７）１塩基多型（ＳＮＰ）部位を含まないペプチドであること［スコア４］、
（８）タンパク質分解酵素切断部がアルギニン−アルギニン、アルギニン−リジン、リジン−アルギニン、リジン−リジンではないペプチドであること［スコア５］、
（９）タンパク質構造が決定もしくは予測されている場合、膜貫通領域は含まないペプチドであること［スコア２］、
（１０）メチオニン、システインを含まないペプチドであること［スコア３］、
（１１）トリプトファン、グルタミン酸を含まないペプチドであること［スコア１］、
【請求項３】
疎水アミノ酸の含量が５０％以下であり、アミノ酸残基数が８〜１２のペプチドであることを特徴とする請求項２記載の細胞膜タンパク質の定量法。
【請求項４】
定量対象ペプチド選定クライテリアに、さらに、複数の動物種において同一のアミノ酸配列であることを追加クライテリアとすることを特徴とする請求項１〜３のいずれか記載の細胞膜タンパク質の定量法。
【請求項５】
定量対象ペプチド選定クライテリアに基づいて選定した候補ペプチドについて、親イオン（ｍ／ｚ）とペプチド断片イオン（ｍ／ｚ）を組み合わせた特異的測定チャネルを複数作成し、測定することを特徴とする請求項１〜４のいずれか記載の細胞膜タンパク質の定量法。
【請求項６】
同一蛋白質の複数の候補ペプチドについて、また複数蛋白質の候補ペプチドについて特異的測定チャネルを複数作成し、同時に測定することを特徴とする請求項５記載の細胞膜タンパク質の定量法。
【請求項７】
安定同位体標識ペプチドが、15Ｎ，13Ｃ，18Ｏ，2Ｈのいずれかを含むアミノ酸によって標識化されたものであることを特徴とする請求項１〜６のいずれか記載の細胞膜タンパク質の定量法。
【請求項８】
細胞膜タンパク質の供給源が、組織試料から得られた細胞膜タンパク質であることを特徴とする請求項１〜７のいずれか記載の安定同位体標識ペプチドを用いた質量分析による細胞膜タンパク質の定量法。
【請求項９】
細胞膜タンパク質が、以下に示される細胞膜タンパク質から選ばれる１種又は２種以上のタンパク質であることを特徴とする請求項１〜８のいずれか記載の細胞膜タンパク質の定量法。
ヒトＡＢＣＡ１、ヒトＡＢＣＡ２、ヒトＡＢＣＡ３、ヒトＡＢＣＡ４、ヒトＡＢＣＡ５、ヒトＡＢＣＡ６、ヒトＡＢＣＡ７、ヒトＡＢＣＡ８、ヒトＡＢＣＡ９、ヒトＡＢＣＡ１０、ヒトＡＢＣＡ１２、ヒトＡＢＣＡ１３、ヒトＡＢＣＢ１、ヒトＡＢＣＢ４、ヒトＡＢＣＢ５、ヒトＡＢＣＢ１１、ヒトＡＢＣＣ１、ヒトＡＢＣＣ２、ヒトＡＢＣＣ３、ヒトＡＢＣＣ４、ヒトＡＢＣＣ５、ヒトＡＢＣＣ６、ヒトＡＢＣＣ７、ヒトＡＢＣＣ８、ヒトＡＢＣＣ９、ヒトＡＢＣＣ１０、ヒトＡＢＣＣ１１、ヒトＡＢＣＣ１２、ヒトＡＢＣＣ１３、ヒトＡＢＣＧ１、ヒトＡＢＣＧ２、ヒトＡＢＣＧ４、ヒトＡＢＣＧ５、ヒトＡＢＣＧ８、ヒトＰ−グリコプロテイン
【請求項１０】
細胞膜タンパク質が、以下に示される細胞膜タンパク質から選ばれる１種又は２種以上のタンパク質であることを特徴とする請求項１〜８のいずれか記載の細胞膜タンパク質の定量法。
ヒトＳＬＣ１０Ａ１、ヒトＳＬＣ１０Ａ２、ヒトＳＬＣ１５Ａ１、ヒトＳＬＣ１５Ａ２、ヒトＳＬＣ１６Ａ１、ヒトＳＬＣ１６Ａ７、ヒトＳＬＣ１９Ａ１、ヒトＳＬＣ１９Ａ２、ヒトＳＬＣ１９Ａ３、ヒトＳＬＣ２１Ａ１、ヒトＳＬＣ２１Ａ１０、ヒトＳＬＣ２１Ａ１１、ヒトＳＬＣ２１Ａ１２、ヒトＳＬＣ２１Ａ１３、ヒトＳＬＣ２１Ａ１４、ヒトＳＬＣ２１Ａ１５、ヒトＳＬＣ２１Ａ１９、ヒトＳＬＣ２１Ａ２、ヒトＳＬＣ２１Ａ２０、ヒトＳＬＣ２１Ａ３、ヒトＳＬＣ２１Ａ４、ヒトＳＬＣ２１Ａ５、ヒトＳＬＣ２１Ａ６、ヒトＳＬＣ２１Ａ７、ヒトＳＬＣ２１Ａ８、ヒトＳＬＣ２１Ａ９、ヒトＳＬＣ２２Ａ１、ヒトＳＬＣ２２Ａ１０、ヒトＳＬＣ２２Ａ１１、ヒトＳＬＣ２２Ａ１２、ヒトＳＬＣ２２Ａ１３、ヒトＳＬＣ２２Ａ１４、ヒトＳＬＣ２２Ａ１５、ヒトＳＬＣ２２Ａ１６、ヒトＳＬＣ２２Ａ１７、ヒトＳＬＣ２２Ａ１８、ヒトＳＬＣ２２Ａ２、ヒトＳＬＣ２２Ａ３、ヒトＳＬＣ２２Ａ４、ヒトＳＬＣ２２Ａ５、ヒトＳＬＣ２２Ａ６、ヒトＳＬＣ２２Ａ７、ヒトＳＬＣ２２Ａ８、ヒトＳＬＣ２２Ａ９、ヒトＳＬＣ２３Ａ１、ヒトＳＬＣ２３Ａ２、ヒトＳＬＣ２８Ａ１、ヒトＳＬＣ２８Ａ２、ヒトＳＬＣ２８Ａ３、ヒトＳＬＣ２９Ａ１、ヒトＳＬＣ２９Ａ２、ヒトＳＬＣ２９Ａ３、ヒトＳＬＣ２９Ａ４、ヒトＳＬＣ３１Ａ１、ヒトＳＬＣ３Ａ２、ヒトＳＬＣ４３Ａ１、ヒトＳＬＣ４３Ａ２、ヒトＳＬＣ４３Ａ３、ヒトＳＬＣ７Ａ５、ヒトＳＬＣ７Ａ６、ヒトＳＬＣ７Ａ８
【請求項１１】
細胞膜タンパク質が、以下に示される細胞膜タンパク質から選ばれる１種又は２種以上のタンパク質であることを特徴とする請求項１〜８のいずれか記載の細胞膜タンパク質の定量法。
ヒトＳＬＣ１０Ａ３、ヒトＳＬＣ１０Ａ４、ヒトＳＬＣ１０Ａ５、ヒトＳＬＣ１０Ａ６、ヒトＳＬＣ１１Ａ１、ヒトＳＬＣ１１Ａ２、ヒトＳＬＣ１２Ａ１、ヒトＳＬＣ１２Ａ２、ヒトＳＬＣ１２Ａ３、ヒトＳＬＣ１２Ａ４、ヒトＳＬＣ１２Ａ５、ヒトＳＬＣ１２Ａ６、ヒトＳＬＣ１２Ａ７、ヒトＳＬＣ１２Ａ８、ヒトＳＬＣ１２Ａ９、ヒトＳＬＣ１３Ａ１、ヒトＳＬＣ１３Ａ２、ヒトＳＬＣ１３Ａ３、ヒトＳＬＣ１３Ａ４、ヒトＳＬＣ１３Ａ５、ヒトＳＬＣ１４Ａ１、ヒトＳＬＣ１４Ａ２、ヒトＳＬＣ１５Ａ３、ヒトＳＬＣ１５Ａ４、ヒトＳＬＣ１６Ａ１０、ヒトＳＬＣ１６Ａ１１、ヒトＳＬＣ１６Ａ１２、ヒトＳＬＣ１６Ａ１３、ヒトＳＬＣ１６Ａ１４、ヒトＳＬＣ１６Ａ２、ヒトＳＬＣ１６Ａ３、ヒトＳＬＣ１６Ａ４、ヒトＳＬＣ１６Ａ５、ヒトＳＬＣ１６Ａ６、ヒトＳＬＣ１６Ａ８、ヒトＳＬＣ１６Ａ９、ヒトＳＬＣ１７Ａ１、ヒトＳＬＣ１７Ａ２、ヒトＳＬＣ１７Ａ３、ヒトＳＬＣ１７Ａ４、ヒトＳＬＣ１７Ａ５、ヒトＳＬＣ１７Ａ６、ヒトＳＬＣ１７Ａ７、ヒトＳＬＣ１７Ａ８、ヒトＳＬＣ１８Ａ１、ヒトＳＬＣ１８Ａ２、ヒトＳＬＣ１８Ａ３、ヒトＳＬＣ１Ａ１、ヒトＳＬＣ１Ａ２、ヒトＳＬＣ１Ａ３、ヒトＳＬＣ１Ａ４、ヒトＳＬＣ１Ａ５、ヒトＳＬＣ１Ａ６、ヒトＳＬＣ１Ａ７、ヒトＳＬＣ２０Ａ１、ヒトＳＬＣ２０Ａ２、ヒトＳＬＣ２３Ａ３、ヒトＳＬＣ２４Ａ１、ヒトＳＬＣ２４Ａ２、ヒトＳＬＣ２４Ａ３、ヒトＳＬＣ２４Ａ４、ヒトＳＬＣ２４Ａ５、ヒトＳＬＣ２４Ａ６、ヒトＳＬＣ２５Ａ１、ヒトＳＬＣ２５Ａ１０、ヒトＳＬＣ２５Ａ１１、ヒトＳＬＣ２５Ａ１２、ヒトＳＬＣ２５Ａ１３、ヒトＳＬＣ２５Ａ１４、ヒトＳＬＣ２５Ａ１５、ヒトＳＬＣ２５Ａ１６、ヒトＳＬＣ２５Ａ１７、ヒトＳＬＣ２５Ａ１８、ヒトＳＬＣ２５Ａ１９、ヒトＳＬＣ２５Ａ２、ヒトＳＬＣ２５Ａ２０、ヒトＳＬＣ２５Ａ２１、ヒトＳＬＣ２５Ａ２２、ヒトＳＬＣ２５Ａ２３、ヒトＳＬＣ２５Ａ２４、ヒトＳＬＣ２５Ａ２５、ヒトＳＬＣ２５Ａ２６、ヒトＳＬＣ２５Ａ２７、ヒトＳＬＣ２５Ａ２８、ヒトＳＬＣ２５Ａ２９、ヒトＳＬＣ２５Ａ３、ヒトＳＬＣ２５Ａ３０、ヒトＳＬＣ２５Ａ３１、ヒトＳＬＣ２５Ａ３２、ヒトＳＬＣ２５Ａ３３、ヒトＳＬＣ２５Ａ３４、ヒトＳＬＣ２５Ａ３５、ヒトＳＬＣ２５Ａ３６、ヒトＳＬＣ２５Ａ３７、ヒトＳＬＣ２５Ａ４、ヒトＳＬＣ２５Ａ５、ヒトＳＬＣ２５Ａ６、ヒトＳＬＣ２５Ａ７、ヒトＳＬＣ２５Ａ８、ヒトＳＬＣ２５Ａ９、ヒトＳＬＣ２６Ａ１、ヒトＳＬＣ２６Ａ１０、ヒトＳＬＣ２６Ａ１１、ヒトＳＬＣ２６Ａ２、ヒトＳＬＣ２６Ａ３、ヒトＳＬＣ２６Ａ４、ヒトＳＬＣ２６Ａ５、ヒトＳＬＣ２６Ａ６、ヒトＳＬＣ２６Ａ７、ヒトＳＬＣ２６Ａ８、ヒトＳＬＣ２６Ａ９、ヒトＳＬＣ２７Ａ１、ヒトＳＬＣ２７Ａ２、ヒトＳＬＣ２７Ａ３、ヒトＳＬＣ２７Ａ４、ヒトＳＬＣ２７Ａ５、ヒトＳＬＣ２７Ａ６、ヒトＳＬＣ２Ａ１、ヒトＳＬＣ２Ａ１０、ヒトＳＬＣ２Ａ１１、ヒトＳＬＣ２Ａ１２、ヒトＳＬＣ２Ａ１３、ヒトＳＬＣ２Ａ１４、ヒトＳＬＣ２Ａ２、ヒトＳＬＣ２Ａ３、ヒトＳＬＣ２Ａ４、ヒトＳＬＣ２Ａ５、ヒトＳＬＣ２Ａ６、ヒトＳＬＣ２Ａ７、ヒトＳＬＣ２Ａ８、ヒトＳＬＣ２Ａ９、ヒトＳＬＣ３０Ａ１、ヒトＳＬＣ３０Ａ１０、ヒトＳＬＣ３０Ａ１１、ヒトＳＬＣ３０Ａ２、ヒトＳＬＣ３０Ａ３、ヒトＳＬＣ３０Ａ４、ヒトＳＬＣ３０Ａ５、ヒトＳＬＣ３０Ａ６、ヒトＳＬＣ３０Ａ７、ヒトＳＬＣ３０Ａ８、ヒトＳＬＣ３０Ａ９、ヒトＳＬＣ３１Ａ２、ヒトＳＬＣ３２Ａ１、ヒトＳＬＣ３３Ａ１、ヒトＳＬＣ３４Ａ１、ヒトＳＬＣ３４Ａ２、ヒトＳＬＣ３４Ａ３、ヒトＳＬＣ３５Ｂ１、ヒトＳＬＣ３５Ｂ２、ヒトＳＬＣ３５Ｂ３、ヒトＳＬＣ３５Ｂ４、ヒトＳＬＣ３５Ｃ１、ヒトＳＬＣ３５Ｃ２、ヒトＳＬＣ３５Ｄ１、ヒトＳＬＣ３５Ｄ２、ヒトＳＬＣ３５Ｄ３、ヒトＳＬＣ３６Ａ１、ヒトＳＬＣ３６Ａ２、ヒトＳＬＣ３６Ａ３、ヒトＳＬＣ３６Ａ４、ヒトＳＬＣ３７Ａ１、ヒトＳＬＣ３７Ａ２、ヒトＳＬＣ３７Ａ３、ヒトＳＬＣ３７Ａ４、ヒトＳＬＣ３８Ａ１、ヒトＳＬＣ３８Ａ２、ヒトＳＬＣ３８Ａ３、ヒトＳＬＣ３８Ａ４、ヒトＳＬＣ３８Ａ５、ヒトＳＬＣ３８Ａ６、ヒトＳＬＣ３Ａ１、ヒトＳＬＣ４０Ａ１、ヒトＳＬＣ４１Ａ１、ヒトＳＬＣ４１Ａ２、ヒトＳＬＣ４１Ａ３、ヒトＳＬＣ４４Ａ１、ヒトＳＬＣ４４Ａ２、ヒトＳＬＣ４４Ａ３、ヒトＳＬＣ４４Ａ４、ヒトＳＬＣ４４Ａ５、ヒトＳＬＣ４５Ａ１、ヒトＳＬＣ４５Ａ２、ヒトＳＬＣ４５Ａ３、ヒトＳＬＣ４５Ａ４、ヒトＳＬＣ４Ａ１、ヒトＳＬＣ４Ａ１０、ヒトＳＬＣ４Ａ１１、ヒトＳＬＣ４Ａ２、ヒトＳＬＣ４Ａ３、ヒトＳＬＣ４Ａ４、ヒトＳＬＣ４Ａ５、ヒトＳＬＣ４Ａ７、ヒトＳＬＣ４Ａ８、ヒトＳＬＣ４Ａ９、ヒトＳＬＣ５Ａ１、ヒトＳＬＣ５Ａ１１、ヒトＳＬＣ５Ａ１２、ヒトＳＬＣ５Ａ２、ヒトＳＬＣ５Ａ３、ヒトＳＬＣ５Ａ４、ヒトＳＬＣ５Ａ５、ヒトＳＬＣ５Ａ９、ヒトＳＬＣ６Ａ１、ヒトＳＬＣ６Ａ１０、ヒトＳＬＣ６Ａ１１、ヒトＳＬＣ６Ａ１２、ヒトＳＬＣ６Ａ１３、ヒトＳＬＣ６Ａ１４、ヒトＳＬＣ６Ａ１５、ヒトＳＬＣ６Ａ１６、ヒトＳＬＣ６Ａ１７、ヒトＳＬＣ６Ａ１８、ヒトＳＬＣ６Ａ１９、ヒトＳＬＣ６Ａ２、ヒトＳＬＣ６Ａ２０、ヒトＳＬＣ６Ａ３、ヒトＳＬＣ６Ａ４、ヒトＳＬＣ６Ａ５、ヒトＳＬＣ６Ａ６、ヒトＳＬＣ６Ａ７、ヒトＳＬＣ６Ａ８、ヒトＳＬＣ６Ａ９、ヒトＳＬＣ７Ａ１、ヒトＳＬＣ７Ａ１０、ヒトＳＬＣ７Ａ１１、ヒトＳＬＣ７Ａ１３、ヒトＳＬＣ７Ａ１４、ヒトＳＬＣ７Ａ２、ヒトＳＬＣ７Ａ３、ヒトＳＬＣ７Ａ４、ヒトＳＬＣ７Ａ７、ヒトＳＬＣ７Ａ９、ヒトＳＬＣ８Ａ１、ヒトＳＬＣ８Ａ２、ヒトＳＬＣ８Ａ３、ヒトＳＬＣ９Ａ１、ヒトＳＬＣ９Ａ２、ヒトＳＬＣ９Ａ３、ヒトＳＬＣ９Ａ４、ヒトＳＬＣ９Ａ５、ヒトＳＬＣ９Ａ６、ヒトＳＬＣ９Ａ７、ヒトＳＬＣ９Ａ８、ヒトＳＬＣ９Ａ９
【請求項１２】
細胞膜タンパク質が、以下に示される細胞膜タンパク質から選ばれる１種又は２種以上のタンパク質であることを特徴とする請求項１〜８のいずれか記載の細胞膜タンパク質の定量法。
ヒトＳＬＣ３５Ａ１、ヒトＳＬＣ３５Ａ２、ヒトＳＬＣ３５Ａ３、ヒトＳＬＣ３５Ａ４、ヒトＳＬＣ３５Ａ５、ヒトＳＬＣ３５Ｅ１、ヒトＳＬＣ３５Ｅ２、ヒトＳＬＣ３５Ｅ３、ヒトＳＬＣ３５Ｅ４、ヒトＳＬＣ３５Ｆ１、ヒトＳＬＣ３５Ｆ２、ヒトＳＬＣ３５Ｆ３、ヒトＳＬＣ３５Ｆ５、ヒトＳＬＣ３９Ａ１、ヒトＳＬＣ３９Ａ１０、ヒトＳＬＣ３９Ａ１１、ヒトＳＬＣ３９Ａ１２、ヒトＳＬＣ３９Ａ１３、ヒトＳＬＣ３９Ａ１４、ヒトＳＬＣ３９Ａ２、ヒトＳＬＣ３９Ａ３、ヒトＳＬＣ３９Ａ４、ヒトＳＬＣ３９Ａ５、ヒトＳＬＣ３９Ａ６、ヒトＳＬＣ３９Ａ７、ヒトＳＬＣ３９Ａ８、ヒトＳＬＣ３９Ａ９、ヒトＳＬＣ４２Ａ１、ヒトＳＬＣ４２Ａ２、ヒトＳＬＣ４２Ａ３
【請求項１３】
細胞膜タンパク質が、ヒトＭＡＴＥ１及び／又はヒトＭＡＴＥ２であることを特徴とする請求項１〜８のいずれか記載の細胞膜タンパク質の定量法。
【請求項１４】
細胞膜タンパク質が、以下に示される細胞膜タンパク質から選ばれる１種又は２種以上のタンパク質であることを特徴とする請求項１〜８のいずれか記載の細胞膜タンパク質の定量法。
ヒトＡＢＣＡ１、ヒトＡＢＣＡ２、ヒトＡＢＣＡ３、ヒトＡＢＣＡ４、ヒトＡＢＣＡ５、ヒトＡＢＣＡ６、ヒトＡＢＣＡ７、ヒトＡＢＣＡ８、ヒトＡＢＣＡ９、ヒトＡＢＣＡ１０、ヒトＡＢＣＡ１２、ヒトＡＢＣＡ１３、ヒトＡＢＣＢ１、ヒトＡＢＣＢ４、ヒトＡＢＣＢ５、ヒトＡＢＣＢ１１、ヒトＡＢＣＣ１、ヒトＡＢＣＣ２、ヒトＡＢＣＣ３、ヒトＡＢＣＣ４、ヒトＡＢＣＣ５、ヒトＡＢＣＣ６、ヒトＡＢＣＣ１０、ヒトＡＢＣＣ１１、ヒトＡＢＣＣ１２、ヒトＡＢＣＣ１３、ヒトＡＢＣＧ１、ヒトＡＢＣＧ２、ヒトＡＢＣＧ４、ヒトＡＢＣＧ５、ヒトＡＢＣＧ８、ヒトＭＡＴＥ１、ヒトＭＡＴＥ２、ヒトＳＬＣ３Ａ２、ヒトＳＬＣ７Ａ５、ヒトＳＬＣ７Ａ６、ヒトＳＬＣ１０Ａ１、ヒトＳＬＣ１０Ａ２、ヒトＳＬＣ１５Ａ１、ヒトＳＬＣ１５Ａ２、ヒトＳＬＣ１６Ａ１、ヒトＳＬＣ１６Ａ７、ヒトＳＬＣ１９Ａ１、ヒトＳＬＣ２１Ａ２、ヒトＳＬＣ２１Ａ３、ヒトＳＬＣ２１Ａ４、ヒトＳＬＣ２１Ａ５、ヒトＳＬＣ２１Ａ６、ヒトＳＬＣ２１Ａ７、ヒトＳＬＣ２１Ａ８、ヒトＳＬＣ２１Ａ９、ヒトＳＬＣ２１Ａ１１、ヒトＳＬＣ２１Ａ１２、ヒトＳＬＣ２１Ａ１３、ヒトＳＬＣ２１Ａ１４、ヒトＳＬＣ２１Ａ１５、ヒトＳＬＣ２１Ａ１９、ヒトＳＬＣ２１Ａ２０、ヒトＳＬＣ２２Ａ１、ヒトＳＬＣ２２Ａ２、ヒトＳＬＣ２２Ａ３、ヒトＳＬＣ２２Ａ４、ヒトＳＬＣ２２Ａ５、ヒトＳＬＣ２２Ａ６、ヒトＳＬＣ２２Ａ７、ヒトＳＬＣ２２Ａ８、ヒトＳＬＣ２２Ａ９、ヒトＳＬＣ２２Ａ１０、ヒトＳＬＣ２２Ａ１１、ヒトＳＬＣ２２Ａ１２、ヒトＳＬＣ２２Ａ１３、ヒトＳＬＣ２２Ａ１４、ヒトＳＬＣ２２Ａ１５、ヒトＳＬＣ２２Ａ１６、ヒトＳＬＣ２２Ａ１７、ヒトＳＬＣ２３Ａ１、ヒトＳＬＣ２３Ａ２、ヒトＳＬＣ２８Ａ１、ヒトＳＬＣ２８Ａ２、ヒトＳＬＣ２８Ａ３、ヒトＳＬＣ２９Ａ１、ヒトＳＬＣ２９Ａ２、ヒトＳＬＣ３１Ａ１
【発明の詳細な説明】
【技術分野】
【０００１】
本発明は、細胞膜タンパク質を定量的に測定する方法、詳細には、細胞膜に存在する膜タンパク質を、安定同位体標識ペプチドをプローブとして用いて、液体クロマトグラフ−タンデム質量分析装置（ＬＣ−ＭＳＭＳ）を用いた質量分析により、定量的に測定する方法に関する。
【背景技術】
【０００２】
生体膜を構成しているタンパク質として細胞膜タンパク質（plasma membrane protein：膜タンパク質（membrane protein）ともいう）がある。細胞膜タンパク質は、酵素、ペプチドホルモン、増殖因子、オータコイドなどの受容体、糖などの輸送担体、イオンチャンネル、細胞膜抗原などの機能を有し、細胞表面からのシグナルを受け取り、物質の透過・輸送などの細胞の動的な機能に関与している。細胞膜タンパク質は、細胞膜脂質二重層に組込まれているタンパク質或いは糖タンパク質で、それらは細胞膜全層を貫いたり（膜貫通タンパク質）、表層に位置したり（細胞表面タンパク質）、細胞膜を裏打ちしたり、さまざまな状態で存在しているが、いずれも高分子量のタンパク質である。【０００３】
細胞膜タンパク質の一つとして、ＡＢＣＧ２（ＡＴＰ結合領域Ｇ２：ＡＴＰbinding cassette transporter G2）が知られている。ＡＢＣＧ２は、ヒトＡＴＰ結合領域（ＡＢＣ）トランスポーターのメンバーとして知られており、ＡＢＣトランスポーターは、疾患の原因や薬物輸送に関与していることが報告されている。ＡＢＣトランスポーターは、細菌からヒト等の高等生物にわたるすべての細胞において見いだされる、最も大きなタンパク質のスーパーファミリーの１つであり、約２５０種類（ヒトでは約５０種類）のメンバーが知られている。ほとんどのＡＢＣタンパク質は、トランスポーターとして機能するが、イオンチャネルとして機能するものも存在する。ＡＢＣＧ２遺伝子は、Allikmetsらにより初めて単離された（Humann Mol. Genet. 5(10), 1649-1655, 1996）。このタンパク質は薬剤耐性の原因となるトランスポータであり、抗癌剤を細胞外に排出する機能を有することが明らかにされている（Proc. Natl. Acad. Sci., 95, 15665-15670,1998；Clin. Cancer. Res. 7, 935-941, 2001）。【０００４】
また、同じく細胞膜タンパク質の一つとして、Ｐ−グリコプロテイン（P-glycoprotein：Ｐ−糖タンパク質：ＰＧＰ；多剤トランスポーターＭＤＲ１としても公知である）が知られている（Medicine,Stanford University School of Medicine, Stanford, CA 94306,USA；Nature 323(6090), 728-731, 1986；Biochem. Biophys. Res. Commun. 162(1), 224-231, 1989）。Ｐ−グリコプロテインは、ＡＢＣトランスポータースーパーファミリーのメンバーであり、そしてヒトの腸、肝臓および他の組織において発現される。この酵素は、細胞膜を通過して低分子を輸送する流出ポンプとして働く。高レベルのＰ−グリコプロテイン発現が、癌の化学療法に対する腫瘍の耐性の機構であることが、ここ数年間知られている。また、Ｐ−グリコプロテインの腸での発現は、このトランスポーターの基質である薬物分子の経口的なバイオアベイラビリティに影響を及ぼし、腸内腔に薬物を効率的に流出し得、それによって循環に入る薬物の量を減少し得ることが報告されている。【０００５】
更に、細胞膜タンパク質の一つとして、ＡＢＣＣ４が知られている(Genetics, 123(1), 45-54, 1989)。ＡＢＣＣ４は、ＡＴＰ結合領域（ＡＢＣ）トランスポーターのメンバーとして知られており、ＡＢＣトランスポータースーパーファミリーは、最大の遺伝子ファミリーの１つであり、膜を通る多種多様な物質のエネルギー依存性輸送に関わる機能的に多様な膜タンパク質グループをコードしている（Curr. Opin. Genet. Dev.,5, 779-85, 1995）。ＡＢＣタンパク質は、様々な物質、例えば、イオン、アミノ酸、ペプチド、糖、ビタミン、又は、ステロイド・ホルモンの細胞外および細胞内の膜輸送に関与している。ヒトＡＢＣＣサブファミリーは、現在、同定された１０種のメンバー（ＡＢＣＣ １〜１０）を有し、このうち７種は多剤耐性様（multidrug resistance-like）（ＭＲＰ）サブグループに由来し、２種はスルホニル尿素受容体（ＳＵＲ）サブグループに由来し、１種はＣＦＴＲ遺伝子である。ＭＲＰ様タンパク質は、有機陰イオン輸送体である。ＡＢＣＣ４およびＡＢＣＣ ５タンパク質は、ＰＭＥＡを含めたヌクレオチド・アナログおよびプリン塩基アナログに対する耐性を付与することが知られている。【０００６】
上記細胞膜タンパク質のような生体タンパク質については、そのタンパク質についての機能の解明や、該タンパク質に関する検査、スクリーニング、或いは、該タンパク質の利用に際して、細胞等に含まれるタンパク質を検出し、定量的に測定する必要がある。特に、新薬の開発等に際しては、新薬候補物質の検定のために、膜タンパク質のようなタンパク質を、簡便かつ精度のよい手段で、絶対定量できることが、重要な意義を有している。【０００７】
例えば、製薬企業によって多大な時間と費用をかけて開発される新薬候補物質の約９割を超える物質がドロップアウト(開発中止)となり、その理由の多くが、消化管における低吸収性や不適切な臓器への薬物移行などの薬物動態（吸収、分布、代謝、排泄）と副作用の問題である。薬物動態は、従来、動物を用いて検討するためHigh Throughput Screeningとして開発初期に検討することはできない。また、薬物動態の種差が存在するため、動物実験で得られたデータがヒトで再現されないケースも存在する。すなわち、現在、薬物動態の問題は、開発後期の臨床試験等で判明するケースが多く、製薬会社に大きな損害を与えている。このような問題点からヒト薬物動態をin vitroのHigh Throughput Screeningが可能な系を用いて開発初期段階で予測できる系が待望されている。【０００８】
上記の系の実施は、薬物動態の代謝に関しては実現されている。すなわち、ヒト肝臓における各代謝酵素の絶対量が明らかになっている。さらに、in vitroにおいて対象薬物の各代謝酵素による分子あたりの代謝速度をリコンビナントタンパク質を用い求める。肝臓で主に機能それぞれの代謝酵素に対する両情報から、対象薬物の代謝速度を計算で予測することができる。すなわち、臓器およびin vitroにおける酵素タンパク質の絶対量を求める手段が必要不可欠である。【０００９】
一方、薬物動態のうち吸収、分布、排泄には薬剤を輸送する薬物動態関連膜タンパク質（薬物輸送担体、受容体）が大きな役割を果たしている。従って、臓器における薬物動態関連膜タンパク質の絶対量と分子あたりの薬物の輸送能力もしくは結合能力が測定できれば、代謝と同様に得られた情報から計算によって予測することが可能になる。現在、膜タンパク強制発現細胞や発現膜小胞などを用いて輸送や結合をin vitroで評価する系は存在するが、膜タンパク質の絶対量を定量することが非常に困難である。従って、膜タンパクの絶対量を高感度でさらに汎用的に定量する手法が確立されれば、薬物動態をin vitroの実験系から予測することが可能となる。このことにより、ヒトにおける薬物動態を薬剤開発初期段階に評価することが可能となり、薬剤開発に必要な時間とコストを大幅に削減することができる。このように膜タンパク質を絶対定量できる方法を開発することは薬剤開発のような分野においても、切望されている。【００１０】
従来より、生体タンパク質の定量には、二次元電気泳動のような電気泳動を用いる方法が行われてきた。この方法は、被定量タンパク質を染色することによってか、又はオートラジオグラフィーによってか、或いは、特定のタンパク質について特異的な抗体を使用すること（ウェスタンブロット）によって、検出を行い、定量が実施されてきた。特に、細胞膜タンパク質の定量には、抗体を用いる方法が行われてきた。抗体を使用した細胞膜タンパク質の定量法には、該タンパク質に対する抗体の作製が前提であり、抗体が作製できない膜タンパク質には適用することができない。また、かかる定量法は試料調整時に膜タンパク質を可溶化したのち電気泳動し、抗体染色を行っている。しかし膜タンパク質により可溶化条件は異なるため、個々に条件検討しなければならず時間を要する。更に、不溶性タンパク質や高分子量タンパク質は電気泳動することができないため、これらの方法を、細胞膜タンパク質の定量に適用することは困難であった。【００１１】
一方、近年、質量分析法（mass spectrometry）の進展が目覚しく、種々の生物学材料の検出や測定にこの方法が検討され、利用されてきた。質量分析計には、エレクトロスプレー・イオン（ＥＳＩ：electrospray ionization）源をもつ質量分析計、液体クロマトグラフィーマススペクトロメトリー（ＬＣ−ＭＳ）をもつ質量分析計、質量分析計を２台結合した、ＭＳ／ＭＳスペクトル（ＭＳ／ＭＳspectrum）又はタンデムマススペクトトル（tandemu mass spectrum: tandemu MS）質量分析計等、種々の機能をもつ質量分析計が開発されており、これらの機能を組合わせたものが、生物学材料の検出や測定に利用されている（特開２００４−２８９９３号公報、特開２００４−７７２７６号公報、特表２００４−５３３６１０号公報）。【００１２】
最近、安定同位体標識を用いた質量分析法が開発され、生物学材料の検出や測定に利用されている。この方法は、安定同位体で標識化したタンパク質やペプチドを用いて、試料中のタンパク質やペプチドを質量分析法により定量するもので、血清中におけるリュウマチ患者の診断マーカーであるＣ−反応性タンパク質（C-reactive protein：ＣＲＰ）や哺乳類組織試料及び体液中のβアミロイドの定量に用いた例が報告されている。しかしながら、このような質量分析法を難溶性・高分子量の細胞膜タンパク質の定量に用いた例は知られていない。【００１３】
従来より、質量分析法を用いた生物学材料の検出や測定にＬＣ−ＭＳＭＳを用いることが行われている。ＬＣ−ＭＳＭＳを用いた定量は、目的化合物のＭＳスペクトルと特定のＭＳＭＳスペクトルピークを組み合わせたチャネルを用いることによって行われる。低分子化合物では、通常単一のチャネルを用いて行われる。しかし、ペプチドの場合は、高分子であるため単一チャネルを使用した定量は、いくつかの問題が予想され、実際に問題が生じた。【００１４】
すなわち、選択ペプチドと同一のチャネルで検出される異なる配列のペプチドが存在する場合、選択チャネルで複数のピークが検出される。内部標準ペプタイドを合成し、内部標準ペプタイドと同一の溶出時間のピークを目的ペプタイドのピークと同定することは可能である。しかし、多種類の膜タンパクに複数のチャネルを作製した場合、全てに内部標準ペプタイド合成することは、時間と費用の面から大変困難である。従って、内部標準ペプタイドなしに、目的ペプタイドのピークを同定する手段が必要である。更に、同一のチャネルで検出される異なる配列のペプチドが目的ペプタイドが同一の溶出時間に検出される可能性があり、定量精度を低下させることとなる。【００１５】
【特許文献１】特開２００４−２８９９３号公報。
【特許文献２】特開２００４−７７２７６号公報。
【特許文献３】特開２００４−１５７１２４号公報。
【特許文献４】特表２００４−５３３６１０号公報。
【非特許文献１】Humann Mol. Genet. 5(10), 1649-1655, 1996。
【非特許文献２】Proc. Natl. Acad. Sci., 95, 15665-15670,1998。
【非特許文献３】Clin. Cancer. Res. 7, 935-941, 2001。
【非特許文献４】Medicine,Stanford University School of Medicine, Stanford, CA 94306,USA。
【非特許文献５】Nature 323(6090), 728-731, 1986。
【非特許文献６】Biochem. Biophys. Res. Commun. 162(1), 224-231, 1989。
【非特許文献７】Genetics, 123(1), 45-54, 1989。
【非特許文献８】Curr. Opin. Genet. Dev.,5, 779-85, 1995。
【非特許文献９】Proteomics 4, 1175-1186,2004。
【発明の開示】
【発明が解決しようとする課題】
【００１６】
生体膜を構成している細胞膜タンパク質は、生体作用因子に対する受容体、生体物質の輸送担体、イオンチャンネル、細胞膜抗原などの重要な機能を有し、該タンパク質の機能の解明や、該タンパク質を利用した活性物質のスクリーニングや該タンパク質の発現を利用した検査、診断等が行われてきた。該タンパク質についての機能の解明や、活性物質のスクリーニング、或いは、該タンパク質の発現を利用した検査、診断等に際しては、細胞等に含まれるタンパク質を検出し、定量的に測定する必要がある。特に、新薬の開発等に際しては、新薬候補物質の検定のために、膜タンパク質を、簡便かつ精度のよい手段で、絶対定量できることが、重要な意義を有している。【００１７】
従来より、生体タンパク質の検出、定量には、染色法や、オートラジオグラフィー或いは抗体を用いた電気泳動のような方法が用いられてきた。しかしながら、細胞膜タンパク質は、高分子量で難溶性であり、電気泳動を行うことが困難であり、これらの従来の分析法で定量することが難しい。また、上記の抗体を使用した細胞膜タンパク質の定量法は、該タンパク質に対する抗体の作成が前提であり、抗体が作製できない膜タンパク質には適用することができない。更に、かかる定量法は試料調整時に細胞膜タンパク質を可溶化したのち電気泳動し、抗体染色を行っているが、細胞膜タンパク質により可溶化条件は異なるため、個々に条件を検討しなければならず、時間を要し、更に、抗体の作製にも多大の時間と技術及び費用を要する。【００１８】
そこで、本発明の課題は、高分子量で難溶性の細胞膜タンパク質を、簡便な手段で、精度よく定量的に測定する方法、詳細には、細胞膜に存在する膜タンパク質を、安定同位体標識ペプチドをプローブとして用いて、質量分析により、簡便、かつ迅速に、更に、精度よく定量的に測定する方法を提供することにある。また、本発明は、細胞膜タンパク質を質量分析により定量するに際し、測定試料の選択や測定手段を改良して、細胞膜タンパク質を精度よく、かつ、容易に測定する方法を提供することを課題とする。
【課題を解決するための手段】
【００１９】
本発明者は、上記課題を解決すべく鋭意検討する中で、分離した被定量細胞膜タンパク質をタンパク質分解酵素により断片化してオリゴペプチド断片を調製してＬＣ−ＭＳＭＳで同定し、そして、タンパク質分解酵素により得られるペプチドであること、及び、標的分子に特異的なペプチド配列であることを必須クライテリアとし、疎水アミノ酸の含量及び配列条件、アミノ酸残基数、特定アミノ酸配列条件等のスコアつきの選択クライテリアを設定して、スコア合計の高いペプチドを優先的に選択する定量対象ペプチド選定クライテリアによってＥＳＩ法によるイオン化が可能なペプチド断片を選定し、該ペプチド断片を定量対象ペプチドとして選択し、一方、該定量対象ペプチドと同配列であり、かつ、安定同位体元素で標識化された安定同位体標識ペプチドを調製し、該定量対象ペプチドと安定同位体標識ペプチドを用いて、所定濃度段階の試料を用いてＬＣ−ＭＳＭＳで質量分析を行って検量線を作成しておき、そして、被定量細胞膜タンパク質試料のオリゴペプチド断片と該安定同位体標識ペプチドのＬＣ−ＭＳＭＳ質量分析を行った結果から、該検量線を用いて計算することにより、高分子量で難溶性の細胞膜タンパク質を、簡便、かつ迅速に、更に、精度よく定量することが可能であることを見出し、本発明を完成するに至った。【００２０】
上記、本発明のＬＣ−ＭＳＭＳ質量分析法を用いた細胞膜タンパク質の定量法において、その特徴の一つは、少なくとも、用いるタンパク質分解酵素、疎水アミノ酸の含量及び配列条件、アミノ酸残基数、及び特定アミノ酸配列条件から設定された定量対象ペプチド選定クライテリアを用いて、ＥＳＩ法によるイオン化が可能なオリゴペプチド断片を選択して定量対象ペプチドを選定している点にある。すなわち、細胞膜タンパク質を、質量分析法を用いて定量する場合には、ＬＣ−ＭＳＭＳ法を用いて定量することが有効であるが、従来法の問題点として、ＬＣ−ＭＳＭＳ法を用いて、タンパク質を定量するためには、液体クロマトグラフィーで分離することができ、かつイオン化効率の良いペプチドを選択することが必要である。それには該タンパク質を多量に含む試料をＬＣ-ＭＳＭＳで測定し、イオン化するペプチドを確認する必要がある。該膜タンパク質が微量である場合、分離濃縮のための前処理に多大な時間と労力を費やさねばならず、定量対象ペプチドの決定が従来のＬＣ-ＭＳＭＳ法の律速段階であり、数多くの膜タンパクの定量に応用することは困難であった（例:ヒトにおいてＡＢＣトランスポーター４８種類、ＳＣＬトランスポーター３１９種類）。この問題点を解決するために本発明においては、上記ペプチド選択クライテリア（選択基準）を設定して、定量対象ペプチドを選定することによって、イオン化効率の良いペプチドを選択することによって、細胞膜タンパク質をＬＣ−ＭＳＭＳ質量分析法によって、精度よく、かつ、効率的に定量することを可能とした。ペプチド選択クライテリアを用いて、イオン化効率の良いペプチドを選択する処理は、コンピューターで高速に行うことができ、かつ、適切なペプチドを選択することで可能となる。【００２１】
すなわち本発明は、（１）（ａ）分離した被定量細胞膜タンパク質を断片化してオリゴペプチド断片を調製して同定し、少なくとも１）トリプシン、エンドプロテナーゼ、又は、ペプシンからなるタンパク質分解酵素により得られるペプチドであること、２）標的分子に特異的なペプチド配列であること、から設定された必須クライテリアを含む定量対象ペプチド選定クライテリアによって、ＥＳＩ法によるイオン化が可能な定量対象ペプチドを選定する工程、（ｂ）ペプチド合成法により、安定同位元素を用いて、定量対象ペプチドと同配列であり、標識化された安定同位体標識ペプチドを調製する工程、（ｃ）定量対象ペプチド及び安定同位体標識ペプチドを用いて、それぞれの所定濃度段階に対するＬＣ−ＭＳＭＳを用いた質量分析を行い、検量線を作成する工程、（ｄ）試料の被定量細胞膜タンパク質を前記タンパク質分解酵素により断片化して得られるペプチド断片に、安定同位体標識ペプチドを添加してＬＣ−ＭＳＭＳを用いた質量分析を行い、被定量細胞膜タンパク質ペプチド／安定同位体標識ペプチドのマススペクトル面積比を算出する工程、（ｅ）該面積比から検量線を用いて定量値を算出する工程の各工程を含む、安定同位体標識ペプチドを用いた液体クロマトグラフ−タンデム質量分析装置（ＬＣ−ＭＳＭＳ）による細胞膜タンパク質の定量法に関する。【００２２】
また本発明は、（２）定量対象ペプチド選定クライテリアが、上記必須クライテリア１）及び２）に加えて、３）トリプトファン、チロシン、バリン、ロイシン、イソロイシン、フェニルアラニンからなる疎水アミノ酸の含量及び配列条件として、疎水アミノ酸の含量が８０％以下であり、かつ前記疎水アミノ酸が１０アミノ酸以上連続しないペプチドであること［スコア２］、４）アミノ酸残基数が、４〜３０のペプチドであること［スコア３］、５）特定アミノ酸配列条件として、アスパラギン−Ｘ(ただし、Ｘは、プロリン以外のアミノ酸を表す。)−セリン若しくは−スレオニン、−システインの配列を含まないペプチドであること［スコア２］、６）翻訳後修飾部位を含まないペプチドであること（ただし、翻訳後修飾タンパク質を定量する場合はこの限りではない。）［スコア３］、７）１塩基多型（ＳＮＰ）部位を含まないペプチドであること［スコア４］、８）タンパク質分解酵素切断部がアルギニン−アルギニン、アルギニン−リジン、リジン−アルギニン、リジン−リジンではないペプチドであること［スコア５］、９）タンパク質構造が決定もしくは予測されている場合、膜貫通領域は含まないペプチドであること［スコア２］、１０）メチオニン、システインを含まないペプチドであること［スコア３］、１１）トリプトファン、グルタミン酸を含まないペプチドであること［スコア１］、のスコアつきの選択クライテリアを設定して、スコア合計の高いペプチドを優先的に選択するクライテリアであることを特徴とする上記（１）記載の細胞膜タンパク質の定量法に関する。【００２３】
また本発明は、（３）疎水アミノ酸の含量が５０％以下であり、アミノ酸残基数が８〜１２のペプチドであることを特徴とする前記（２）記載の細胞膜タンパク質の定量法や、（４）定量対象ペプチド選定クライテリアに、さらに、複数の動物種において同一のアミノ酸配列であることを追加クライテリアとすることを特徴とする前記（１）〜（３）のいずれか記載の細胞膜タンパク質の定量法や、（５）定量対象ペプチド選定クライテリアに基づいて選定した候補ペプチドについて、親イオン（ｍ／ｚ）とペプチド断片イオン（ｍ／ｚ）を組み合わせた特異的測定チャネルを複数作成し、測定することを特徴とする前記（１）〜（４）のいずれか記載の細胞膜タンパク質の定量法や、（６）同一蛋白質の複数の候補ペプチドについて、また複数蛋白質の候補ペプチドについて特異的測定チャネルを複数作成し、同時に測定することを特徴とする前記（５）記載の細胞膜タンパク質の定量法や、（７）安定同位体標識ペプチドが、15Ｎ，13Ｃ，18Ｏ，2Ｈのいずれかを含むアミノ酸によって標識化されたものであることを特徴とする前記（１）〜（６）のいずれか記載の細胞膜タンパク質の定量法や、（８）細胞膜タンパク質の供給源が、組織試料から得られた細胞膜タンパク質であることを特徴とする前記（１）〜（７）のいずれか記載の安定同位体標識ペプチドを用いた質量分析による細胞膜タンパク質の定量法に関する。【００２４】
また本発明は、（９）細胞膜タンパク質が、ヒトＡＢＣＡ１、ヒトＡＢＣＡ２、ヒトＡＢＣＡ３、ヒトＡＢＣＡ４、ヒトＡＢＣＡ５、ヒトＡＢＣＡ６、ヒトＡＢＣＡ７、ヒトＡＢＣＡ８、ヒトＡＢＣＡ９、ヒトＡＢＣＡ１０、ヒトＡＢＣＡ１２、ヒトＡＢＣＡ１３、ヒトＡＢＣＢ１、ヒトＡＢＣＢ４、ヒトＡＢＣＢ５、ヒトＡＢＣＢ１１、ヒトＡＢＣＣ１、ヒトＡＢＣＣ２、ヒトＡＢＣＣ３、ヒトＡＢＣＣ４、ヒトＡＢＣＣ５、ヒトＡＢＣＣ６、ヒトＡＢＣＣ７、ヒトＡＢＣＣ８、ヒトＡＢＣＣ９、ヒトＡＢＣＣ１０、ヒトＡＢＣＣ１１、ヒトＡＢＣＣ１２、ヒトＡＢＣＣ１３、ヒトＡＢＣＧ１、ヒトＡＢＣＧ２、ヒトＡＢＣＧ４、ヒトＡＢＣＧ５、ヒトＡＢＣＧ８、ヒトＰ−グリコプロテインから選ばれる１種又は２種以上のタンパク質［以下、「本件ＡＢＣトランスポーター」という。］である上記（１）〜（８）のいずれか記載の細胞膜タンパク質の定量法に関する。【００２５】
また本発明は、（１０）細胞膜タンパク質が、ヒトＳＬＣ１０Ａ１、ヒトＳＬＣ１０Ａ２、ヒトＳＬＣ１５Ａ１、ヒトＳＬＣ１５Ａ２、ヒトＳＬＣ１６Ａ１、ヒトＳＬＣ１６Ａ７、ヒトＳＬＣ１９Ａ１、ヒトＳＬＣ１９Ａ２、ヒトＳＬＣ１９Ａ３、ヒトＳＬＣ２１Ａ１、ヒトＳＬＣ２１Ａ１０、ヒトＳＬＣ２１Ａ１１、ヒトＳＬＣ２１Ａ１２、ヒトＳＬＣ２１Ａ１３、ヒトＳＬＣ２１Ａ１４、ヒトＳＬＣ２１Ａ１５、ヒトＳＬＣ２１Ａ１９、ヒトＳＬＣ２１Ａ２、ヒトＳＬＣ２１Ａ２０、ヒトＳＬＣ２１Ａ３、ヒトＳＬＣ２１Ａ４、ヒトＳＬＣ２１Ａ５、ヒトＳＬＣ２１Ａ６、ヒトＳＬＣ２１Ａ７、ヒトＳＬＣ２１Ａ８、ヒトＳＬＣ２１Ａ９、ヒトＳＬＣ２２Ａ１、ヒトＳＬＣ２２Ａ１０、ヒトＳＬＣ２２Ａ１１、ヒトＳＬＣ２２Ａ１２、ヒトＳＬＣ２２Ａ１３、ヒトＳＬＣ２２Ａ１４、ヒトＳＬＣ２２Ａ１５、ヒトＳＬＣ２２Ａ１６、ヒトＳＬＣ２２Ａ１７、ヒトＳＬＣ２２Ａ１８、ヒトＳＬＣ２２Ａ２、ヒトＳＬＣ２２Ａ３、ヒトＳＬＣ２２Ａ４、ヒトＳＬＣ２２Ａ５、ヒトＳＬＣ２２Ａ６、ヒトＳＬＣ２２Ａ７、ヒトＳＬＣ２２Ａ８、ヒトＳＬＣ２２Ａ９、ヒトＳＬＣ２３Ａ１、ヒトＳＬＣ２３Ａ２、ヒトＳＬＣ２８Ａ１、ヒトＳＬＣ２８Ａ２、ヒトＳＬＣ２８Ａ３、ヒトＳＬＣ２９Ａ１、ヒトＳＬＣ２９Ａ２、ヒトＳＬＣ２９Ａ３、ヒトＳＬＣ２９Ａ４、ヒトＳＬＣ３１Ａ１、ヒトＳＬＣ３Ａ２、ヒトＳＬＣ４３Ａ１、ヒトＳＬＣ４３Ａ２、ヒトＳＬＣ４３Ａ３、ヒトＳＬＣ７Ａ５、ヒトＳＬＣ７Ａ６、ヒトＳＬＣ７Ａ８から選ばれる１種又は２種以上のタンパク質［以下、「本件ＳＬＣトランスポーター（グループＡ）」という。］である上記（１）〜（８）のいずれか記載の細胞膜タンパク質の定量法に関する。【００２６】
また本発明は、（１１）細胞膜タンパク質が、ヒトＳＬＣ１０Ａ３、ヒトＳＬＣ１０Ａ４、ヒトＳＬＣ１０Ａ５、ヒトＳＬＣ１０Ａ６、ヒトＳＬＣ１１Ａ１、ヒトＳＬＣ１１Ａ２、ヒトＳＬＣ１２Ａ１、ヒトＳＬＣ１２Ａ２、ヒトＳＬＣ１２Ａ３、ヒトＳＬＣ１２Ａ４、ヒトＳＬＣ１２Ａ５、ヒトＳＬＣ１２Ａ６、ヒトＳＬＣ１２Ａ７、ヒトＳＬＣ１２Ａ８、ヒトＳＬＣ１２Ａ９、ヒトＳＬＣ１３Ａ１、ヒトＳＬＣ１３Ａ２、ヒトＳＬＣ１３Ａ３、ヒトＳＬＣ１３Ａ４、ヒトＳＬＣ１３Ａ５、ヒトＳＬＣ１４Ａ１、ヒトＳＬＣ１４Ａ２、ヒトＳＬＣ１５Ａ３、ヒトＳＬＣ１５Ａ４、ヒトＳＬＣ１６Ａ１０、ヒトＳＬＣ１６Ａ１１、ヒトＳＬＣ１６Ａ１２、ヒトＳＬＣ１６Ａ１３、ヒトＳＬＣ１６Ａ１４、ヒトＳＬＣ１６Ａ２、ヒトＳＬＣ１６Ａ３、ヒトＳＬＣ１６Ａ４、ヒトＳＬＣ１６Ａ５、ヒトＳＬＣ１６Ａ６、ヒトＳＬＣ１６Ａ８、ヒトＳＬＣ１６Ａ９、ヒトＳＬＣ１７Ａ１、ヒトＳＬＣ１７Ａ２、ヒトＳＬＣ１７Ａ３、ヒトＳＬＣ１７Ａ４、ヒトＳＬＣ１７Ａ５、ヒトＳＬＣ１７Ａ６、ヒトＳＬＣ１７Ａ７、ヒトＳＬＣ１７Ａ８、ヒトＳＬＣ１８Ａ１、ヒトＳＬＣ１８Ａ２、ヒトＳＬＣ１８Ａ３、ヒトＳＬＣ１Ａ１、ヒトＳＬＣ１Ａ２、ヒトＳＬＣ１Ａ３、ヒトＳＬＣ１Ａ４、ヒトＳＬＣ１Ａ５、ヒトＳＬＣ１Ａ６、ヒトＳＬＣ１Ａ７、ヒトＳＬＣ２０Ａ１、ヒトＳＬＣ２０Ａ２、ヒトＳＬＣ２３Ａ３、ヒトＳＬＣ２４Ａ１、ヒトＳＬＣ２４Ａ２、ヒトＳＬＣ２４Ａ３、ヒトＳＬＣ２４Ａ４、ヒトＳＬＣ２４Ａ５、ヒトＳＬＣ２４Ａ６、ヒトＳＬＣ２５Ａ１、ヒトＳＬＣ２５Ａ１０、ヒトＳＬＣ２５Ａ１１、ヒトＳＬＣ２５Ａ１２、ヒトＳＬＣ２５Ａ１３、ヒトＳＬＣ２５Ａ１４、ヒトＳＬＣ２５Ａ１５、ヒトＳＬＣ２５Ａ１６、ヒトＳＬＣ２５Ａ１７、ヒトＳＬＣ２５Ａ１８、ヒトＳＬＣ２５Ａ１９、ヒトＳＬＣ２５Ａ２、ヒトＳＬＣ２５Ａ２０、ヒトＳＬＣ２５Ａ２１、ヒトＳＬＣ２５Ａ２２、ヒトＳＬＣ２５Ａ２３、ヒトＳＬＣ２５Ａ２４、ヒトＳＬＣ２５Ａ２５、ヒトＳＬＣ２５Ａ２６、ヒトＳＬＣ２５Ａ２７、ヒトＳＬＣ２５Ａ２８、ヒトＳＬＣ２５Ａ２９、ヒトＳＬＣ２５Ａ３、ヒトＳＬＣ２５Ａ３０、ヒトＳＬＣ２５Ａ３１、ヒトＳＬＣ２５Ａ３２、ヒトＳＬＣ２５Ａ３３、ヒトＳＬＣ２５Ａ３４、ヒトＳＬＣ２５Ａ３５、ヒトＳＬＣ２５Ａ３６、ヒトＳＬＣ２５Ａ３７、ヒトＳＬＣ２５Ａ４、ヒトＳＬＣ２５Ａ５、ヒトＳＬＣ２５Ａ６、ヒトＳＬＣ２５Ａ７、ヒトＳＬＣ２５Ａ８、ヒトＳＬＣ２５Ａ９、ヒトＳＬＣ２６Ａ１、ヒトＳＬＣ２６Ａ１０、ヒトＳＬＣ２６Ａ１１、ヒトＳＬＣ２６Ａ２、ヒトＳＬＣ２６Ａ３、ヒトＳＬＣ２６Ａ４、ヒトＳＬＣ２６Ａ５、ヒトＳＬＣ２６Ａ６、ヒトＳＬＣ２６Ａ７、ヒトＳＬＣ２６Ａ８、ヒトＳＬＣ２６Ａ９、ヒトＳＬＣ２７Ａ１、ヒトＳＬＣ２７Ａ２、ヒトＳＬＣ２７Ａ３、ヒトＳＬＣ２７Ａ４、ヒトＳＬＣ２７Ａ５、ヒトＳＬＣ２７Ａ６、ヒトＳＬＣ２Ａ１、ヒトＳＬＣ２Ａ１０、ヒトＳＬＣ２Ａ１１、ヒトＳＬＣ２Ａ１２、ヒトＳＬＣ２Ａ１３、ヒトＳＬＣ２Ａ１４、ヒトＳＬＣ２Ａ２、ヒトＳＬＣ２Ａ３、ヒトＳＬＣ２Ａ４、ヒトＳＬＣ２Ａ５、ヒトＳＬＣ２Ａ６、ヒトＳＬＣ２Ａ７、ヒトＳＬＣ２Ａ８、ヒトＳＬＣ２Ａ９、ヒトＳＬＣ３０Ａ１、ヒトＳＬＣ３０Ａ１０、ヒトＳＬＣ３０Ａ１１、ヒトＳＬＣ３０Ａ２、ヒトＳＬＣ３０Ａ３、ヒトＳＬＣ３０Ａ４、ヒトＳＬＣ３０Ａ５、ヒトＳＬＣ３０Ａ６、ヒトＳＬＣ３０Ａ７、ヒトＳＬＣ３０Ａ８、ヒトＳＬＣ３０Ａ９、ヒトＳＬＣ３１Ａ２、ヒトＳＬＣ３２Ａ１、ヒトＳＬＣ３３Ａ１、ヒトＳＬＣ３４Ａ１、ヒトＳＬＣ３４Ａ２、ヒトＳＬＣ３４Ａ３、ヒトＳＬＣ３５Ｂ１、ヒトＳＬＣ３５Ｂ２、ヒトＳＬＣ３５Ｂ３、ヒトＳＬＣ３５Ｂ４、ヒトＳＬＣ３５Ｃ１、ヒトＳＬＣ３５Ｃ２、ヒトＳＬＣ３５Ｄ１、ヒトＳＬＣ３５Ｄ２、ヒトＳＬＣ３５Ｄ３、ヒトＳＬＣ３６Ａ１、ヒトＳＬＣ３６Ａ２、ヒトＳＬＣ３６Ａ３、ヒトＳＬＣ３６Ａ４、ヒトＳＬＣ３７Ａ１、ヒトＳＬＣ３７Ａ２、ヒトＳＬＣ３７Ａ３、ヒトＳＬＣ３７Ａ４、ヒトＳＬＣ３８Ａ１、ヒトＳＬＣ３８Ａ２、ヒトＳＬＣ３８Ａ３、ヒトＳＬＣ３８Ａ４、ヒトＳＬＣ３８Ａ５、ヒトＳＬＣ３８Ａ６、ヒトＳＬＣ３Ａ１、ヒトＳＬＣ４０Ａ１、ヒトＳＬＣ４１Ａ１、ヒトＳＬＣ４１Ａ２、ヒトＳＬＣ４１Ａ３、ヒトＳＬＣ４４Ａ１、ヒトＳＬＣ４４Ａ２、ヒトＳＬＣ４４Ａ３、ヒトＳＬＣ４４Ａ４、ヒトＳＬＣ４４Ａ５、ヒトＳＬＣ４５Ａ１、ヒトＳＬＣ４５Ａ２、ヒトＳＬＣ４５Ａ３、ヒトＳＬＣ４５Ａ４、ヒトＳＬＣ４Ａ１、ヒトＳＬＣ４Ａ１０、ヒトＳＬＣ４Ａ１１、ヒトＳＬＣ４Ａ２、ヒトＳＬＣ４Ａ３、ヒトＳＬＣ４Ａ４、ヒトＳＬＣ４Ａ５、ヒトＳＬＣ４Ａ７、ヒトＳＬＣ４Ａ８、ヒトＳＬＣ４Ａ９、ヒトＳＬＣ５Ａ１、ヒトＳＬＣ５Ａ１１、ヒトＳＬＣ５Ａ１２、ヒトＳＬＣ５Ａ２、ヒトＳＬＣ５Ａ３、ヒトＳＬＣ５Ａ４、ヒトＳＬＣ５Ａ５、ヒトＳＬＣ５Ａ９、ヒトＳＬＣ６Ａ１、ヒトＳＬＣ６Ａ１０、ヒトＳＬＣ６Ａ１１、ヒトＳＬＣ６Ａ１２、ヒトＳＬＣ６Ａ１３、ヒトＳＬＣ６Ａ１４、ヒトＳＬＣ６Ａ１５、ヒトＳＬＣ６Ａ１６、ヒトＳＬＣ６Ａ１７、ヒトＳＬＣ６Ａ１８、ヒトＳＬＣ６Ａ１９、ヒトＳＬＣ６Ａ２、ヒトＳＬＣ６Ａ２０、ヒトＳＬＣ６Ａ３、ヒトＳＬＣ６Ａ４、ヒトＳＬＣ６Ａ５、ヒトＳＬＣ６Ａ６、ヒトＳＬＣ６Ａ７、ヒトＳＬＣ６Ａ８、ヒトＳＬＣ６Ａ９、ヒトＳＬＣ７Ａ１、ヒトＳＬＣ７Ａ１０、ヒトＳＬＣ７Ａ１１、ヒトＳＬＣ７Ａ１３、ヒトＳＬＣ７Ａ１４、ヒトＳＬＣ７Ａ２、ヒトＳＬＣ７Ａ３、ヒトＳＬＣ７Ａ４、ヒトＳＬＣ７Ａ７、ヒトＳＬＣ７Ａ９、ヒトＳＬＣ８Ａ１、ヒトＳＬＣ８Ａ２、ヒトＳＬＣ８Ａ３、ヒトＳＬＣ９Ａ１、ヒトＳＬＣ９Ａ２、ヒトＳＬＣ９Ａ３、ヒトＳＬＣ９Ａ４、ヒトＳＬＣ９Ａ５、ヒトＳＬＣ９Ａ６、ヒトＳＬＣ９Ａ７、ヒトＳＬＣ９Ａ８、ヒトＳＬＣ９Ａ９から選ばれる１種又は２種以上のタンパク質［以下、「本件ＳＬＣトランスポーター（グループＢ）」という。］である上記（１）〜（８）のいずれか記載の細胞膜タンパク質の定量法に関する。【００２７】
また本発明は、（１２）細胞膜タンパク質が、ヒトＳＬＣ３５Ａ１、ヒトＳＬＣ３５Ａ２、ヒトＳＬＣ３５Ａ３、ヒトＳＬＣ３５Ａ４、ヒトＳＬＣ３５Ａ５、ヒトＳＬＣ３５Ｅ１、ヒトＳＬＣ３５Ｅ２、ヒトＳＬＣ３５Ｅ３、ヒトＳＬＣ３５Ｅ４、ヒトＳＬＣ３５Ｆ１、ヒトＳＬＣ３５Ｆ２、ヒトＳＬＣ３５Ｆ３、ヒトＳＬＣ３５Ｆ５、ヒトＳＬＣ３９Ａ１、ヒトＳＬＣ３９Ａ１０、ヒトＳＬＣ３９Ａ１１、ヒトＳＬＣ３９Ａ１２、ヒトＳＬＣ３９Ａ１３、ヒトＳＬＣ３９Ａ１４、ヒトＳＬＣ３９Ａ２、ヒトＳＬＣ３９Ａ３、ヒトＳＬＣ３９Ａ４、ヒトＳＬＣ３９Ａ５、ヒトＳＬＣ３９Ａ６、ヒトＳＬＣ３９Ａ７、ヒトＳＬＣ３９Ａ８、ヒトＳＬＣ３９Ａ９、ヒトＳＬＣ４２Ａ１、ヒトＳＬＣ４２Ａ２、ヒトＳＬＣ４２Ａ３から選ばれる１種又は２種以上のタンパク質［以下、「本件ＳＬＣトランスポーター（グループＣ）」という。］である上記（１）〜（８）のいずれか記載の細胞膜タンパク質の定量法に関する。【００２８】
また本発明は、（１３）細胞膜タンパク質が、ヒトＭＡＴＥ１及び／又はヒトＭＡＴＥ２［以下、「本件ＭＡＴＥトランスポーター」という。］である上記（１）〜（８）のいずれか記載の細胞膜タンパク質の定量法に関する。【００２９】
さらに本発明は、（１４）細胞膜タンパク質が、ヒトＡＢＣＡ１、ヒトＡＢＣＡ２、ヒトＡＢＣＡ３、ヒトＡＢＣＡ４、ヒトＡＢＣＡ５、ヒトＡＢＣＡ６、ヒトＡＢＣＡ７、ヒトＡＢＣＡ８、ヒトＡＢＣＡ９、ヒトＡＢＣＡ１０、ヒトＡＢＣＡ１２、ヒトＡＢＣＡ１３、ヒトＡＢＣＢ１、ヒトＡＢＣＢ４、ヒトＡＢＣＢ５、ヒトＡＢＣＢ１１、ヒトＡＢＣＣ１、ヒトＡＢＣＣ２、ヒトＡＢＣＣ３、ヒトＡＢＣＣ４、ヒトＡＢＣＣ５、ヒトＡＢＣＣ６、ヒトＡＢＣＣ１０、ヒトＡＢＣＣ１１、ヒトＡＢＣＣ１２、ヒトＡＢＣＣ１３、ヒトＡＢＣＧ１、ヒトＡＢＣＧ２、ヒトＡＢＣＧ４、ヒトＡＢＣＧ５、ヒトＡＢＣＧ８、ヒトＭＡＴＥ１、ヒトＭＡＴＥ２、ヒトＳＬＣ３Ａ２、ヒトＳＬＣ７Ａ５、ヒトＳＬＣ７Ａ６、ヒトＳＬＣ１０Ａ１、ヒトＳＬＣ１０Ａ２、ヒトＳＬＣ１５Ａ１、ヒトＳＬＣ１５Ａ２、ヒトＳＬＣ１６Ａ１、ヒトＳＬＣ１６Ａ７、ヒトＳＬＣ１９Ａ１、ヒトＳＬＣ２１Ａ２、ヒトＳＬＣ２１Ａ３、ヒトＳＬＣ２１Ａ４、ヒトＳＬＣ２１Ａ５、ヒトＳＬＣ２１Ａ６、ヒトＳＬＣ２１Ａ７、ヒトＳＬＣ２１Ａ８、ヒトＳＬＣ２１Ａ９、ヒトＳＬＣ２１Ａ１１、ヒトＳＬＣ２１Ａ１２、ヒトＳＬＣ２１Ａ１３、ヒトＳＬＣ２１Ａ１４、ヒトＳＬＣ２１Ａ１５、ヒトＳＬＣ２１Ａ１９、ヒトＳＬＣ２１Ａ２０、ヒトＳＬＣ２２Ａ１、ヒトＳＬＣ２２Ａ２、ヒトＳＬＣ２２Ａ３、ヒトＳＬＣ２２Ａ４、ヒトＳＬＣ２２Ａ５、ヒトＳＬＣ２２Ａ６、ヒトＳＬＣ２２Ａ７、ヒトＳＬＣ２２Ａ８、ヒトＳＬＣ２２Ａ９、ヒトＳＬＣ２２Ａ１０、ヒトＳＬＣ２２Ａ１１、ヒトＳＬＣ２２Ａ１２、ヒトＳＬＣ２２Ａ１３、ヒトＳＬＣ２２Ａ１４、ヒトＳＬＣ２２Ａ１５、ヒトＳＬＣ２２Ａ１６、ヒトＳＬＣ２２Ａ１７、ヒトＳＬＣ２３Ａ１、ヒトＳＬＣ２３Ａ２、ヒトＳＬＣ２８Ａ１、ヒトＳＬＣ２８Ａ２、ヒトＳＬＣ２８Ａ３、ヒトＳＬＣ２９Ａ１、ヒトＳＬＣ２９Ａ２、ヒトＳＬＣ３１Ａ１から選ばれる１種又は２種以上のタンパク質［以下、「“本件の好適なトランスポーター”」という。］である上記（１）〜（８）のいずれか記載の細胞膜タンパク質の定量法に関する。
【図面の簡単な説明】
【００３０】
【図１】本発明の質量分析による細胞膜タンパク質の定量法のフローを示す図である。
【図２−１】本発明において、ＬＣ−ＭＳＭＳを用い、ペプチドマルチチャネルによる定量を行った場合について、作成した５チャンネルを用いて対象膜タンパク質を含む試料のペプチドライブラリーをＬＣ-ＭＳＭＳ測定した結果を示す図である。
【図２−２】本発明において、ＬＣ−ＭＳＭＳを用い、ペプチドマルチチャネルによる定量を行った場合について、作成した５チャンネルを用いて対象膜タンパク質を含む試料のペプチドライブラリーをＬＣ-ＭＳＭＳ測定した結果を示す図である。
【図３−１】本発明の実施例において、ヒトＡＢＣＧ２ペプチドによる質量分析の結果を示す図である。Ａ）は、標準ペプチド５ｆｍｏｌ及び13Ｃ6，15Ｎ標識ペプチド５０ｆｍｏｌのＭＳスペクトルを示す。
【図３−２】本発明の実施例において、ヒトＡＢＣＧ２ペプチドによる質量分析の結果を示す図である。Ｂ）は、標準ペプチド５０ｆｍｏｌ及び13Ｃ6，15Ｎ標識ぺプチド５０ｆｍｏｌのＭＳスペクトルを示す。
【図４】本発明の実施例において、０．５ｆｍｏｌ, １ｆｍｏｌ, ５ｆｍｏｌ, １０ｆｍｏｌ, ５０ｆｍｏｌの標準ペプチドに、それぞれ１０ｆｍｏｌの13Ｃ6，15Ｎ標識ペプチドを添加し作成した検量線を示す図である。ＭＳスペクトル面積比（標準ペプチド／13Ｃ6，15Ｎ標識ペプチド）を算出し検量線を作成した。
【図５】本発明の実施例において、条件的不死化脳毛細血管内皮細胞株の細胞膜ペプチド試料１μｇのＡＢＣＧ２含有量の定量実験において、質量分析の結果を示す図である。試料に１０ｆｍｏｌの13Ｃ6，15Ｎ標識ペプチドを加えて測定した。検量線より計算した試料中ＡＢＣＧ２含有量は４．７ｆｍｏｌ／μｇであった。
【図６】本発明の実施例２において、白血病細胞の細胞膜ペプチド試料５０μｇのＡＢＣＢ１，ＡＢＣＢ４，ＡＢＣＢ５，ＡＢＣＢ１１，ＡＢＣＣ１，ＡＢＣＣ２，ＡＢＣＣ３，ＡＢＣＣ４，ＡＢＣＣ５，ＡＢＣＣ６，ＡＢＣＣ７，ＡＢＣＣ８，ＡＢＣＣ９，ＡＢＣＣ１０，ＡＢＣＣ１１，ＡＢＣＣ１２，ＡＢＣＣ１３，ＡＢＣＧ１，ＡＢＣＧ４，ＡＢＣＧ５，ＡＢＣＧ８含有量同時測定実験における、質量分析の結果を示す図である。
【発明を実施するための最良の形態】
【００３１】
本発明の安定同位体標識ペプチドを用いたＬＣ−ＭＳＭＳによる細胞膜タンパク質の定量法としては、（ａ）分離した被定量細胞膜タンパク質を断片化してオリゴペプチド断片を調製して同定し、少なくとも（１）トリプシン、エンドプロテナーゼ、又は、ペプシンからなるタンパク質分解酵素により得られるペプチドであること、（２）標的分子に特異的なペプチド配列であること、から設定された必須クライテリアを含む定量対象ペプチド選定クライテリアによって、ＥＳＩ法によるイオン化が可能な定量対象ペプチドを選定する工程、（ｂ）ペプチド合成法により、安定同位元素を用いて、定量対象ペプチドと同配列であり、標識化された安定同位体標識ペプチドを調製する工程、（ｃ）定量対象ペプチド及び安定同位体標識ペプチドを用いて、それぞれの所定濃度段階に対するＬＣ−ＭＳＭＳを用いた質量分析を行い、検量線を作成する工程、（ｄ）試料の被定量細胞膜タンパク質を前記タンパク質分解酵素により断片化して得られるペプチド断片に、安定同位体標識ペプチドを添加してＬＣ−ＭＳＭＳを用いた質量分析を行い、被定量細胞膜タンパク質ペプチド／安定同位体標識ペプチドのマススペクトル面積比を算出する工程、（ｅ）該面積比から検量線を用いて定量値を算出する工程の各工程を含む定量法であれば特に制限されず、上記細胞膜タンパク質の供給源としては、組織試料や培養細胞から得られた細胞膜タンパク質を好適に例示することができる。【００３２】
上記定量対象ペプチド選定クライテリアとして、上記必須クライテリア（１）トリプシン、エンドプロテナーゼ、又は、ペプシンからなるタンパク質分解酵素により得られるペプチドであること、及び（２）標的分子に特異的なペプチド配列であること、に加えて、（３）トリプトファン、チロシン、バリン、ロイシン、イソロイシン、フェニルアラニンからなる疎水アミノ酸の含量及び配列条件として、疎水アミノ酸の含量が８０％以下、好ましくは５０％以下であり、かつ前記疎水アミノ酸が１０アミノ酸以上連続しないペプチドであること［スコア２］、（４）アミノ酸残基数が、４〜３０、好ましくは８〜１２のペプチドであること［スコア３］、（５）特定アミノ酸配列条件として、アスパラギン−Ｘ(ただし、Ｘは、プロリン以外のアミノ酸を表す。)−セリン若しくは−スレオニン、−システインの配列を含まないペプチドであること［スコア２］、（６）翻訳後修飾部位を含まないペプチドであること（ただし、翻訳後修飾タンパク質を定量する場合はこの限りではない。）［スコア３］、（７）１塩基多型（ＳＮＰ）部位を含まないペプチドであること［スコア４］、（８）タンパク質分解酵素切断部がアルギニン−アルギニン、アルギニン−リジン、リジン−アルギニン、リジン−リジンではないペプチドであること［スコア５］、（９）タンパク質構造が決定もしくは予測されている場合、膜貫通領域は含まないペプチドであること［スコア２］、（１０）メチオニン、システインを含まないペプチドであること［スコア３］、（１１）トリプトファン、グルタミン酸を含まないペプチドであること［スコア１］のスコアつきの選択クライテリアを設定して、スコア合計の高いペプチドを優先的に選択するクライテリアを採用することが好ましい。さらに、複数の動物種（例：ヒト、マウス、ラット）において同一のアミノ酸配列であることを追加クライテリアとすることもでき、このクライテリアを追加すると、一つのペプチドで複数の動物種の細胞膜タンパク質を定量することが可能となる。【００３３】
本発明において、測定の対象となるタンパク質の供給源（サンプル）中に含まれる膜タンパク質の量が、ＬＣ−ＭＳＭＳを用いた質量分析の測定限界値以下である場合、高圧窒素ガス充填法等により単離した細胞膜を測定に用いることが好ましい。本発明においては、細胞膜タンパク質をトリプシン、エンドプロテナーゼ、及び／又は、ペプシンからなるタンパク質分解酵素を用いる酵素消化によって、オリゴペプチド断片を調製する。例えば、細胞膜タンパク質が発現した細胞から、高圧窒素ガス充填法等を用いて細胞膜を単離し、酵素消化によってペプチド試料を作製することができる。断片化の程度は、安定同位体標識ペプチドと非標識ペプチドとの質量分析により分離可能な質量差を大きくすることによって、その分離を明確にし、一方で、配列の特異性を保持するために、アミノ酸残基数４〜３０にまで低分子化することが好ましい。【００３４】
断片化したオリゴペプチド断片試料は、ＬＣ-ＭＳＭＳを用いて同定して、定量対象ペプチドを選択することが好ましく、このため定量の対象となるペプチドは、液体クロマトグラフィーで分離することができ、かつＥＳＩ法によってイオン化し、ＬＣ-ＭＳＭＳで検出されることが好ましい。そして、上記定量対象ペプチド選定クライテリアを用いることによって、液体クロマトグラフィーで分離することができ、かつＥＳＩ法によるイオン化が可能な定量対象ペプチドを選択することができる。【００３５】
この選択された定量対象ペプチドに基づいて、安定同位体標識化された安定同位体標識ペプチドを調製する。安定同位元素で標識されて内部標準として加えられるペプチドは定量対象ペプチドと同じアミノ酸配列を有し、15Ｎ，13Ｃ，18Ｏ，2Ｈのうち少なくとも一つの安定同位元素により標識される。内部標準は質量により対象ペプチドと分離されるため、ＬＣ-ＭＳＭＳで分離可能な質量差が必要である。例えば、13Ｃで６箇所標識されたLeucineを含むペプチドを用いることが好ましい。【００３６】
安定同位体標識ペプチドは、少なくとも一つのアミノ酸が安定同位元素で標識されていることが必要であり、該ペプチドは、当業者に公知の任意の方法で調製することができる。例えば、安定同位元素により標識されたアミノ酸を用いてＦ−ｍｏｃ法（Amblard M, Fehrentz JA, Martinez J, Subra G. Methods Mol Biol.298:3-24(2005)）等の適当な手段で目的の安定同位体標識ペプチドを化学合成することができる。このようにして得られた安定同位体標識ペプチドは定量対象ペプチドと標識アミノ酸の質量が異なる点以外では化学的に同一であり、ＬＣ-ＭＳＭＳを用いた測定において同一の挙動を示し、分析物と標準物の損失の程度は等しくなる。【００３７】
本発明においては、選択された定量対象ペプチド及び調製された安定同位体標識ペプチドを用いて、それぞれの所定濃度段階に対するＬＣ−ＭＳＭＳを用いた質量分析を行い、検量線を作成する。検量線の作成は、数段階の濃度の非標識ペプチドに安定同位体標識ペプチドを規定量加え、ＬＣ-ＭＳＭＳで測定することによって行う。各濃度における非標識ペプチドと安定同位体標識ペプチドのＭＳスペクトルの面積比若しくはピーク高比を算出し、検量線を作成する。非標識ペプチドの量は質量分析計の直線的な測定範囲内であることが好ましい。【００３８】
本発明においては、作成した検量線を用いて、試料細胞膜タンパク質の定量を行う。測定には、試料の被定量細胞膜タンパク質を、定量対象ペプチドを選定する工程で使用したと同じタンパク質分解酵素により断片化して得られるペプチド断片に、安定同位体標識ペプチドを添加してＬＣ−ＭＳＭＳを用いた質量分析を行い、被定量細胞膜タンパク質ペプチド／安定同位体標識ペプチドのマススペクトル面積比を算出し、該面積比から検量線を用いて、定量値を算出する。本発明の細胞膜タンパク質の定量法のフローを、図１に示す。【００３９】
本発明においては、ＬＣ−ＭＳＭＳを用い、ペプチドマルチチャネルによる定量精度の向上を図ることが好ましい。本発明においては、ＬＣ−ＭＳＭＳ分析を用い、クライテリアに基づいて選択した候補ペプチド配列について、親イオン（ｍ／ｚ）とペプチド断片イオン（ｍ／ｚ）を組み合わせた特異的測定チャネルを複数作成し、測定する。特異的測定チャネルは、５つ以上作成することが好ましい。ＭＳスペクトルとして候補ペプチドの２価イオンを選択し、ＭＳＭＳスペクトルは１価ｙイオンを質量の大きなものから順に５つ選択するのが望ましい。作成した５チャンネルを用いて対象膜タンパク質を含む試料のペプチドライブラリーをＬＣ-ＭＳＭＳ測定し、作成チャネルによる候補ペプチドのイオンピークを確認する。５チャネル中３チャンネル以上で検出時間が前後１．０秒の範囲で一致するイオンピークを目的ペプチドピークと同定する。作成した５チャンネルの質量分析測定結果を図２に示す。【００４０】
本発明は、本発明の細胞膜タンパク質の定量法を用いた、前述の本件ＡＢＣトランスポーター、本件ＳＬＣトランスポーター（グループＡ：薬物を輸送するもの及びアミノ酸配列の相同性から薬物輸送機能が推測されているもの）、本件ＳＬＣトランスポーター（グループＢ：生体内因性物質を輸送するもの及びアミノ酸配列の相同性から内因性物質輸送機能が推測されているもの）、本件ＳＬＣトランスポーター（グループＣ：輸送機能が推測されていないもの）、本件ＭＡＴＥトランスポーター、“本件の好適なトランスポーター”の定量法を包含する。【００４１】
本発明のヒトＡＢＣＧ２（ATP binding cassette transporter G2；Humann Mol. Genet. 5(10), 1649-1655, 1996、その配列はGene Bankのデーターベースに、アクセッションナンバー：NM_004827として登録されている）の質量分析による定量においては、定量対象ペプチド及び安定同位体標識ペプチドとして、本発明において選定された、アミノ酸配列が、ＥＮＬＱＦＳＡＡＬＲ（配列番号１）、ＬＡＥＩＹＶＮＳＳＦＹＫ（配列番号２）、ＬＦＤＳＬＴＬＬＡＳＧＲ（配列番号３）、ＳＳＬＬＤＶＬＡＡＲ（配列番号４）、及び、ＶＩＱＥＬＧＬＤＫ（配列番号５）のペプチドを用いて、高精度に定量を行うことができる。【００４２】
本発明のＰ−グリコプロテイン（P-glycoprotein；Medicine,Stanford University School of Medicine, Stanford, CA 94306,USA；Nature 323(6090), 728-731, 1986；Biochem. Biophys. Res. Commun. 162(1), 224-231, 1989。その配列はGene Bankのデーターベースに、アクセッションナンバー：AF016535, NM_000927, M14758として登録されている）の質量分析による定量においては、定量対象ペプチド及び安定同位体標識ペプチドとして、本発明において選定された、アミノ酸配列が、ＳＥＩＤＡＬＥＭＳＳＮＤＳＲ（配列番号６）、ＥＡＬＤＥＳＩＰＰＶＳＦＷＲ（配列番号７）、ＩＡＴＥＡＩＥＮＦＲ（配列番号８）、ＮＡＤＶＩＡＧＦＤＤＧＶＩＶＥＫ（配列番号９）、ＬＹＤＰＴＥＧＭＶＳＶＤＧＱＤＩＲ（配列番号１０）、ＩＬＬＬＤＥＡＴＳＡＬＤＴＥＳＥＡＶＶＱＶＡＬＤＫ（配列番号１１）、ＴＶＶＳＬＴＱＥＱＫ（配列番号１２）、ＳＴＶＶＱＬＬＥＲ（配列番号１３）、ＥＮＶＴＭＤＥＩＥＫ（配列番号１４）、ＮＴＴＧＡＬＴＴＲ（配列番号１５）、ＶＶＱＥＡＬＤＫ（配列番号１６）、ＦＹＤＰＬＡＧＫ（配列番号１７）、及び、ＳＴＴＶＱＬＭＱＲ（配列番号１８）のペプチドを用いて、高精度に定量を行うことができる。【００４３】
本発明のヒトＡＢＣＣ４（Curr. Opin. Genet. Dev.,5, 779-85, 1995。その配列はGene Bankのデーターベースに、アクセッションナンバー：NM_005845として登録されている）の質量分析による定量においては、定量対象ペプチド及び安定同位体標識ペプチドとして、本発明において選定された、アミノ酸配列が、ＳＱＨＬＧＥＥＬＱＧＦＷＤＫ（配列番号１９）、ＭＤＴＥＬＡＥＳＧＳＮＦＳＶＧＱＲ（、配列番号２０）、ＤＧＡＬＥＳＱＤＴＥＮＶＰＶＴＬＳＥＥＮＲ（配列番号２１）、ＩＴＩＬＶＴＨＱＬＱＹＬＫ（配列番号２２）、ＩＡＹＶＳＱＱＰＷＶＦＳＧＴＬＲ（配列番号２３）、ＩＱＴＦＬＬＬＤＥＩＳＱＲ（配列番号２４）、ＤＬＱＬＬＥＤＧＤＬＴＶＩＧＤＲ（配列番号２５）、ＭＶＨＶＱＤＦＴＡＦＷＤＫ（配列番号２６）、ＶＦＦＷＷＬＮＰＬＦＫ（配列番号２７）、ＤＮＥＥＳＥＱＰＰＶＰＧＴＰＴＬＲ（配列番号２８）、ＡＰＶＬＦＦＤＲ（配列番号２９）、ＶＡＭＺＨＭＩＹＲ（配列番号３０）、ＳＳＬＬＳＡＶＬＧＥＬＡＰＳＨＧＬＶＳＶＨＧＲ（配列番号３１）、ＴＦＳＥＳＳＶＷＳＱＱＳＳＲＰＳＬＫ（配列番号３２）、ＶＳＥＡＩＶＳＩＲ（配列番号３３）、ＳＧＩＤＦＧＳＬＬＫ（配列番号３４）、ＤＬＱＬＬＥＤＧＤＬＴＶＩＧＤＲ（配列番号３５）、及び、ＭＳＩＩＰＱＥＰＶＬＦＴＧＴＭＲ（配列番号３６）のペプチドを用いて、高精度に定量を行うことができる。【００４４】
同様に、上記被定量細胞膜タンパク質として、ヒトＡＢＣＡ１を挙げることができ、ヒトＡＢＣＡ１の測定に用いる定量対象ペプチド及び安定同位体標識ペプチドとしては、配列表の配列番号３７、配列番号３８、配列番号３９、配列番号４０、配列番号４１、配列番号４２、配列番号４３、配列番号４４、配列番号４５、配列番号４６、配列番号４７、配列番号４８、配列番号４９、配列番号５０、配列番号５１、配列番号５２、及び配列番号５３に示されるアミノ酸配列を有するペプチドから選定される１以上のペプチドを具体的に例示することができる。【００４５】
同様に、上記被定量細胞膜タンパク質として、ヒトＡＢＣＡ２を挙げることができ、ヒトＡＢＣＡ２の測定に用いる定量対象ペプチド及び安定同位体標識ペプチドとしては、配列表の配列番号５４、配列番号５５、配列番号５６、配列番号５７、配列番号５８、配列番号５９、配列番号６０、配列番号６１、配列番号６２、配列番号６３、配列番号６４、配列番号６５、配列番号６６、配列番号６７、配列番号６８、配列番号６９、配列番号７０、配列番号７１、配列番号７２、配列番号７３、配列番号７４、及び配列番号７５に示されるアミノ酸配列を有するペプチドから選定される１以上のペプチドを具体的に例示することができる。【００４６】
同様に、上記被定量細胞膜タンパク質として、ヒトＡＢＣＡ３を挙げることができ、ヒトＡＢＣＡ３の測定に用いる定量対象ペプチド及び安定同位体標識ペプチドとしては、配列表の配列番号７６、配列番号７７、配列番号７８、配列番号７９、配列番号８０、配列番号８１、配列番号８２、配列番号８３、配列番号８４、配列番号８５、配列番号８６、配列番号８７、配列番号８８、配列番号８９、配列番号９０、配列番号９１、及び配列番号９２に示されるアミノ酸配列を有するペプチドから選定される１以上のペプチドを具体的に例示することができる。【００４７】
同様に、上記被定量細胞膜タンパク質として、ヒトＡＢＣＡ４を挙げることができ、ヒトＡＢＣＡ４の測定に用いる定量対象ペプチド及び安定同位体標識ペプチドとしては、配列表の配列番号９３、配列番号９４、配列番号９５、配列番号９６、配列番号９７、配列番号９８、配列番号９９、配列番号１００、配列番号１０１、配列番号１０２、配列番号１０３、配列番号１０４、及び配列番号１０５に示されるアミノ酸配列を有するペプチドから選定される１以上のペプチドを具体的に例示することができる。【００４８】
同様に、上記被定量細胞膜タンパク質として、ヒトＡＢＣＡ５を挙げることができ、ヒトＡＢＣＡ５の測定に用いる定量対象ペプチド及び安定同位体標識ペプチドとしては、配列表の配列番号１０６、配列番号１０７、配列番号１０８、配列番号１０９、配列番号１１０、配列番号１１１、配列番号１１２、配列番号１１３、配列番号１１４、及び配列番号１１５に示されるアミノ酸配列を有するペプチドから選定される１以上のペプチドを具体的に例示することができる。【００４９】
同様に、上記被定量細胞膜タンパク質として、ヒトＡＢＣＡ６を挙げることができ、ヒトＡＢＣＡ６の測定に用いる定量対象ペプチド及び安定同位体標識ペプチドとしては、配列表の配列番号１１６、配列番号１１７、配列番号１１８、配列番号１１９、配列番号１２０、配列番号１２１、配列番号１２２、配列番号１２３、配列番号１２４、配列番号１２５、配列番号１２５、配列番号１２６、配列番号１２７、配列番号１２８、配列番号１２９、配列番号１３０、配列番号１３１、配列番号１３２、及び配列番号１３３に示されるアミノ酸配列を有するペプチドから選定される１以上のペプチドを具体的に例示することができる。【００５０】
同様に、上記被定量細胞膜タンパク質として、ヒトＡＢＣＡ７を挙げることができ、ヒトＡＢＣＡ７の測定に用いる定量対象ペプチド及び安定同位体標識ペプチドとしては、配列表の配列番号１３４に示されるアミノ酸配列を有するペプチドから選定される１以上のペプチドを具体的に例示することができる。【００５１】
同様に、上記被定量細胞膜タンパク質として、ヒトＡＢＣＡ８を挙げることができ、ヒトＡＢＣＡ８の測定に用いる定量対象ペプチド及び安定同位体標識ペプチドとしては、配列表の配列番号１３５に示されるアミノ酸配列を有するペプチドから選定される１以上のペプチドを具体的に例示することができる。【００５２】
同様に、上記被定量細胞膜タンパク質として、ヒトＡＢＣＡ９を挙げることができ、ヒトＡＢＣＡ９の測定に用いる定量対象ペプチド及び安定同位体標識ペプチドとしては、配列表の配列番号１３６に示されるアミノ酸配列を有するペプチドから選定される１以上のペプチドを具体的に例示することができる。【００５３】
同様に、上記被定量細胞膜タンパク質として、ヒトＡＢＣＡ１０を挙げることができ、ヒトＡＢＣＡ１０の測定に用いる定量対象ペプチド及び安定同位体標識ペプチドとしては、配列表の配列番号１３７に示されるアミノ酸配列を有するペプチドから選定される１以上のペプチドを具体的に例示することができる。【００５４】
同様に、上記被定量細胞膜タンパク質として、ヒトＡＢＣＡ１２を挙げることができ、ヒトＡＢＣＡ１２の測定に用いる定量対象ペプチド及び安定同位体標識ペプチドとしては、配列表の配列番号１３８に示されるアミノ酸配列を有するペプチドから選定される１以上のペプチドを具体的に例示することができる。【００５５】
同様に、上記被定量細胞膜タンパク質として、ヒトＡＢＣＡ１３を挙げることができ、ヒトＡＢＣＡ１３の測定に用いる定量対象ペプチド及び安定同位体標識ペプチドとしては、配列表の配列番号１３９に示されるアミノ酸配列を有するペプチドから選定される１以上のペプチドを具体的に例示することができる。【００５６】
同様に、上記被定量細胞膜タンパク質として、ヒトＡＢＣＢ１を挙げることができ、ヒトＡＢＣＢ１の測定に用いる定量対象ペプチド及び安定同位体標識ペプチドとしては、配列表の配列番号１４０に示されるアミノ酸配列を有するペプチドから選定される１以上のペプチドを具体的に例示することができる。【００５７】
同様に、上記被定量細胞膜タンパク質として、ヒトＡＢＣＢ４を挙げることができ、ヒトＡＢＣＢ４の測定に用いる定量対象ペプチド及び安定同位体標識ペプチドとしては、配列表の配列番号１４１に示されるアミノ酸配列を有するペプチドから選定される１以上のペプチドを具体的に例示することができる。【００５８】
同様に、上記被定量細胞膜タンパク質として、ヒトＡＢＣＢ５を挙げることができ、ヒトＡＢＣＢ５の測定に用いる定量対象ペプチド及び安定同位体標識ペプチドとしては、配列表の配列番号１４２に示されるアミノ酸配列を有するペプチドから選定される１以上のペプチドを具体的に例示することができる。【００５９】
同様に、上記被定量細胞膜タンパク質として、ヒトＡＢＣＢ１１を挙げることができ、ヒトＡＢＣＢ１１の測定に用いる定量対象ペプチド及び安定同位体標識ペプチドとしては、配列表の配列番号１４３に示されるアミノ酸配列を有するペプチドから選定される１以上のペプチドを具体的に例示することができる。【００６０】
同様に、上記被定量細胞膜タンパク質として、ヒトＡＢＣＣ１を挙げることができ、ヒトＡＢＣＣ１の測定に用いる定量対象ペプチド及び安定同位体標識ペプチドとしては、配列表の配列番号１４４、配列番号１４５、配列番号１４６、配列番号１４７、配列番号１４８、配列番号１４９、配列番号１５０、配列番号１５１、配列番号１５２、配列番号１５３、配列番号１５４、配列番号１５５、配列番号１５６、配列番号１５７、及び配列番号１５８に示されるアミノ酸配列を有するペプチドから選定される１以上のペプチドを具体的に例示することができる。【００６１】
同様に、上記被定量細胞膜タンパク質として、ヒトＡＢＣＣ２を挙げることができ、ヒトＡＢＣＣ２の測定に用いる定量対象ペプチド及び安定同位体標識ペプチドとしては、配列表の配列番号１５９、配列番号１６０、配列番号１６１、配列番号１６２、配列番号１６３、配列番号１６４、配列番号１６５、配列番号１６６、配列番号１６７、配列番号１６８、配列番号１６９、配列番号１７０、配列番号１７１、及び配列番号１７２に示されるアミノ酸配列を有するペプチドから選定される１以上のペプチドを具体的に例示することができる。【００６２】
同様に、上記被定量細胞膜タンパク質として、ヒトＡＢＣＣ３を挙げることができ、ヒトＡＢＣＣ３の測定に用いる定量対象ペプチド及び安定同位体標識ペプチドとしては、配列表の配列番号１７３、配列番号１７４、配列番号１７５、配列番号１７６、配列番号１７７、配列番号１７８、配列番号１７９、配列番号１８０、配列番号１８１、配列番号１８２、配列番号１８３、配列番号１８４、配列番号１８５、及び配列番号１８６に示されるアミノ酸配列を有するペプチドから選定される１以上のペプチドを具体的に例示することができる。【００６３】
同様に、上記被定量細胞膜タンパク質として、ヒトＡＢＣＣ５を挙げることができ、ヒトＡＢＣＣ５の測定に用いる定量対象ペプチド及び安定同位体標識ペプチドとしては、配列表の配列番号１８７に示されるアミノ酸配列を有するペプチドから選定される１以上のペプチドを具体的に例示することができる。【００６４】
同様に、上記被定量細胞膜タンパク質として、ヒトＡＢＣＣ６を挙げることができ、ヒトＡＢＣＣ６の測定に用いる定量対象ペプチド及び安定同位体標識ペプチドとしては、配列表の配列番号１８８、配列番号１８９、配列番号１９０、配列番号１９１、配列番号１９２、配列番号１９３、配列番号１９４、配列番号１９５、配列番号１９６、配列番号１９７、配列番号１９８、配列番号１９９、配列番号２００、配列番号２０１、配列番号２０２、配列番号２０３、及び配列番号２０４に示されるアミノ酸配列を有するペプチドから選定される１以上のペプチドを具体的に例示することができる。【００６５】
同様に、上記被定量細胞膜タンパク質として、ヒトＡＢＣＣ７を挙げることができ、ヒトＡＢＣＣ７の測定に用いる定量対象ペプチド及び安定同位体標識ペプチドとしては、配列表の配列番号２０５、配列番号２０６、配列番号２０７、配列番号２０８、配列番号２０９、配列番号２１０、配列番号２１１、配列番号２１２、配列番号２１２、配列番号２１３、及び配列番号２１４に示されるアミノ酸配列を有するペプチドから選定される１以上のペプチドを具体的に例示することができる。【００６６】
同様に、上記被定量細胞膜タンパク質として、ヒトＡＢＣＣ８を挙げることができ、ヒトＡＢＣＣ８の測定に用いる定量対象ペプチド及び安定同位体標識ペプチドとしては、配列表の配列番号２１５、配列番号２１６、配列番号２１７、配列番号２１８、配列番号２１９、配列番号２２０、配列番号２２１、配列番号２２２、配列番号２２３、及び配列番号２２４に示されるアミノ酸配列を有するペプチドから選定される１以上のペプチドを具体的に例示することができる。【００６７】
同様に、上記被定量細胞膜タンパク質として、ヒトＡＢＣＣ９を挙げることができ、ヒトＡＢＣＣ９の測定に用いる定量対象ペプチド及び安定同位体標識ペプチドとしては、配列表の配列番号２２５、配列番号２２６、配列番号２２７、配列番号２２８、配列番号２２９、配列番号２３０、配列番号２３１、及び配列番号２３２に示されるアミノ酸配列を有するペプチドから選定される１以上のペプチドを具体的に例示することができる。【００６８】
同様に、上記被定量細胞膜タンパク質として、ヒトＡＢＣＣ１０を挙げることができ、ヒトＡＢＣＣ１０の測定に用いる定量対象ペプチド及び安定同位体標識ペプチドとしては、配列表の配列番号２３３、配列番号２３４、配列番号２３５、配列番号２３６、配列番号２３７、配列番号２３８、配列番号２３９、配列番号２４０、配列番号２４１、配列番号２４２、配列番号２４３、配列番号２４４、配列番号２４５、及び配列番号２４６配列番号２４７、配列番号２４８、配列番号２４９、配列番号２５０、配列番号２５１、配列番号２５２、配列番号２５３、配列番号２５４、及び配列番号２５５に示されるアミノ酸配列を有するペプチドから選定される１以上のペプチドを具体的に例示することができる。【００６９】
同様に、上記被定量細胞膜タンパク質として、ヒトＡＢＣＣ１１を挙げることができ、ヒトＡＢＣＣ１１の測定に用いる定量対象ペプチド及び安定同位体標識ペプチドとしては、配列表の配列番号２５６、配列番号２５７、配列番号２５８、配列番号２５９、配列番号２６０、配列番号２６１、配列番号２６２、配列番号２６３、配列番号２６４、配列番号２６５、配列番号２６６、及び配列番号２６７に示されるアミノ酸配列を有するペプチドから選定される１以上のペプチドを具体的に例示することができる。【００７０】
同様に、上記被定量細胞膜タンパク質として、ヒトＡＢＣＣ１２を挙げることができ、ヒトＡＢＣＣ１２の測定に用いる定量対象ペプチド及び安定同位体標識ペプチドとしては、配列表の配列番号２６８、及び配列番号２６９に示されるアミノ酸配列を有するペプチドから選定される１以上のペプチドを具体的に例示することができる。【００７１】
同様に、上記被定量細胞膜タンパク質として、ヒトＡＢＣＣ１３を挙げることができ、ヒトＡＢＣＣ１３の測定に用いる定量対象ペプチド及び安定同位体標識ペプチドとしては、配列表の配列番号２７０に示されるアミノ酸配列を有するペプチドから選定される１以上のペプチドを具体的に例示することができる。【００７２】
同様に、上記被定量細胞膜タンパク質として、ヒトＡＢＣＧ１を挙げることができ、ヒトＡＢＣＧ１の測定に用いる定量対象ペプチド及び安定同位体標識ペプチドとしては、配列番号２７１、配列番号２７２、配列番号２７３、配列番号２７４、及び配列番号２７５に示されるアミノ酸配列を有するペプチドから選定される１以上のペプチドを具体的に例示することができる。【００７３】
同様に、上記被定量細胞膜タンパク質として、ヒトＡＢＣＧ４を挙げることができ、ヒトＡＢＣＧ４の測定に用いる定量対象ペプチド及び安定同位体標識ペプチドとしては、配列表の配列番号２７６、配列番号２７７、及び配列番号２７８に示されるアミノ酸配列を有するペプチドから選定される１以上のペプチドを具体的に例示することができる。【００７４】
同様に、上記被定量細胞膜タンパク質として、ヒトＡＢＣＧ５を挙げることができ、ヒトＡＢＣＧ５の測定に用いる定量対象ペプチド及び安定同位体標識ペプチドとしては、配列表の配列番号２７９、配列番号２８０、配列番号２８１、配列番号２８２、及び配列番号２８３に示されるアミノ酸配列を有するペプチドから選定される１以上のペプチドを具体的に例示することができる。【００７５】
同様に、上記被定量細胞膜タンパク質として、ヒトＡＢＣＧ８を挙げることができ、ヒトＡＢＣＧ８の測定に用いる定量対象ペプチド及び安定同位体標識ペプチドとしては、配列表の配列番号２８４に示されるアミノ酸配列を有するペプチドから選定される１以上のペプチドを具体的に例示することができる。【００７６】
同様に、上記被定量細胞膜タンパク質として、ヒトＳＬＣ１０Ａ１を挙げることができ、ヒトＳＬＣ１０Ａ１の測定に用いる定量対象ペプチド及び安定同位体標識ペプチドとしては、配列表の配列番号２８５に示されるアミノ酸配列を有するペプチドから選定される１以上のペプチドを具体的に例示することができる。【００７７】
同様に、上記被定量細胞膜タンパク質として、ヒトＳＬＣ１５Ａ１を挙げることができ、ヒトＳＬＣ１５Ａ１の測定に用いる定量対象ペプチド及び安定同位体標識ペプチドとしては、配列表の配列番号２８６に示されるアミノ酸配列を有するペプチドから選定される１以上のペプチドを具体的に例示することができる。【００７８】
同様に、上記被定量細胞膜タンパク質として、ヒトＳＬＣ１５Ａ２を挙げることができ、ヒトＳＬＣ１５Ａ２の測定に用いる定量対象ペプチド及び安定同位体標識ペプチドとしては、配列表の配列番号２８７に示されるアミノ酸配列を有するペプチドから選定される１以上のペプチドを具体的に例示することができる。【００７９】
同様に、上記被定量細胞膜タンパク質として、ヒトＳＬＣ１６Ａ１を挙げることができ、ヒトＳＬＣ１６Ａ１の測定に用いる定量対象ペプチド及び安定同位体標識ペプチドとしては、配列表の配列番号２８８に示されるアミノ酸配列を有するペプチドから選定される１以上のペプチドを具体的に例示することができる。【００８０】
同様に、上記被定量細胞膜タンパク質として、ヒトＳＬＣ１６Ａ７を挙げることができ、ヒトＳＬＣ１６Ａ７の測定に用いる定量対象ペプチド及び安定同位体標識ペプチドとしては、配列表の配列番号２８９に示されるアミノ酸配列を有するペプチドから選定される１以上のペプチドを具体的に例示することができる。【００８１】
同様に、上記被定量細胞膜タンパク質として、ヒトＳＬＣ２１Ａ２を挙げることができ、ヒトＳＬＣ２１Ａ２の測定に用いる定量対象ペプチド及び安定同位体標識ペプチドとしては、配列表の配列番号２９０に示されるアミノ酸配列を有するペプチドから選定される１以上のペプチドを具体的に例示することができる。【００８２】
同様に、上記被定量細胞膜タンパク質として、ヒトＳＬＣ２１Ａ３を挙げることができ、ヒトＳＬＣ２１Ａ３の測定に用いる定量対象ペプチド及び安定同位体標識ペプチドとしては、配列表の配列番号２９１に示されるアミノ酸配列を有するペプチドから選定される１以上のペプチドを具体的に例示することができる。【００８３】
同様に、上記被定量細胞膜タンパク質として、ヒトＳＬＣ２１Ａ６を挙げることができ、ヒトＳＬＣ２１Ａ６の測定に用いる定量対象ペプチド及び安定同位体標識ペプチドとしては、配列表の配列番号２９２に示されるアミノ酸配列を有するペプチドから選定される１以上のペプチドを具体的に例示することができる。【００８４】
同様に、上記被定量細胞膜タンパク質として、ヒトＳＬＣ２１Ａ８を挙げることができ、ヒトＳＬＣ２１Ａ８の測定に用いる定量対象ペプチド及び安定同位体標識ペプチドとしては、配列表の配列番号２９３に示されるアミノ酸配列を有するペプチドから選定される１以上のペプチドを具体的に例示することができる。【００８５】
同様に、上記被定量細胞膜タンパク質として、ヒトＳＬＣ２１Ａ９を挙げることができ、ヒトＳＬＣ２１Ａ９の測定に用いる定量対象ペプチド及び安定同位体標識ペプチドとしては、配列表の配列番号２９４に示されるアミノ酸配列を有するペプチドから選定される１以上のペプチドを具体的に例示することができる。【００８６】
同様に、上記被定量細胞膜タンパク質として、ヒトＳＬＣ２１Ａ１１を挙げることができ、ヒトＳＬＣ２１Ａ１１の測定に用いる定量対象ペプチド及び安定同位体標識ペプチドとしては、配列表の配列番号２９５に示されるアミノ酸配列を有するペプチドから選定される１以上のペプチドを具体的に例示することができる。【００８７】
同様に、上記被定量細胞膜タンパク質として、ヒトＳＬＣ２１Ａ１２を挙げることができ、ヒトＳＬＣ２１Ａ１２の測定に用いる定量対象ペプチド及び安定同位体標識ペプチドとしては、配列表の配列番号２９６に示されるアミノ酸配列を有するペプチドから選定される１以上のペプチドを具体的に例示することができる。【００８８】
同様に、上記被定量細胞膜タンパク質として、ヒトＳＬＣ２１Ａ１４を挙げることができ、ヒトＳＬＣ２１Ａ１４の測定に用いる定量対象ペプチド及び安定同位体標識ペプチドとしては、配列表の配列番号２９７に示されるアミノ酸配列を有するペプチドから選定される１以上のペプチドを具体的に例示することができる。【００８９】
同様に、上記被定量細胞膜タンパク質として、ヒトＳＬＣ２１Ａ１５を挙げることができ、ヒトＳＬＣ２１Ａ１５の測定に用いる定量対象ペプチド及び安定同位体標識ペプチドとしては、配列表の配列番号２９８に示されるアミノ酸配列を有するペプチドから選定される１以上のペプチドを具体的に例示することができる。【００９０】
同様に、上記被定量細胞膜タンパク質として、ヒトＳＬＣ２１Ａ１９を挙げることができ、ヒトＳＬＣ２１Ａ１９の測定に用いる定量対象ペプチド及び安定同位体標識ペプチドとしては、配列表の配列番号２９９に示されるアミノ酸配列を有するペプチドから選定される１以上のペプチドを具体的に例示することができる。【００９１】
同様に、上記被定量細胞膜タンパク質として、ヒトＳＬＣ２１Ａ２０を挙げることができ、ヒトＳＬＣ２１Ａ２０の測定に用いる定量対象ペプチド及び安定同位体標識ペプチドとしては、配列表の配列番号３００に示されるアミノ酸配列を有するペプチドから選定される１以上のペプチドを具体的に例示することができる。【００９２】
同様に、上記被定量細胞膜タンパク質として、ヒトＳＬＣ２２Ａ１を挙げることができ、ヒトＳＬＣ２２Ａ１の測定に用いる定量対象ペプチド及び安定同位体標識ペプチドとしては、配列表の配列番号３０１に示されるアミノ酸配列を有するペプチドから選定される１以上のペプチドを具体的に例示することができる。【００９３】
同様に、上記被定量細胞膜タンパク質として、ヒトＳＬＣ２２Ａ２を挙げることができ、ヒトＳＬＣ２２Ａ２の測定に用いる定量対象ペプチド及び安定同位体標識ペプチドとしては、配列表の配列番号３０２に示されるアミノ酸配列を有するペプチドから選定される１以上のペプチドを具体的に例示することができる。【００９４】
同様に、上記被定量細胞膜タンパク質として、ヒトＳＬＣ２２Ａ３を挙げることができ、ヒトＳＬＣ２２Ａ３の測定に用いる定量対象ペプチド及び安定同位体標識ペプチドとしては、配列表の配列番号３０３に示されるアミノ酸配列を有するペプチドから選定される１以上のペプチドを具体的に例示することができる。【００９５】
同様に、上記被定量細胞膜タンパク質として、ヒトＳＬＣ２２Ａ４を挙げることができ、ヒトＳＬＣ２２Ａ４の測定に用いる定量対象ペプチド及び安定同位体標識ペプチドとしては、配列表の配列番号３０４に示されるアミノ酸配列を有するペプチドから選定される１以上のペプチドを具体的に例示することができる。【００９６】
同様に、上記被定量細胞膜タンパク質として、ヒトＳＬＣ２２Ａ５を挙げることができ、ヒトＳＬＣ２２Ａ５の測定に用いる定量対象ペプチド及び安定同位体標識ペプチドとしては、配列表の配列番号３０５に示されるアミノ酸配列を有するペプチドから選定される１以上のペプチドを具体的に例示することができる。【００９７】
同様に、上記被定量細胞膜タンパク質として、ヒトＳＬＣ２２Ａ６を挙げることができ、ヒトＳＬＣ２２Ａ６の測定に用いる定量対象ペプチド及び安定同位体標識ペプチドとしては、配列表の配列番号３０６に示されるアミノ酸配列を有するペプチドから選定される１以上のペプチドを具体的に例示することができる。【００９８】
同様に、上記被定量細胞膜タンパク質として、ヒトＳＬＣ２２Ａ７を挙げることができ、ヒトＳＬＣ２２Ａ７の測定に用いる定量対象ペプチド及び安定同位体標識ペプチドとしては、配列表の配列番号３０７に示されるアミノ酸配列を有するペプチドから選定される１以上のペプチドを具体的に例示することができる。【００９９】
同様に、上記被定量細胞膜タンパク質として、ヒトＳＬＣ２２Ａ８を挙げることができ、ヒトＳＬＣ２２Ａ８の測定に用いる定量対象ペプチド及び安定同位体標識ペプチドとしては、配列表の配列番号３０８に示されるアミノ酸配列を有するペプチドから選定される１以上のペプチドを具体的に例示することができる。【０１００】
同様に、上記被定量細胞膜タンパク質として、ヒトＳＬＣ２２Ａ９を挙げることができ、ヒトＳＬＣ２２Ａ９の測定に用いる定量対象ペプチド及び安定同位体標識ペプチドとしては、配列表の配列番号３０９に示されるアミノ酸配列を有するペプチドから選定される１以上のペプチドを具体的に例示することができる。【０１０１】
同様に、上記被定量細胞膜タンパク質として、ヒトＳＬＣ２２Ａ１０を挙げることができ、ヒトＳＬＣ２２Ａ１０の測定に用いる定量対象ペプチド及び安定同位体標識ペプチドとしては、配列表の配列番号３１０に示されるアミノ酸配列を有するペプチドから選定される１以上のペプチドを具体的に例示することができる。【０１０２】
同様に、上記被定量細胞膜タンパク質として、ヒトＳＬＣ２２Ａ１１を挙げることができ、ヒトＳＬＣ２２Ａ１１の測定に用いる定量対象ペプチド及び安定同位体標識ペプチドとしては、配列表の配列番号３１１に示されるアミノ酸配列を有するペプチドから選定される１以上のペプチドを具体的に例示することができる。【０１０３】
同様に、上記被定量細胞膜タンパク質として、ヒトＳＬＣ２２Ａ１２を挙げることができ、ヒトＳＬＣ２２Ａ１２の測定に用いる定量対象ペプチド及び安定同位体標識ペプチドとしては、配列表の配列番号３１２に示されるアミノ酸配列を有するペプチドから選定される１以上のペプチドを具体的に例示することができる。【０１０４】
同様に、上記被定量細胞膜タンパク質として、ヒトＳＬＣ２２Ａ１３を挙げることができ、ヒトＳＬＣ２２Ａ１３の測定に用いる定量対象ペプチド及び安定同位体標識ペプチドとしては、配列表の配列番号３１３に示されるアミノ酸配列を有するペプチドから選定される１以上のペプチドを具体的に例示することができる。【０１０５】
同様に、上記被定量細胞膜タンパク質として、ヒトＳＬＣ２２Ａ１４を挙げることができ、ヒトＳＬＣ２２Ａ１４の測定に用いる定量対象ペプチド及び安定同位体標識ペプチドとしては、配列表の配列番号３１４に示されるアミノ酸配列を有するペプチドから選定される１以上のペプチドを具体的に例示することができる。【０１０６】
同様に、上記被定量細胞膜タンパク質として、ヒトＳＬＣ２２Ａ１５を挙げることができ、ヒトＳＬＣ２２Ａ１５の測定に用いる定量対象ペプチド及び安定同位体標識ペプチドとしては、配列表の配列番号３１５に示されるアミノ酸配列を有するペプチドから選定される１以上のペプチドを具体的に例示することができる。【０１０７】
同様に、上記被定量細胞膜タンパク質として、ヒトＳＬＣ２２Ａ１６を挙げることができ、ヒトＳＬＣ２２Ａ１６の測定に用いる定量対象ペプチド及び安定同位体標識ペプチドとしては、配列表の配列番号３１６に示されるアミノ酸配列を有するペプチドから選定される１以上のペプチドを具体的に例示することができる。【０１０８】
同様に、上記被定量細胞膜タンパク質として、ヒトＳＬＣ２２Ａ１７を挙げることができ、ヒトＳＬＣ２２Ａ１７の測定に用いる定量対象ペプチド及び安定同位体標識ペプチドとしては、配列表の配列番号３１７に示されるアミノ酸配列を有するペプチドから選定される１以上のペプチドを具体的に例示することができる。【０１０９】
同様に、上記被定量細胞膜タンパク質として、ヒトＳＬＣ２２Ａ１８を挙げることができ、ヒトＳＬＣ２２Ａ１８の測定に用いる定量対象ペプチド及び安定同位体標識ペプチドとしては、配列表の配列番号３１８に示されるアミノ酸配列を有するペプチドから選定される１以上のペプチドを具体的に例示することができる。【０１１０】
同様に、上記被定量細胞膜タンパク質として、ヒトＳＬＣ２９Ａ１を挙げることができ、ヒトＳＬＣ２９Ａ１の測定に用いる定量対象ペプチド及び安定同位体標識ペプチドとしては、配列表の配列番号３１９に示されるアミノ酸配列を有するペプチドから選定される１以上のペプチドを具体的に例示することができる。【０１１１】
同様に、上記被定量細胞膜タンパク質として、ヒトＳＬＣ２９Ａ２を挙げることができ、ヒトＳＬＣ２９Ａ２の測定に用いる定量対象ペプチド及び安定同位体標識ペプチドとしては、配列表の配列番号３２０に示されるアミノ酸配列を有するペプチドから選定される１以上のペプチドを具体的に例示することができる。【０１１２】
同様に、上記被定量細胞膜タンパク質として、ヒトＳＬＣ２８Ａ１を挙げることができ、ヒトＳＬＣ２８Ａ１の測定に用いる定量対象ペプチド及び安定同位体標識ペプチドとしては、配列表の配列番号３２１に示されるアミノ酸配列を有するペプチドから選定される１以上のペプチドを具体的に例示することができる。【０１１３】
同様に、上記被定量細胞膜タンパク質として、ヒトＳＬＣ２８Ａ３を挙げることができ、ヒトＳＬＣ２８Ａ３の測定に用いる定量対象ペプチド及び安定同位体標識ペプチドとしては、配列表の配列番号３２２に示されるアミノ酸配列を有するペプチドから選定される１以上のペプチドを具体的に例示することができる。【０１１４】
同様に、上記被定量細胞膜タンパク質として、ヒトＳＬＣ１９Ａ１を挙げることができ、ヒトＳＬＣ１９Ａ１の測定に用いる定量対象ペプチド及び安定同位体標識ペプチドとしては、配列表の配列番号３２３に示されるアミノ酸配列を有するペプチドから選定される１以上のペプチドを具体的に例示することができる。【０１１５】
同様に、上記被定量細胞膜タンパク質として、ヒトＳＬＣ１Ａ１を挙げることができ、ヒトＳＬＣ１Ａ１の測定に用いる定量対象ペプチド及び安定同位体標識ペプチドとしては、配列表の配列番号３２４に示されるアミノ酸配列を有するペプチドから選定される１以上のペプチドを具体的に例示することができる。【０１１６】
同様に、上記被定量細胞膜タンパク質として、ヒトＳＬＣ１Ａ２を挙げることができ、ヒトＳＬＣ１Ａ２の測定に用いる定量対象ペプチド及び安定同位体標識ペプチドとしては、配列表の配列番号３２５に示されるアミノ酸配列を有するペプチドから選定される１以上のペプチドを具体的に例示することができる。【０１１７】
同様に、上記被定量細胞膜タンパク質として、ヒトＳＬＣ１Ａ３を挙げることができ、ヒトＳＬＣ１Ａ３の測定に用いる定量対象ペプチド及び安定同位体標識ペプチドとしては、配列表の配列番号３２６に示されるアミノ酸配列を有するペプチドから選定される１以上のペプチドを具体的に例示することができる。【０１１８】
同様に、上記被定量細胞膜タンパク質として、ヒトＳＬＣ１Ａ４を挙げることができ、ヒトＳＬＣ１Ａ４の測定に用いる定量対象ペプチド及び安定同位体標識ペプチドとしては、配列表の配列番号３２７に示されるアミノ酸配列を有するペプチドから選定される１以上のペプチドを具体的に例示することができる。【０１１９】
同様に、上記被定量細胞膜タンパク質として、ヒトＳＬＣ１Ａ５を挙げることができ、ヒトＳＬＣ１Ａ５の測定に用いる定量対象ペプチド及び安定同位体標識ペプチドとしては、配列表の配列番号３２８に示されるアミノ酸配列を有するペプチドから選定される１以上のペプチドを具体的に例示することができる。【０１２０】
同様に、上記被定量細胞膜タンパク質として、ヒトＳＬＣ１Ａ６を挙げることができ、ヒトＳＬＣ１Ａ６の測定に用いる定量対象ペプチド及び安定同位体標識ペプチドとしては、配列表の配列番号３２９に示されるアミノ酸配列を有するペプチドから選定される１以上のペプチドを具体的に例示することができる。【０１２１】
同様に、上記被定量細胞膜タンパク質として、ヒトＳＬＣ１Ａ７を挙げることができ、ヒトＳＬＣ１Ａ７の測定に用いる定量対象ペプチド及び安定同位体標識ペプチドとしては、配列表の配列番号３３０に示されるアミノ酸配列を有するペプチドから選定される１以上のペプチドを具体的に例示することができる。【０１２２】
同様に、上記被定量細胞膜タンパク質として、ヒトＳＬＣ２Ａ１を挙げることができ、ヒトＳＬＣ２Ａ１の測定に用いる定量対象ペプチド及び安定同位体標識ペプチドとしては、配列表の配列番号３３１に示されるアミノ酸配列を有するペプチドから選定される１以上のペプチドを具体的に例示することができる。【０１２３】
同様に、上記被定量細胞膜タンパク質として、ヒトＳＬＣ６Ａ１２を挙げることができ、ヒトＳＬＣ６Ａ１２の測定に用いる定量対象ペプチド及び安定同位体標識ペプチドとしては、配列表の配列番号３３２に示されるアミノ酸配列を有するペプチドから選定される１以上のペプチドを具体的に例示することができる。【０１２４】
同様に、上記被定量細胞膜タンパク質として、ヒトＳＬＣ７Ａ５を挙げることができ、ヒトＳＬＣ７Ａ５の測定に用いる定量対象ペプチド及び安定同位体標識ペプチドとしては、配列表の配列番号３３３に示されるアミノ酸配列を有するペプチドから選定される１以上のペプチドを具体的に例示することができる。【０１２５】
同様に、上記被定量細胞膜タンパク質として、ヒトＳＬＣ１７Ａ１を挙げることができ、ヒトＳＬＣ１７Ａ１の測定に用いる定量対象ペプチド及び安定同位体標識ペプチドとしては、配列表の配列番号３３４に示されるアミノ酸配列を有するペプチドから選定される１以上のペプチドを具体的に例示することができる。【０１２６】
同様に、上記被定量細胞膜タンパク質として、ヒトＳＬＣ１７Ａ２を挙げることができ、ヒトＳＬＣ１７Ａ２の測定に用いる定量対象ペプチド及び安定同位体標識ペプチドとしては、配列表の配列番号３３５に示されるアミノ酸配列を有するペプチドから選定される１以上のペプチドを具体的に例示することができる。【０１２７】
同様に、上記被定量細胞膜タンパク質として、ヒトＳＬＣ１７Ａ３を挙げることができ、ヒトＳＬＣ１７Ａ３の測定に用いる定量対象ペプチド及び安定同位体標識ペプチドとしては、配列表の配列番号３３６に示されるアミノ酸配列を有するペプチドから選定される１以上のペプチドを具体的に例示することができる。【０１２８】
同様に、上記被定量細胞膜タンパク質として、ヒトＳＬＣ１７Ａ４を挙げることができ、ヒトＳＬＣ１７Ａ４の測定に用いる定量対象ペプチド及び安定同位体標識ペプチドとしては、配列表の配列番号３３７に示されるアミノ酸配列を有するペプチドから選定される１以上のペプチドを具体的に例示することができる。【０１２９】
同様に、上記被定量細胞膜タンパク質として、ヒトＳＬＣ１７Ａ５を挙げることができ、ヒトＳＬＣ１７Ａ５の測定に用いる定量対象ペプチド及び安定同位体標識ペプチドとしては、配列表の配列番号３３８に示されるアミノ酸配列を有するペプチドから選定される１以上のペプチドを具体的に例示することができる。【０１３０】
同様に、上記被定量細胞膜タンパク質として、ヒトＳＬＣ１７Ａ６を挙げることができ、ヒトＳＬＣ１７Ａ６の測定に用いる定量対象ペプチド及び安定同位体標識ペプチドとしては、配列表の配列番号３３９に示されるアミノ酸配列を有するペプチドから選定される１以上のペプチドを具体的に例示することができる。【０１３１】
同様に、上記被定量細胞膜タンパク質として、ヒトＳＬＣ１７Ａ７を挙げることができ、ヒトＳＬＣ１７Ａ７の測定に用いる定量対象ペプチド及び安定同位体標識ペプチドとしては、配列表の配列番号３４０に示されるアミノ酸配列を有するペプチドから選定される１以上のペプチドを具体的に例示することができる。【０１３２】
同様に、上記被定量細胞膜タンパク質として、ヒトＳＬＣ１７Ａ８を挙げることができ、ヒトＳＬＣ１７Ａ８の測定に用いる定量対象ペプチド及び安定同位体標識ペプチドとしては、配列表の配列番号３４１に示されるアミノ酸配列を有するペプチドから選定される１以上のペプチドを具体的に例示することができる。【０１３３】
同様に、上記被定量細胞膜タンパク質として、ヒトＳＬＣ２９Ａ４を挙げることができ、ヒトＳＬＣ２９Ａ４の測定に用いる定量対象ペプチド及び安定同位体標識ペプチドとしては、配列表の配列番号３４２に示されるアミノ酸配列を有するペプチドから選定される１以上のペプチドを具体的に例示することができる。【０１３４】
同様に、上記被定量細胞膜タンパク質として、ヒトＳＬＣ４４Ａ１を挙げることができ、ヒトＳＬＣ４４Ａ１の測定に用いる定量対象ペプチド及び安定同位体標識ペプチドとしては、配列表の配列番号３４３に示されるアミノ酸配列を有するペプチドから選定される１以上のペプチドを具体的に例示することができる。【０１３５】
同様に、上記被定量細胞膜タンパク質として、ヒトＳＬＣ４４Ａ２を挙げることができ、ヒトＳＬＣ４４Ａ２の測定に用いる定量対象ペプチド及び安定同位体標識ペプチドとしては、配列表の配列番号３４４に示されるアミノ酸配列を有するペプチドから選定される１以上のペプチドを具体的に例示することができる。【０１３６】
同様に、上記被定量細胞膜タンパク質として、ヒトＳＬＣ４４Ａ３を挙げることができ、ヒトＳＬＣ４４Ａ３の測定に用いる定量対象ペプチド及び安定同位体標識ペプチドとしては、配列表の配列番号３４５に示されるアミノ酸配列を有するペプチドから選定される１以上のペプチドを具体的に例示することができる。【０１３７】
同様に、上記被定量細胞膜タンパク質として、ヒトＳＬＣ４４Ａ４を挙げることができ、ヒトＳＬＣ４４Ａ４の測定に用いる定量対象ペプチド及び安定同位体標識ペプチドとしては、配列表の配列番号３４６に示されるアミノ酸配列を有するペプチドから選定される１以上のペプチドを具体的に例示することができる。【０１３８】
同様に、上記被定量細胞膜タンパク質として、ヒトＳＬＣ４４Ａ５を挙げることができ、ヒトＳＬＣ４４Ａ５の測定に用いる定量対象ペプチド及び安定同位体標識ペプチドとしては、配列表の配列番号３４７に示されるアミノ酸配列を有するペプチドから選定される１以上のペプチドを具体的に例示することができる。【０１３９】
同様に、上記被定量細胞膜タンパク質として、ヒトＭＡＴＥ１を挙げることができ、ヒトＭＡＴＥ１の測定に用いる定量対象ペプチド及び安定同位体標識ペプチドとしては、配列表の配列番号３４８に示されるアミノ酸配列を有するペプチドから選定される１以上のペプチドを具体的に例示することができる。【０１４０】
同様に、上記被定量細胞膜タンパク質として、ヒトＭＡＴＥ２を挙げることができ、ヒトＭＡＴＥ２の測定に用いる定量対象ペプチド及び安定同位体標識ペプチドとしては、配列表の配列番号３４９に示されるアミノ酸配列を有するペプチドから選定される１以上のペプチドを具体的に例示することができる。【０１４１】
同様に、上記被定量細胞膜タンパク質として、ヒトＳＬＣ２Ａ２を挙げることができ、ヒトＳＬＣ２Ａ２の測定に用いる定量対象ペプチド及び安定同位体標識ペプチドとしては、配列表の配列番号３５０、及び配列番号３５１に示されるアミノ酸配列を有するペプチドから選定される１以上のペプチドを具体的に例示することができる。【０１４２】
同様に、上記被定量細胞膜タンパク質として、ヒトＳＬＣ２Ａ８を挙げることができ、ヒトＳＬＣ２Ａ８の測定に用いる定量対象ペプチド及び安定同位体標識ペプチドとしては、配列表の配列番号３５２、及び配列番号３５３に示されるアミノ酸配列を有するペプチドから選定される１以上のペプチドを具体的に例示することができる。【０１４３】
同様に、上記被定量細胞膜タンパク質として、ヒトＳＬＣ２Ａ９を挙げることができ、ヒトＳＬＣ２Ａ９の測定に用いる定量対象ペプチド及び安定同位体標識ペプチドとしては、配列表の配列番号３５４、配列番号３５５、及び配列番号３５６に示されるアミノ酸配列を有するペプチドから選定される１以上のペプチドを具体的に例示することができる。【０１４４】
同様に、上記被定量細胞膜タンパク質として、ヒトＳＬＣ２Ａ１０を挙げることができ、ヒトＳＬＣ２Ａ１０の測定に用いる定量対象ペプチド及び安定同位体標識ペプチドとしては、配列表の配列番号３５７、配列番号３５８、配列番号３５９、及び配列番号３６０に示されるアミノ酸配列を有するペプチドから選定される１以上のペプチドを具体的に例示することができる。【０１４５】
同様に、上記被定量細胞膜タンパク質として、ヒトＳＬＣ４Ａ５を挙げることができ、ヒトＳＬＣ４Ａ５の測定に用いる定量対象ペプチド及び安定同位体標識ペプチドとしては、配列表の配列番号３６１、配列番号３６２、配列番号３６３、配列番号３６４、配列番号３６５、配列番号３６６、配列番号３６７、配列番号３６８、配列番号３６９、配列番号３７０、配列番号３７１、配列番号３７２、及び配列番号３７３に示されるアミノ酸配列を有するペプチドから選定される１以上のペプチドを具体的に例示することができる。【０１４６】
同様に、上記被定量細胞膜タンパク質として、ヒトＳＬＣ４Ａ７を挙げることができ、ヒトＳＬＣ４Ａ７の測定に用いる定量対象ペプチド及び安定同位体標識ペプチドとしては、配列表の配列番号３７４、配列番号３７５、配列番号３７６、配列番号３７７、配列番号３７８、及び配列番号３７９に示されるアミノ酸配列を有するペプチドから選定される１以上のペプチドを具体的に例示することができる。【０１４７】
同様に、上記被定量細胞膜タンパク質として、ヒトＳＬＣ５Ａ９を挙げることができ、ヒトＳＬＣ５Ａ９の測定に用いる定量対象ペプチド及び安定同位体標識ペプチドとしては、配列表の配列番号３８０、及び配列番号３８１に示されるアミノ酸配列を有するペプチドから選定される１以上のペプチドを具体的に例示することができる。【０１４８】
同様に、上記被定量細胞膜タンパク質として、ヒトＳＬＣ５Ａ１１を挙げることができ、ヒトＳＬＣ５Ａ１１の測定に用いる定量対象ペプチド及び安定同位体標識ペプチドとしては、配列表の配列番号３８２、配列番号３８３、配列番号３８４、及び配列番号３８５に示されるアミノ酸配列を有するペプチドから選定される１以上のペプチドを具体的に例示することができる。【０１４９】
同様に、上記被定量細胞膜タンパク質として、ヒトＳＬＣ６Ａ９を挙げることができ、ヒトＳＬＣ６Ａ９の測定に用いる定量対象ペプチド及び安定同位体標識ペプチドとしては、配列表の配列番号３８６、及び配列番号３８７に示されるアミノ酸配列を有するペプチドから選定される１以上のペプチドを具体的に例示することができる。【０１５０】
同様に、上記被定量細胞膜タンパク質として、ヒトＳＬＣ６Ａ１３を挙げることができ、ヒトＳＬＣ６Ａ１３の測定に用いる定量対象ペプチド及び安定同位体標識ペプチドとしては、配列表の配列番号３８８に示されるアミノ酸配列を有するペプチドから選定される１以上のペプチドを具体的に例示することができる。【０１５１】
同様に、上記被定量細胞膜タンパク質として、ヒトＳＬＣ７Ａ２を挙げることができ、ヒトＳＬＣ７Ａ２の測定に用いる定量対象ペプチド及び安定同位体標識ペプチドとしては、配列表の配列番号３８９、配列番号３９０、配列番号３９１、配列番号３９２、配列番号３９３、配列番号３９４、配列番号３９５、配列番号３９６、配列番号３９７に示されるアミノ酸配列を有するペプチドから選定される１以上のペプチドを具体的に例示することができる。【０１５２】
同様に、上記被定量細胞膜タンパク質として、ヒトＳＬＣ７Ａ６を挙げることができ、ヒトＳＬＣ７Ａ６の測定に用いる定量対象ペプチド及び安定同位体標識ペプチドとしては、配列表の配列番号３９８、配列番号３９９、及び配列番号４００に示されるアミノ酸配列を有するペプチドから選定される１以上のペプチドを具体的に例示することができる。【０１５３】
同様に、上記被定量細胞膜タンパク質として、ヒトＳＬＣ７Ａ９を挙げることができ、ヒトＳＬＣ７Ａ９の測定に用いる定量対象ペプチド及び安定同位体標識ペプチドとしては、配列表の配列番号４０１に示されるアミノ酸配列を有するペプチドから選定される１以上のペプチドを具体的に例示することができる。【０１５４】
同様に、上記被定量細胞膜タンパク質として、ヒトＳＬＣ１０Ａ６を挙げることができ、ヒトＳＬＣ１０Ａ６の測定に用いる定量対象ペプチド及び安定同位体標識ペプチドとしては、配列表の配列番号４０２、及び配列番号４０３に示されるアミノ酸配列を有するペプチドから選定される１以上のペプチドを具体的に例示することができる。【０１５５】
同様に、上記被定量細胞膜タンパク質として、ヒトＳＬＣ１３Ａ３を挙げることができ、ヒトＳＬＣ１３Ａ３の測定に用いる定量対象ペプチド及び安定同位体標識ペプチドとしては、配列表の配列番号４０４、配列番号４０５、配列番号４０６、及び配列番号４０７に示されるアミノ酸配列を有するペプチドから選定される１以上のペプチドを具体的に例示することができる。【０１５６】
同様に、上記被定量細胞膜タンパク質として、ヒトＳＬＣ１３Ａ５を挙げることができ、ヒトＳＬＣ１３Ａ５の測定に用いる定量対象ペプチド及び安定同位体標識ペプチドとしては、配列表の配列番号４０８に示されるアミノ酸配列を有するペプチドから選定される１以上のペプチドを具体的に例示することができる。【０１５７】
同様に、上記被定量細胞膜タンパク質として、ヒトＳＬＣ１６Ａ２を挙げることができ、ヒトＳＬＣ１６Ａ２の測定に用いる定量対象ペプチド及び安定同位体標識ペプチドとしては、配列表の配列番号４０９、配列番号４１０、及び配列番号４１１に示されるアミノ酸配列を有するペプチドから選定される１以上のペプチドを具体的に例示することができる。【０１５８】
同様に、上記被定量細胞膜タンパク質として、ヒトＳＬＣ１６Ａ４を挙げることができ、ヒトＳＬＣ１６Ａ４の測定に用いる定量対象ペプチド及び安定同位体標識ペプチドとしては、配列表の配列番号４１２、配列番号４１３、及び配列番号４１４に示されるアミノ酸配列を有するペプチドから選定される１以上のペプチドを具体的に例示することができる。【０１５９】
同様に、上記被定量細胞膜タンパク質として、ヒトＳＬＣ１０Ａ２を挙げることができ、ヒトＳＬＣ１０Ａ２の測定に用いる定量対象ペプチド及び安定同位体標識ペプチドとしては、配列表の配列番号４１５に示されるアミノ酸配列を有するペプチドから選定される１以上のペプチドを具体的に例示することができる。【０１６０】
同様に、上記被定量細胞膜タンパク質として、ヒトＳＬＣ１０Ａ３を挙げることができ、ヒトＳＬＣ１０Ａ３の測定に用いる定量対象ペプチド及び安定同位体標識ペプチドとしては、配列表の配列番号４１６、及び配列番号４１７に示されるアミノ酸配列を有するペプチドから選定される１以上のペプチドを具体的に例示することができる。【０１６１】
同様に、上記被定量細胞膜タンパク質として、ヒトＳＬＣ１０Ａ４を挙げることができ、ヒトＳＬＣ１０Ａ４の測定に用いる定量対象ペプチド及び安定同位体標識ペプチドとしては、配列表の配列番号４１８に示されるアミノ酸配列を有するペプチドから選定される１以上のペプチドを具体的に例示することができる。【０１６２】
同様に、上記被定量細胞膜タンパク質として、ヒトＳＬＣ１０Ａ５を挙げることができ、ヒトＳＬＣ１０Ａ５の測定に用いる定量対象ペプチド及び安定同位体標識ペプチドとしては、配列表の配列番号４１９、配列番号４２０、及び配列番号４２１に示されるアミノ酸配列を有するペプチドから選定される１以上のペプチドを具体的に例示することができる。【０１６３】
同様に、上記被定量細胞膜タンパク質として、ヒトＳＬＣ１１Ａ１を挙げることができ、ヒトＳＬＣ１１Ａ１の測定に用いる定量対象ペプチド及び安定同位体標識ペプチドとしては、配列表の配列番号４２２に示されるアミノ酸配列を有するペプチドから選定される１以上のペプチドを具体的に例示することができる。【０１６４】
同様に、上記被定量細胞膜タンパク質として、ヒトＳＬＣ１１Ａ２を挙げることができ、ヒトＳＬＣ１１Ａ２の測定に用いる定量対象ペプチド及び安定同位体標識ペプチドとしては、配列表の配列番号４２３に示されるアミノ酸配列を有するペプチドから選定される１以上のペプチドを具体的に例示することができる。
【０１６５】
同様に、上記被定量細胞膜タンパク質として、ヒトＳＬＣ１２Ａ１を挙げることができ、ヒトＳＬＣ１２Ａ１の測定に用いる定量対象ペプチド及び安定同位体標識ペプチドとしては、配列表の配列番号４２４、配列番号４２５、配列番号４２６、及び配列番号４２７に示されるアミノ酸配列を有するペプチドから選定される１以上のペプチドを具体的に例示することができる。【０１６６】
同様に、上記被定量細胞膜タンパク質として、ヒトＳＬＣ１２Ａ２を挙げることができ、ヒトＳＬＣ１２Ａ２の測定に用いる定量対象ペプチド及び安定同位体標識ペプチドとしては、配列表の配列番号４２８、配列番号４２９、配列番号４３０、配列番号４３１、及び配列番号４３２に示されるアミノ酸配列を有するペプチドから選定される１以上のペプチドを具体的に例示することができる。【０１６７】
同様に、上記被定量細胞膜タンパク質として、ヒトＳＬＣ１２Ａ３を挙げることができ、ヒトＳＬＣ１２Ａ３の測定に用いる定量対象ペプチド及び安定同位体標識ペプチドとしては、配列表の配列番号４３３、配列番号４３４、及び配列番号４３５に示されるアミノ酸配列を有するペプチドから選定される１以上のペプチドを具体的に例示することができる。【０１６８】
同様に、上記被定量細胞膜タンパク質として、ヒトＳＬＣ１２Ａ４を挙げることができ、ヒトＳＬＣ１２Ａ４の測定に用いる定量対象ペプチド及び安定同位体標識ペプチドとしては、配列表の配列番号４３６、配列番号４３７、配列番号４３８、配列番号４３９、配列番号４４０、及び配列番号４４１に示されるアミノ酸配列を有するペプチドから選定される１以上のペプチドを具体的に例示することができる。【０１６９】
同様に、上記被定量細胞膜タンパク質として、ヒトＳＬＣ１２Ａ５を挙げることができ、ヒトＳＬＣ１２Ａ５の測定に用いる定量対象ペプチド及び安定同位体標識ペプチドとしては、配列表の配列番号４４２、配列番号４４３、配列番号４４４、及び配列番号４４５に示されるアミノ酸配列を有するペプチドから選定される１以上のペプチドを具体的に例示することができる。【０１７０】
同様に、上記被定量細胞膜タンパク質として、ヒトＳＬＣ１２Ａ６を挙げることができ、ヒトＳＬＣ１２Ａ６の測定に用いる定量対象ペプチド及び安定同位体標識ペプチドとしては、配列表の配列番号４４６、配列番号４４７、配列番号４４８、配列番号４４９、配列番号４５０、配列番号４５１、配列番号４５２、配列番号４５３、及び配列番号４５４に示されるアミノ酸配列を有するペプチドから選定される１以上のペプチドを具体的に例示することができる。【０１７１】
同様に、上記被定量細胞膜タンパク質として、ヒトＳＬＣ１２Ａ７を挙げることができ、ヒトＳＬＣ１２Ａ７の測定に用いる定量対象ペプチド及び安定同位体標識ペプチドとしては、配列表の配列番号４５５、配列番号４５６、配列番号４５７、配列番号４５８、配列番号４５９、配列番号４６０、配列番号４６１、配列番号４６２、配列番号４６３、及び配列番号４６４に示されるアミノ酸配列を有するペプチドから選定される１以上のペプチドを具体的に例示することができる。【０１７２】
同様に、上記被定量細胞膜タンパク質として、ヒトＳＬＣ１２Ａ８を挙げることができ、ヒトＳＬＣ１２Ａ８の測定に用いる定量対象ペプチド及び安定同位体標識ペプチドとしては、配列表の配列番号４６５、及び配列番号４６６に示されるアミノ酸配列を有するペプチドから選定される１以上のペプチドを具体的に例示することができる。【０１７３】
同様に、上記被定量細胞膜タンパク質として、ヒトＳＬＣ１２Ａ９を挙げることができ、ヒトＳＬＣ１２Ａ９の測定に用いる定量対象ペプチド及び安定同位体標識ペプチドとしては、配列表の配列番号４６７、配列番号４６８、配列番号４６９、配列番号４７０、配列番号４７１、配列番号４７２、配列番号４７３、配列番号４７４、配列番号４７５、及び配列番号４７６に示されるアミノ酸配列を有するペプチドから選定される１以上のペプチドを具体的に例示することができる。【０１７４】
同様に、上記被定量細胞膜タンパク質として、ヒトＳＬＣ１３Ａ１を挙げることができ、ヒトＳＬＣ１３Ａ１の測定に用いる定量対象ペプチド及び安定同位体標識ペプチドとしては、配列表の配列番号４７７に示されるアミノ酸配列を有するペプチドから選定される１以上のペプチドを具体的に例示することができる。【０１７５】
同様に、上記被定量細胞膜タンパク質として、ヒトＳＬＣ１３Ａ２を挙げることができ、ヒトＳＬＣ１３Ａ２の測定に用いる定量対象ペプチド及び安定同位体標識ペプチドとしては、配列表の配列番号４７８、及び配列番号４７９に示されるアミノ酸配列を有するペプチドから選定される１以上のペプチドを具体的に例示することができる。【０１７６】
同様に、上記被定量細胞膜タンパク質として、ヒトＳＬＣ１３Ａ４を挙げることができ、ヒトＳＬＣ１３Ａ４の測定に用いる定量対象ペプチド及び安定同位体標識ペプチドとしては、配列表の配列番号４８０、及び配列番号４８１に示されるアミノ酸配列を有するペプチドから選定される１以上のペプチドを具体的に例示することができる。【０１７７】
同様に、上記被定量細胞膜タンパク質として、ヒトＳＬＣ１４Ａ１を挙げることができ、ヒトＳＬＣ１４Ａ１の測定に用いる定量対象ペプチド及び安定同位体標識ペプチドとしては、配列表の配列番号４８２に示されるアミノ酸配列を有するペプチドから選定される１以上のペプチドを具体的に例示することができる。【０１７８】
同様に、上記被定量細胞膜タンパク質として、ヒトＳＬＣ１４Ａ２を挙げることができ、ヒトＳＬＣ１４Ａ２の測定に用いる定量対象ペプチド及び安定同位体標識ペプチドとしては、配列表の配列番号４８３に示されるアミノ酸配列を有するペプチドから選定される１以上のペプチドを具体的に例示することができる。【０１７９】
同様に、上記被定量細胞膜タンパク質として、ヒトＳＬＣ１５Ａ３を挙げることができ、ヒトＳＬＣ１５Ａ３の測定に用いる定量対象ペプチド及び安定同位体標識ペプチドとしては、配列表の配列番号４８４、配列番号４８５、配列番号４８６、配列番号４８７、及び配列番号４８８に示されるアミノ酸配列を有するペプチドから選定される１以上のペプチドを具体的に例示することができる。【０１８０】
同様に、上記被定量細胞膜タンパク質として、ヒトＳＬＣ１５Ａ４を挙げることができ、ヒトＳＬＣ１５Ａ４の測定に用いる定量対象ペプチド及び安定同位体標識ペプチドとしては、配列表の配列番号４８９、及び配列番号４９０に示されるアミノ酸配列を有するペプチドから選定される１以上のペプチドを具体的に例示することができる。【０１８１】
同様に、上記被定量細胞膜タンパク質として、ヒトＳＬＣ１６Ａ１０を挙げることができ、ヒトＳＬＣ１６Ａ１０の測定に用いる定量対象ペプチド及び安定同位体標識ペプチドとしては、配列表の配列番号４９１に示されるアミノ酸配列を有するペプチドから選定される１以上のペプチドを具体的に例示することができる。【０１８２】
同様に、上記被定量細胞膜タンパク質として、ヒトＳＬＣ１６Ａ１１を挙げることができ、ヒトＳＬＣ１６Ａ１１の測定に用いる定量対象ペプチド及び安定同位体標識ペプチドとしては、配列表の配列番号４９２、及び配列番号４９３に示されるアミノ酸配列を有するペプチドから選定される１以上のペプチドを具体的に例示することができる。【０１８３】
同様に、上記被定量細胞膜タンパク質として、ヒトＳＬＣ１６Ａ１２を挙げることができ、ヒトＳＬＣ１６Ａ１２の測定に用いる定量対象ペプチド及び安定同位体標識ペプチドとしては、配列表の配列番号４９４に示されるアミノ酸配列を有するペプチドから選定される１以上のペプチドを具体的に例示することができる。【０１８４】
同様に、上記被定量細胞膜タンパク質として、ヒトＳＬＣ１６Ａ１３を挙げることができ、ヒトＳＬＣ１６Ａ１３の測定に用いる定量対象ペプチド及び安定同位体標識ペプチドとしては、配列表の配列番号４９５に示されるアミノ酸配列を有するペプチドから選定される１以上のペプチドを具体的に例示することができる。【０１８５】
同様に、上記被定量細胞膜タンパク質として、ヒトＳＬＣ１６Ａ１４を挙げることができ、ヒトＳＬＣ１６Ａ１４の測定に用いる定量対象ペプチド及び安定同位体標識ペプチドとしては、配列表の配列番号４９６に示されるアミノ酸配列を有するペプチドから選定される１以上のペプチドを具体的に例示することができる。【０１８６】
同様に、上記被定量細胞膜タンパク質として、ヒトＳＬＣ１６Ａ３を挙げることができ、ヒトＳＬＣ１６Ａ３の測定に用いる定量対象ペプチド及び安定同位体標識ペプチドとしては、配列表の配列番号４９７、及び配列番号４９８に示されるアミノ酸配列を有するペプチドから選定される１以上のペプチドを具体的に例示することができる。【０１８７】
同様に、上記被定量細胞膜タンパク質として、ヒトＳＬＣ１６Ａ５を挙げることができ、ヒトＳＬＣ１６Ａ５の測定に用いる定量対象ペプチド及び安定同位体標識ペプチドとしては、配列表の配列番号４９９に示されるアミノ酸配列を有するペプチドから選定される１以上のペプチドを具体的に例示することができる。【０１８８】
同様に、上記被定量細胞膜タンパク質として、ヒトＳＬＣ１６Ａ６を挙げることができ、ヒトＳＬＣ１６Ａ６の測定に用いる定量対象ペプチド及び安定同位体標識ペプチドとしては、配列表の配列番号５００に示されるアミノ酸配列を有するペプチドから選定される１以上のペプチドを具体的に例示することができる。【０１８９】
同様に、上記被定量細胞膜タンパク質として、ヒトＳＬＣ１６Ａ８を挙げることができ、ヒトＳＬＣ１６Ａ８の測定に用いる定量対象ペプチド及び安定同位体標識ペプチドとしては、配列表の配列番号５０１、配列番号５０２、及び配列番号５０３に示されるアミノ酸配列を有するペプチドから選定される１以上のペプチドを具体的に例示することができる。【０１９０】
同様に、上記被定量細胞膜タンパク質として、ヒトＳＬＣ１６Ａ９を挙げることができ、ヒトＳＬＣ１６Ａ９の測定に用いる定量対象ペプチド及び安定同位体標識ペプチドとしては、配列表の配列番号５０４、配列番号５０５、及び配列番号５０６に示されるアミノ酸配列を有するペプチドから選定される１以上のペプチドを具体的に例示することができる。【０１９１】
同様に、上記被定量細胞膜タンパク質として、ヒトＳＬＣ１８Ａ１を挙げることができ、ヒトＳＬＣ１８Ａ１の測定に用いる定量対象ペプチド及び安定同位体標識ペプチドとしては、配列表の配列番号５０７、及び配列番号５０８に示されるアミノ酸配列を有するペプチドから選定される１以上のペプチドを具体的に例示することができる。【０１９２】
同様に、上記被定量細胞膜タンパク質として、ヒトＳＬＣ１８Ａ２を挙げることができ、ヒトＳＬＣ１８Ａ２の測定に用いる定量対象ペプチド及び安定同位体標識ペプチドとしては、配列表の配列番号５０９、及び配列番号５１０に示されるアミノ酸配列を有するペプチドから選定される１以上のペプチドを具体的に例示することができる。【０１９３】
同様に、上記被定量細胞膜タンパク質として、ヒトＳＬＣ１８Ａ３を挙げることができ、ヒトＳＬＣ１８Ａ３の測定に用いる定量対象ペプチド及び安定同位体標識ペプチドとしては、配列表の配列番号５１１、配列番号５１２、配列番号５１３、配列番号５１４、及び配列番号５１５に示されるアミノ酸配列を有するペプチドから選定される１以上のペプチドを具体的に例示することができる。【０１９４】
同様に、上記被定量細胞膜タンパク質として、ヒトＳＬＣ１９Ａ２を挙げることができ、ヒトＳＬＣ１９Ａ２の測定に用いる定量対象ペプチド及び安定同位体標識ペプチドとしては、配列表の配列番号５１６、及び配列番号５１７に示されるアミノ酸配列を有するペプチドから選定される１以上のペプチドを具体的に例示することができる。【０１９５】
同様に、上記被定量細胞膜タンパク質として、ヒトＳＬＣ１９Ａ３を挙げることができ、ヒトＳＬＣ１９Ａ３の測定に用いる定量対象ペプチド及び安定同位体標識ペプチドとしては、配列表の配列番号５１８、及び配列番号５１９に示されるアミノ酸配列を有するペプチドから選定される１以上のペプチドを具体的に例示することができる。【０１９６】
同様に、上記被定量細胞膜タンパク質として、ヒトＳＬＣ２０Ａ１を挙げることができ、ヒトＳＬＣ２０Ａ１の測定に用いる定量対象ペプチド及び安定同位体標識ペプチドとしては、配列表の配列番号５２０、配列番号５２１、配列番号５２２、配列番号５２３、配列番号５２４、配列番号５２５、配列番号５２６、配列番号５２７、配列番号５２８、配列番号５２９、配列番号５３０、配列番号５３１、及び配列番号５３２に示されるアミノ酸配列を有するペプチドから選定される１以上のペプチドを具体的に例示することができる。【０１９７】
同様に、上記被定量細胞膜タンパク質として、ヒトＳＬＣ２０Ａ２を挙げることができ、ヒトＳＬＣ２０Ａ２の測定に用いる定量対象ペプチド及び安定同位体標識ペプチドとしては、配列表の配列番号５３３、配列番号５３４、配列番号５３５、配列番号５３６、配列番号５３７、配列番号５３８、配列番号５３９、配列番号５４０、配列番号５４１、配列番号５４２、配列番号５４３、配列番号５４４、配列番号５４５、及び配列番号５４６に示されるアミノ酸配列を有するペプチドから選定される１以上のペプチドを具体的に例示することができる。【０１９８】
同様に、上記被定量細胞膜タンパク質として、ヒトＳＬＣ２３Ａ１を挙げることができ、ヒトＳＬＣ２３Ａ１の測定に用いる定量対象ペプチド及び安定同位体標識ペプチドとしては、配列表の配列番号５４７、配列番号５４８、配列番号５４９、及び配列番号５５０に示されるアミノ酸配列を有するペプチドから選定される１以上のペプチドを具体的に例示することができる。【０１９９】
同様に、上記被定量細胞膜タンパク質として、ヒトＳＬＣ２３Ａ２を挙げることができ、ヒトＳＬＣ２３Ａ２の測定に用いる定量対象ペプチド及び安定同位体標識ペプチドとしては、配列表の配列番号５５１、配列番号５５２、配列番号５５３、配列番号５５４、及び配列番号５５５に示されるアミノ酸配列を有するペプチドから選定される１以上のペプチドを具体的に例示することができる。【０２００】
同様に、上記被定量細胞膜タンパク質として、ヒトＳＬＣ２３Ａ３を挙げることができ、ヒトＳＬＣ２３Ａ３の測定に用いる定量対象ペプチド及び安定同位体標識ペプチドとしては、配列表の配列番号５５６、配列番号５５７、配列番号５５８、配列番号５５９、及び配列番号５６０に示されるアミノ酸配列を有するペプチドから選定される１以上のペプチドを具体的に例示することができる。【０２０１】
同様に、上記被定量細胞膜タンパク質として、ヒトＳＬＣ２４Ａ１を挙げることができ、ヒトＳＬＣ２４Ａ１の測定に用いる定量対象ペプチド及び安定同位体標識ペプチドとしては、配列表の配列番号５６１、配列番号５６２、配列番号５６３、配列番号５６４、配列番号５６５、配列番号５６６、配列番号５６７、配列番号５６８、配列番号５６９、配列番号５７０、配列番号５７１、配列番号５７２、配列番号５７３、及び配列番号５７４に示されるアミノ酸配列を有するペプチドから選定される１以上のペプチドを具体的に例示することができる。【０２０２】
同様に、上記被定量細胞膜タンパク質として、ヒトＳＬＣ２４Ａ２を挙げることができ、ヒトＳＬＣ２４Ａ２の測定に用いる定量対象ペプチド及び安定同位体標識ペプチドとしては、配列表の配列番号５７５、配列番号５７６、配列番号５７７、配列番号５７８、配列番号５７９、及び配列番号５８０に示されるアミノ酸配列を有するペプチドから選定される１以上のペプチドを具体的に例示することができる。【０２０３】
同様に、上記被定量細胞膜タンパク質として、ヒトＳＬＣ２４Ａ３を挙げることができ、ヒトＳＬＣ２４Ａ３の測定に用いる定量対象ペプチド及び安定同位体標識ペプチドとしては、配列表の配列番号５８１、配列番号５８２、配列番号５８３、及び配列番号５８４に示されるアミノ酸配列を有するペプチドから選定される１以上のペプチドを具体的に例示することができる。【０２０４】
同様に、上記被定量細胞膜タンパク質として、ヒトＳＬＣ２４Ａ４を挙げることができ、ヒトＳＬＣ２４Ａ４の測定に用いる定量対象ペプチド及び安定同位体標識ペプチドとしては、配列表の配列番号５８５、及び配列番号５８６に示されるアミノ酸配列を有するペプチドから選定される１以上のペプチドを具体的に例示することができる。【０２０５】
同様に、上記被定量細胞膜タンパク質として、ヒトＳＬＣ２４Ａ５を挙げることができ、ヒトＳＬＣ２４Ａ５の測定に用いる定量対象ペプチド及び安定同位体標識ペプチドとしては、配列表の配列番号５８７に示されるアミノ酸配列を有するペプチドから選定される１以上のペプチドを具体的に例示することができる。【０２０６】
同様に、上記被定量細胞膜タンパク質として、ヒトＳＬＣ２４Ａ６を挙げることができ、ヒトＳＬＣ２４Ａ６の測定に用いる定量対象ペプチド及び安定同位体標識ペプチドとしては、配列表の配列番号５８８、配列番号５８９、及び配列番号５９０に示されるアミノ酸配列を有するペプチドから選定される１以上のペプチドを具体的に例示することができる。【０２０７】
同様に、上記被定量細胞膜タンパク質として、ヒトＳＬＣ２５Ａ１を挙げることができ、ヒトＳＬＣ２５Ａ１の測定に用いる定量対象ペプチド及び安定同位体標識ペプチドとしては、配列表の配列番号５９１、配列番号５９２、配列番号５９３、配列番号５９４、配列番号５９５、配列番号５９６、及び配列番号５９７に示されるアミノ酸配列を有するペプチドから選定される１以上のペプチドを具体的に例示することができる。【０２０８】
同様に、上記被定量細胞膜タンパク質として、ヒトＳＬＣ２５Ａ１０を挙げることができ、ヒトＳＬＣ２５Ａ１０の測定に用いる定量対象ペプチド及び安定同位体標識ペプチドとしては、配列表の配列番号５９８、配列番号５９９、配列番号６００、及び配列番号６０1に示されるアミノ酸配列を有するペプチドから選定される１以上のペプチドを具体的に例示することができる。【０２０９】
同様に、上記被定量細胞膜タンパク質として、ヒトＳＬＣ２５Ａ１１を挙げることができ、ヒトＳＬＣ２５Ａ１１の測定に用いる定量対象ペプチド及び安定同位体標識ペプチドとしては、配列表の配列番号６０２、配列番号６０３、配列番号６０４、配列番号６０５、配列番号６０６、及び配列番号６０７に示されるアミノ酸配列を有するペプチドから選定される１以上のペプチドを具体的に例示することができる。【０２１０】
同様に、上記被定量細胞膜タンパク質として、ヒトＳＬＣ２５Ａ１２を挙げることができ、ヒトＳＬＣ２５Ａ１２の測定に用いる定量対象ペプチド及び安定同位体標識ペプチドとしては、配列表の配列番号６０８、配列番号６０７、配列番号６０８、配列番号６０９、配列番号６１０、配列番号６１１、配列番号６１２、配列番号６１３、配列番号６１４、配列番号６１５、配列番号６１６、配列番号６１７、配列番号６１８、配列番号６１９、配列番号６２０、配列番号６２１、配列番号６２２、配列番号６２３、配列番号６２４、配列番号６２５、配列番号６２６、及び配列番号６２７に示されるアミノ酸配列を有するペプチドから選定される１以上のペプチドを具体的に例示することができる。【０２１１】
同様に、上記被定量細胞膜タンパク質として、ヒトＳＬＣ２５Ａ１３を挙げることができ、ヒトＳＬＣ２５Ａ１３の測定に用いる定量対象ペプチド及び安定同位体標識ペプチドとしては、配列表の配列番号６２８、配列番号６２９、配列番号６３０、配列番号６３１、配列番号６３２、配列番号６３３、配列番号６３４、配列番号６３５、配列番号６３６、配列番号６３７、配列番号６３８、配列番号６３９、配列番号６４０、配列番号６４１、配列番号６４２、配列番号６４３、配列番号６４４、及び配列番号６４５に示されるアミノ酸配列を有するペプチドから選定される１以上のペプチドを具体的に例示することができる。【０２１２】
同様に、上記被定量細胞膜タンパク質として、ヒトＳＬＣ２５Ａ１４を挙げることができ、ヒトＳＬＣ２５Ａ１４の測定に用いる定量対象ペプチド及び安定同位体標識ペプチドとしては、配列表の配列番号６４６、配列番号６４７、配列番号６４８、配列番号６４９及び配列番号６５０に示されるアミノ酸配列を有するペプチドから選定される１以上のペプチドを具体的に例示することができる。【０２１３】
同様に、上記被定量細胞膜タンパク質として、ヒトＳＬＣ２５Ａ１５を挙げることができ、ヒトＳＬＣ２５Ａ１５の測定に用いる定量対象ペプチド及び安定同位体標識ペプチドとしては、配列表の配列番号６５１、配列番号６５２、及び配列番号６５３に示されるアミノ酸配列を有するペプチドから選定される１以上のペプチドを具体的に例示することができる。【０２１４】
同様に、上記被定量細胞膜タンパク質として、ヒトＳＬＣ２５Ａ１６を挙げることができ、ヒトＳＬＣ２５Ａ１６の測定に用いる定量対象ペプチド及び安定同位体標識ペプチドとしては、配列表の配列番号６５４、配列番号６５５、配列番号６５６、配列番号６５７、配列番号６５８、配列番号６５９、配列番号６６０、配列番号６６１、配列番号６６２、配列番号６６３、配列番号６６４、配列番号６６５、及び配列番号６６６に示されるアミノ酸配列を有するペプチドから選定される１以上のペプチドを具体的に例示することができる。【０２１５】
同様に、上記被定量細胞膜タンパク質として、ヒトＳＬＣ２５Ａ１７を挙げることができ、ヒトＳＬＣ２５Ａ１７の測定に用いる定量対象ペプチド及び安定同位体標識ペプチドとしては、配列表の配列番号６６７、配列番号６６８、配列番号６６９、配列番号６７０、配列番号６７１、配列番号６７２、配列番号６７３、配列番号６７４、及び配列番号６７５に示されるアミノ酸配列を有するペプチドから選定される１以上のペプチドを具体的に例示することができる。【０２１６】
同様に、上記被定量細胞膜タンパク質として、ヒトＳＬＣ２５Ａ１８を挙げることができ、ヒトＳＬＣ２５Ａ１８の測定に用いる定量対象ペプチド及び安定同位体標識ペプチドとしては、配列表の配列番号６７６、配列番号６７７、配列番号６７８、配列番号６７９、及び配列番号６８０に示されるアミノ酸配列を有するペプチドから選定される１以上のペプチドを具体的に例示することができる。【０２１７】
同様に、上記被定量細胞膜タンパク質として、ヒトＳＬＣ２５Ａ１９を挙げることができ、ヒトＳＬＣ２５Ａ１９の測定に用いる定量対象ペプチド及び安定同位体標識ペプチドとしては、配列表の配列番号６８１、配列番号６８２、配列番号６８３、配列番号６８４、配列番号６８５、配列番号６８６、及び配列番号６８７に示されるアミノ酸配列を有するペプチドから選定される１以上のペプチドを具体的に例示することができる。【０２１８】
同様に、上記被定量細胞膜タンパク質として、ヒトＳＬＣ２５Ａ２を挙げることができ、ヒトＳＬＣ２５Ａ２の測定に用いる定量対象ペプチド及び安定同位体標識ペプチドとしては、配列表の配列番号６８８、配列番号６８９、配列番号６９０、配列番号６９１、及び配列番号６９２に示されるアミノ酸配列を有するペプチドから選定される１以上のペプチドを具体的に例示することができる。【０２１９】
同様に、上記被定量細胞膜タンパク質として、ヒトＳＬＣ２５Ａ２０を挙げることができ、ヒトＳＬＣ２５Ａ２０の測定に用いる定量対象ペプチド及び安定同位体標識ペプチドとしては、配列表の配列番号６９３、配列番号６９４、配列番号６９５、及び配列番号６９６に示されるアミノ酸配列を有するペプチドから選定される１以上のペプチドを具体的に例示することができる。【０２２０】
同様に、上記被定量細胞膜タンパク質として、ヒトＳＬＣ２５Ａ２１を挙げることができ、ヒトＳＬＣ２５Ａ２１の測定に用いる定量対象ペプチド及び安定同位体標識ペプチドとしては、配列表の配列番号６９７、配列番号６９８、配列番号６９９、配列番号７００、配列番号７０１、配列番号７０２、及び配列番号７０３に示されるアミノ酸配列を有するペプチドから選定される１以上のペプチドを具体的に例示することができる。
【０２２１】
同様に、上記被定量細胞膜タンパク質として、ヒトＳＬＣ２５Ａ２２を挙げることができ、ヒトＳＬＣ２５Ａ２２の測定に用いる定量対象ペプチド及び安定同位体標識ペプチドとしては、配列表の配列番号７０４、配列番号７０５、配列番号７０６、配列番号７０７、配列番号７０８、配列番号７０９、配列番号７１０、配列番号７１１、配列番号７１２、及び配列番号７１３に示されるアミノ酸配列を有するペプチドから選定される１以上のペプチドを具体的に例示することができる。【０２２２】
同様に、上記被定量細胞膜タンパク質として、ヒトＳＬＣ２５Ａ２３を挙げることができ、ヒトＳＬＣ２５Ａ２３の測定に用いる定量対象ペプチド及び安定同位体標識ペプチドとしては、配列表の配列番号７１４、配列番号７１５、配列番号７１６、配列番号７１７、配列番号７１８、配列番号７１９、配列番号７２０、配列番号７２１、配列番号７２２、配列番号７２３、配列番号７２４、配列番号７２５、及び配列番号７２６に示されるアミノ酸配列を有するペプチドから選定される１以上のペプチドを具体的に例示することができる。【０２２３】
同様に、上記被定量細胞膜タンパク質として、ヒトＳＬＣ２５Ａ２４を挙げることができ、ヒトＳＬＣ２５Ａ２４の測定に用いる定量対象ペプチド及び安定同位体標識ペプチドとしては、配列表の配列番号７２７、配列番号７２８、配列番号７２９、配列番号７３０、配列番号７３１、配列番号７３２、配列番号７３３、配列番号７３４、配列番号７３５、配列番号７３６、配列番号７３７、配列番号７３８、配列番号７３９、及び配列番号７４０に示されるアミノ酸配列を有するペプチドから選定される１以上のペプチドを具体的に例示することができる。【０２２４】
同様に、上記被定量細胞膜タンパク質として、ヒトＳＬＣ２５Ａ２５を挙げることができ、ヒトＳＬＣ２５Ａ２５の測定に用いる定量対象ペプチド及び安定同位体標識ペプチドとしては、配列表の配列番号７４１、配列番号７４２、配列番号７４３、配列番号７４４、配列番号７４５、配列番号７４６、配列番号７４７、配列番号７４８、配列番号７４９、配列番号７５０、配列番号７５１、及び配列番号７５２に示されるアミノ酸配列を有するペプチドから選定される１以上のペプチドを具体的に例示することができる。【０２２５】
同様に、上記被定量細胞膜タンパク質として、ヒトＳＬＣ２５Ａ２６を挙げることができ、ヒトＳＬＣ２５Ａ２６の測定に用いる定量対象ペプチド及び安定同位体標識ペプチドとしては、配列表の配列番号７５３、配列番号７５４、配列番号７５５、及び配列番号７５６に示されるアミノ酸配列を有するペプチドから選定される１以上のペプチドを具体的に例示することができる。【０２２６】
同様に、上記被定量細胞膜タンパク質として、ヒトＳＬＣ２５Ａ２７を挙げることができ、ヒトＳＬＣ２５Ａ２７の測定に用いる定量対象ペプチド及び安定同位体標識ペプチドとしては、配列表の配列番号７５７、配列番号７５８、配列番号７５９、配列番号７６０、配列番号７６１、配列番号７６２、配列番号７６３、及び配列番号７６４に示されるアミノ酸配列を有するペプチドから選定される１以上のペプチドを具体的に例示することができる。【０２２７】
同様に、上記被定量細胞膜タンパク質として、ヒトＳＬＣ２５Ａ２８を挙げることができ、ヒトＳＬＣ２５Ａ２８の測定に用いる定量対象ペプチド及び安定同位体標識ペプチドとしては、配列表の配列番号７６５、及び配列番号７６６に示されるアミノ酸配列を有するペプチドから選定される１以上のペプチドを具体的に例示することができる。【０２２８】
同様に、上記被定量細胞膜タンパク質として、ヒトＳＬＣ２５Ａ２９を挙げることができ、ヒトＳＬＣ２５Ａ２９の測定に用いる定量対象ペプチド及び安定同位体標識ペプチドとしては、配列表の配列番号７６７、配列番号７６８、配列番号７６９、配列番号７７０、配列番号７７１、及び配列番号７７２に示されるアミノ酸配列を有するペプチドから選定される１以上のペプチドを具体的に例示することができる。【０２２９】
同様に、上記被定量細胞膜タンパク質として、ヒトＳＬＣ２５Ａ３を挙げることができ、ヒトＳＬＣ２５Ａ３の測定に用いる定量対象ペプチド及び安定同位体標識ペプチドとしては、配列表の配列番号７７３、配列番号７７４、配列番号７７５、配列番号７７６、及び配列番号７７７に示されるアミノ酸配列を有するペプチドから選定される１以上のペプチドを具体的に例示することができる。【０２３０】
同様に、上記被定量細胞膜タンパク質として、ヒトＳＬＣ２５Ａ３０を挙げることができ、ヒトＳＬＣ２５Ａ３０の測定に用いる定量対象ペプチド及び安定同位体標識ペプチドとしては、配列表の配列番号７７８、配列番号７７９、配列番号７８０、配列番号７８１、配列番号７８２、及び配列番号７８３に示されるアミノ酸配列を有するペプチドから選定される１以上のペプチドを具体的に例示することができる。【０２３１】
同様に、上記被定量細胞膜タンパク質として、ヒトＳＬＣ２５Ａ３１を挙げることができ、ヒトＳＬＣ２５Ａ３１の測定に用いる定量対象ペプチド及び安定同位体標識ペプチドとしては、配列表の配列番号７８４、配列番号７８５、配列番号７８６、配列番号７８７、配列番号７９８配列番号７８９、配列番号７９０、配列番号７９１、配列番号７９２、配列番号７９３、配列番号７９４、配列番号７９５、配列番号７９６、及び配列番号７９７に示されるアミノ酸配列を有するペプチドから選定される１以上のペプチドを具体的に例示することができる。【０２３２】
同様に、上記被定量細胞膜タンパク質として、ヒトＳＬＣ２５Ａ３２を挙げることができ、ヒトＳＬＣ２５Ａ３２の測定に用いる定量対象ペプチド及び安定同位体標識ペプチドとしては、配列表の配列番号７９８、配列番号７９９、配列番号８００、及び配列番号８０１に示されるアミノ酸配列を有するペプチドから選定される１以上のペプチドを具体的に例示することができる。【０２３３】
同様に、上記被定量細胞膜タンパク質として、ヒトＳＬＣ２５Ａ３４を挙げることができ、ヒトＳＬＣ２５Ａ３４の測定に用いる定量対象ペプチド及び安定同位体標識ペプチドとしては、配列表の配列番号８０２、配列番号８０３、配列番号８０４、配列番号８０５、配列番号８０６、配列番号８０７、及び配列番号８０８に示されるアミノ酸配列を有するペプチドから選定される１以上のペプチドを具体的に例示することができる。【０２３４】
同様に、上記被定量細胞膜タンパク質として、ヒトＳＬＣ２５Ａ３５を挙げることができ、ヒトＳＬＣ２５Ａ３５の測定に用いる定量対象ペプチド及び安定同位体標識ペプチドとしては、配列表の配列番号８０９、配列番号８１０、配列番号８１１、配列番号８１２、配列番号８１３、配列番号８１４、配列番号８１５、及び配列番号８１６に示されるアミノ酸配列を有するペプチドから選定される１以上のペプチドを具体的に例示することができる。【０２３５】
同様に、上記被定量細胞膜タンパク質として、ヒトＳＬＣ２５Ａ３６を挙げることができ、ヒトＳＬＣ２５Ａ３６の測定に用いる定量対象ペプチド及び安定同位体標識ペプチドとしては、配列表の配列番号８１７、配列番号８１８、配列番号８１９、配列番号８２０、配列番号８２１、及び配列番号８２２に示されるアミノ酸配列を有するペプチドから選定される１以上のペプチドを具体的に例示することができる。【０２３６】
同様に、上記被定量細胞膜タンパク質として、ヒトＳＬＣ２５Ａ３７を挙げることができ、ヒトＳＬＣ２５Ａ３７の測定に用いる定量対象ペプチド及び安定同位体標識ペプチドとしては、配列表の配列番号８２３、配列番号８２４、配列番号８２５、及び配列番号８２６に示されるアミノ酸配列を有するペプチドから選定される１以上のペプチドを具体的に例示することができる。【０２３７】
同様に、上記被定量細胞膜タンパク質として、ヒトＳＬＣ２５Ａ４を挙げることができ、ヒトＳＬＣ２５Ａ４の測定に用いる定量対象ペプチド及び安定同位体標識ペプチドとしては、配列表の配列番号８２７、配列番号８２８、及び配列番号８２９に示されるアミノ酸配列を有するペプチドから選定される１以上のペプチドを具体的に例示することができる。【０２３８】
同様に、上記被定量細胞膜タンパク質として、ヒトＳＬＣ２５Ａ５を挙げることができ、ヒトＳＬＣ２５Ａ５の測定に用いる定量対象ペプチド及び安定同位体標識ペプチドとしては、配列表の配列番号８３０、及び配列番号８３１に示されるアミノ酸配列を有するペプチドから選定される１以上のペプチドを具体的に例示することができる。【０２３９】
同様に、上記被定量細胞膜タンパク質として、ヒトＳＬＣ２５Ａ６を挙げることができ、ヒトＳＬＣ２５Ａ６の測定に用いる定量対象ペプチド及び安定同位体標識ペプチドとしては、配列表の配列番号８３２、配列番号８３３、及び配列番号８３４に示されるアミノ酸配列を有するペプチドから選定される１以上のペプチドを具体的に例示することができる。【０２４０】
同様に、上記被定量細胞膜タンパク質として、ヒトＳＬＣ２５Ａ７を挙げることができ、ヒトＳＬＣ２５Ａ７の測定に用いる定量対象ペプチド及び安定同位体標識ペプチドとしては、配列表の配列番号８３５、配列番号８３６、配列番号８３７、配列番号８３８、及び配列番号８３９に示されるアミノ酸配列を有するペプチドから選定される１以上のペプチドを具体的に例示することができる。【０２４１】
同様に、上記被定量細胞膜タンパク質として、ヒトＳＬＣ２５Ａ８を挙げることができ、ヒトＳＬＣ２５Ａ８の測定に用いる定量対象ペプチド及び安定同位体標識ペプチドとしては、配列表の配列番号８４０、配列番号８４１、配列番号８４２、配列番号８４３、配列番号８４４、及び配列番号８４５に示されるアミノ酸配列を有するペプチドから選定される１以上のペプチドを具体的に例示することができる。【０２４２】
同様に、上記被定量細胞膜タンパク質として、ヒトＳＬＣ２５Ａ９を挙げることができ、ヒトＳＬＣ２５Ａ９の測定に用いる定量対象ペプチド及び安定同位体標識ペプチドとしては、配列表の配列番号８４６、配列番号８４７、及び配列番号８４８に示されるアミノ酸配列を有するペプチドから選定される１以上のペプチドを具体的に例示することができる。【０２４３】
同様に、上記被定量細胞膜タンパク質として、ヒトＳＬＣ２６Ａ１を挙げることができ、ヒトＳＬＣ２６Ａ１の測定に用いる定量対象ペプチド及び安定同位体標識ペプチドとしては、配列表の配列番号８４９、配列番号８５０、配列番号８５１、配列番号８５２、配列番号８５３、配列番号８５４、配列番号８５５、配列番号８５６、配列番号８５７、及び配列番号８５８に示されるアミノ酸配列を有するペプチドから選定される１以上のペプチドを具体的に例示することができる。【０２４４】
同様に、上記被定量細胞膜タンパク質として、ヒトＳＬＣ２６Ａ１０を挙げることができ、ヒトＳＬＣ２６Ａ１０の測定に用いる定量対象ペプチド及び安定同位体標識ペプチドとしては、配列表の配列番号８５９、配列番号８６０、配列番号８６１、配列番号８６２、配列番号８６３、配列番号８６４、配列番号８６５、配列番号８６６、配列番号８６７、配列番号８６８、配列番号８６９、配列番号８７０、及び配列番号８７１に示されるアミノ酸配列を有するペプチドから選定される１以上のペプチドを具体的に例示することができる。【０２４５】
同様に、上記被定量細胞膜タンパク質として、ヒトＳＬＣ２６Ａ１１を挙げることができ、ヒトＳＬＣ２６Ａ１１の測定に用いる定量対象ペプチド及び安定同位体標識ペプチドとしては、配列表の配列番号８７２、配列番号８７３、配列番号８７４、配列番号８７５、配列番号８７６、配列番号８７７、配列番号８７８、配列番号８７９、配列番号８８０、及び配列番号８８１に示されるアミノ酸配列を有するペプチドから選定される１以上のペプチドを具体的に例示することができる。【０２４６】
同様に、上記被定量細胞膜タンパク質として、ヒトＳＬＣ２６Ａ２を挙げることができ、ヒトＳＬＣ２６Ａ２の測定に用いる定量対象ペプチド及び安定同位体標識ペプチドとしては、配列表の配列番号８８２、配列番号８８３、配列番号８８４、配列番号８８５、配列番号８８６、配列番号８８７、配列番号８８８、配列番号８８９、配列番号８９０、配列番号８９１、及び配列番号８９２に示されるアミノ酸配列を有するペプチドから選定される１以上のペプチドを具体的に例示することができる。【０２４７】
同様に、上記被定量細胞膜タンパク質として、ヒトＳＬＣ２６Ａ３を挙げることができ、ヒトＳＬＣ２６Ａ３の測定に用いる定量対象ペプチド及び安定同位体標識ペプチドとしては、配列表の配列番号８９３、配列番号８９４、配列番号８９５、配列番号８９６、配列番号８９７、配列番号８９８、配列番号８９９、配列番号９００、配列番号９０１、配列番号９０２、配列番号９０３、配列番号９０４、配列番号９０５、及び配列番号９０６に示されるアミノ酸配列を有するペプチドから選定される１以上のペプチドを具体的に例示することができる。【０２４８】
同様に、上記被定量細胞膜タンパク質として、ヒトＳＬＣ２６Ａ４を挙げることができ、ヒトＳＬＣ２６Ａ４の測定に用いる定量対象ペプチド及び安定同位体標識ペプチドとしては、配列表の配列番号９０７、配列番号９０８、配列番号９０９、配列番号９１０、配列番号９１１、配列番号９１２、配列番号９１３、及び配列番号９１４に示されるアミノ酸配列を有するペプチドから選定される１以上のペプチドを具体的に例示することができる。【０２４９】
同様に、上記被定量細胞膜タンパク質として、ヒトＳＬＣ２６Ａ５を挙げることができ、ヒトＳＬＣ２６Ａ５の測定に用いる定量対象ペプチド及び安定同位体標識ペプチドとしては、配列表の配列番号９１５、配列番号９１６、及び配列番号９１７に示されるアミノ酸配列を有するペプチドから選定される１以上のペプチドを具体的に例示することができる。【０２５０】
同様に、上記被定量細胞膜タンパク質として、ヒトＳＬＣ２６Ａ６を挙げることができ、ヒトＳＬＣ２６Ａ６の測定に用いる定量対象ペプチド及び安定同位体標識ペプチドとしては、配列表の配列番号９１８、配列番号９１９、配列番号９２０、配列番号９２１、配列番号９２２、配列番号９２３、配列番号９２４、配列番号９２５、配列番号９２６、及び配列番号９２７に示されるアミノ酸配列を有するペプチドから選定される１以上のペプチドを具体的に例示することができる。【０２５１】
同様に、上記被定量細胞膜タンパク質として、ヒトＳＬＣ２６Ａ７を挙げることができ、ヒトＳＬＣ２６Ａ７の測定に用いる定量対象ペプチド及び安定同位体標識ペプチドとしては、配列表の配列番号９２８、及び配列番号９２９に示されるアミノ酸配列を有するペプチドから選定される１以上のペプチドを具体的に例示することができる。【０２５２】
同様に、上記被定量細胞膜タンパク質として、ヒトＳＬＣ２６Ａ８を挙げることができ、ヒトＳＬＣ２６Ａ８の測定に用いる定量対象ペプチド及び安定同位体標識ペプチドとしては、配列表の配列番号９３０、配列番号９３１、及び配列番号９３２に示されるアミノ酸配列を有するペプチドから選定される１以上のペプチドを具体的に例示することができる。【０２５３】
同様に、上記被定量細胞膜タンパク質として、ヒトＳＬＣ２６Ａ９を挙げることができ、ヒトＳＬＣ２６Ａ９の測定に用いる定量対象ペプチド及び安定同位体標識ペプチドとしては、配列表の配列番号９３３、配列番号９３４、配列番号９３５、配列番号９３６、配列番号９３７、配列番号９３８、配列番号９３９、配列番号９４０、配列番号９４１、配列番号９４２、配列番号９４３、配列番号９４４、及び配列番号９４５に示されるアミノ酸配列を有するペプチドから選定される１以上のペプチドを具体的に例示することができる。【０２５４】
同様に、上記被定量細胞膜タンパク質として、ヒトＳＬＣ２７Ａ１を挙げることができ、ヒトＳＬＣ２７Ａ１の測定に用いる定量対象ペプチド及び安定同位体標識ペプチドとしては、配列表の配列番号９４６、配列番号９４７、及び配列番号９４８に示されるアミノ酸配列を有するペプチドから選定される１以上のペプチドを具体的に例示することができる。【０２５５】
同様に、上記被定量細胞膜タンパク質として、ヒトＳＬＣ２７Ａ２を挙げることができ、ヒトＳＬＣ２７Ａ２の測定に用いる定量対象ペプチド及び安定同位体標識ペプチドとしては、配列表の配列番号９４９、配列番号９５０、配列番号９５１、配列番号９５２、及び配列番号９５３に示されるアミノ酸配列を有するペプチドから選定される１以上のペプチドを具体的に例示することができる。【０２５６】
同様に、上記被定量細胞膜タンパク質として、ヒトＳＬＣ２７Ａ３を挙げることができ、ヒトＳＬＣ２７Ａ３の測定に用いる定量対象ペプチド及び安定同位体標識ペプチドとしては、配列表の配列番号９５４、配列番号９５５、配列番号９５６、及び配列番号９５７に示されるアミノ酸配列を有するペプチドから選定される１以上のペプチドを具体的に例示することができる。【０２５７】
同様に、上記被定量細胞膜タンパク質として、ヒトＳＬＣ２７Ａ４を挙げることができ、ヒトＳＬＣ２７Ａ４の測定に用いる定量対象ペプチド及び安定同位体標識ペプチドとしては、配列表の配列番号９５８、配列番号９５９、配列番号９６０、配列番号９６１、及び配列番号９６２に示されるアミノ酸配列を有するペプチドから選定される１以上のペプチドを具体的に例示することができる。【０２５８】
同様に、上記被定量細胞膜タンパク質として、ヒトＳＬＣ２７Ａ５を挙げることができ、ヒトＳＬＣ２７Ａ５の測定に用いる定量対象ペプチド及び安定同位体標識ペプチドとしては、配列表の配列番号９６３、配列番号９６４、及び配列番号９６５に示されるアミノ酸配列を有するペプチドから選定される１以上のペプチドを具体的に例示することができる。【０２５９】
同様に、上記被定量細胞膜タンパク質として、ヒトＳＬＣ２７Ａ６を挙げることができ、ヒトＳＬＣ２７Ａ６の測定に用いる定量対象ペプチド及び安定同位体標識ペプチドとしては、配列表の配列番号９６６、配列番号９６７、配列番号９６８、及び配列番号９６９に示されるアミノ酸配列を有するペプチドから選定される１以上のペプチドを具体的に例示することができる。【０２６０】
同様に、上記被定量細胞膜タンパク質として、ヒトＳＬＣ２８Ａ２を挙げることができ、ヒトＳＬＣ２８Ａ２の測定に用いる定量対象ペプチド及び安定同位体標識ペプチドとしては、配列表の配列番号９７０、配列番号９７１、及び配列番号９７２に示されるアミノ酸配列を有するペプチドから選定される１以上のペプチドを具体的に例示することができる。【０２６１】
同様に、上記被定量細胞膜タンパク質として、ヒトＳＬＣ２９Ａ３を挙げることができ、ヒトＳＬＣ２９Ａ３の測定に用いる定量対象ペプチド及び安定同位体標識ペプチドとしては、配列表の配列番号９７３、配列番号９７４、配列番号９７５、及び配列番号９７６に示されるアミノ酸配列を有するペプチドから選定される１以上のペプチドを具体的に例示することができる。【０２６２】
同様に、上記被定量細胞膜タンパク質として、ヒトＳＬＣ２Ａ１１を挙げることができ、ヒトＳＬＣ２Ａ１１の測定に用いる定量対象ペプチド及び安定同位体標識ペプチドとしては、配列表の配列番号９７７、配列番号９７８、配列番号９７９、及び配列番号９８０に示されるアミノ酸配列を有するペプチドから選定される１以上のペプチドを具体的に例示することができる。【０２６３】
同様に、上記被定量細胞膜タンパク質として、ヒトＳＬＣ２Ａ１２を挙げることができ、ヒトＳＬＣ２Ａ１２の測定に用いる定量対象ペプチド及び安定同位体標識ペプチドとしては、配列表の配列番号９８１、及び配列番号９８２に示されるアミノ酸配列を有するペプチドから選定される１以上のペプチドを具体的に例示することができる。【０２６４】
同様に、上記被定量細胞膜タンパク質として、ヒトＳＬＣ２Ａ１３を挙げることができ、ヒトＳＬＣ２Ａ１３の測定に用いる定量対象ペプチド及び安定同位体標識ペプチドとしては、配列表の配列番号９８３、配列番号９８４、配列番号９８５、配列番号９８６、配列番号９８７、及び配列番号９８８に示されるアミノ酸配列を有するペプチドから選定される１以上のペプチドを具体的に例示することができる。【０２６５】
同様に、上記被定量細胞膜タンパク質として、ヒトＳＬＣ２Ａ１４を挙げることができ、ヒトＳＬＣ２Ａ１４の測定に用いる定量対象ペプチド及び安定同位体標識ペプチドとしては、配列表の配列番号９８９、配列番号９９０、及び配列番号９９１に示されるアミノ酸配列を有するペプチドから選定される１以上のペプチドを具体的に例示することができる。【０２６６】
同様に、上記被定量細胞膜タンパク質として、ヒトＳＬＣ２Ａ３を挙げることができ、ヒトＳＬＣ２Ａ３の測定に用いる定量対象ペプチド及び安定同位体標識ペプチドとしては、配列表の配列番号９９２、配列番号９９３、配列番号９９４及び配列番号９９５に示されるアミノ酸配列を有するペプチドから選定される１以上のペプチドを具体的に例示することができる。【０２６７】
同様に、上記被定量細胞膜タンパク質として、ヒトＳＬＣ２Ａ４を挙げることができ、ヒトＳＬＣ２Ａ４の測定に用いる定量対象ペプチド及び安定同位体標識ペプチドとしては、配列表の配列番号９９６、及び配列番号９９７に示されるアミノ酸配列を有するペプチドから選定される１以上のペプチドを具体的に例示することができる。【０２６８】
同様に、上記被定量細胞膜タンパク質として、ヒトＳＬＣ２Ａ５を挙げることができ、ヒトＳＬＣ２Ａ５の測定に用いる定量対象ペプチド及び安定同位体標識ペプチドとしては、配列表の配列番号９９８、及び配列番号９９９に示されるアミノ酸配列を有するペプチドから選定される１以上のペプチドを具体的に例示することができる。【０２６９】
同様に、上記被定量細胞膜タンパク質として、ヒトＳＬＣ２Ａ６を挙げることができ、ヒトＳＬＣ２Ａ６の測定に用いる定量対象ペプチド及び安定同位体標識ペプチドとしては、配列表の配列番号１０００、及び配列番号１００１に示されるアミノ酸配列を有するペプチドから選定される１以上のペプチドを具体的に例示することができる。【０２７０】
同様に、上記被定量細胞膜タンパク質として、ヒトＳＬＣ２Ａ７を挙げることができ、ヒトＳＬＣ２Ａ７の測定に用いる定量対象ペプチド及び安定同位体標識ペプチドとしては、配列表の配列番号１００２に示されるアミノ酸配列を有するペプチドから選定される１以上のペプチドを具体的に例示することができる。【０２７１】
同様に、上記被定量細胞膜タンパク質として、ヒトＳＬＣ３０Ａ１を挙げることができ、ヒトＳＬＣ３０Ａ１の測定に用いる定量対象ペプチド及び安定同位体標識ペプチドとしては、配列表の配列番号１００３、配列番号１００４、及び配列番号１００５に示されるアミノ酸配列を有するペプチドから選定される１以上のペプチドを具体的に例示することができる。【０２７２】
同様に、上記被定量細胞膜タンパク質として、ヒトＳＬＣ３０Ａ１０を挙げることができ、ヒトＳＬＣ３０Ａ１０の測定に用いる定量対象ペプチド及び安定同位体標識ペプチドとしては、配列表の配列番号１００６、及び配列番号１００７に示されるアミノ酸配列を有するペプチドから選定される１以上のペプチドを具体的に例示することができる。【０２７３】
同様に、上記被定量細胞膜タンパク質として、ヒトＳＬＣ３０Ａ１１を挙げることができ、ヒトＳＬＣ３０Ａ１１の測定に用いる定量対象ペプチド及び安定同位体標識ペプチドとしては、配列表の配列番号１００８、配列番号１００９、及び配列番号１０１０に示されるアミノ酸配列を有するペプチドから選定される１以上のペプチドを具体的に例示することができる。【０２７４】
同様に、上記被定量細胞膜タンパク質として、ヒトＳＬＣ３０Ａ２を挙げることができ、ヒトＳＬＣ３０Ａ２の測定に用いる定量対象ペプチド及び安定同位体標識ペプチドとしては、配列表の配列番号１０１１、及び配列番号１０１２に示されるアミノ酸配列を有するペプチドから選定される１以上のペプチドを具体的に例示することができる。【０２７５】
同様に、上記被定量細胞膜タンパク質として、ヒトＳＬＣ３０Ａ３を挙げることができ、ヒトＳＬＣ３０Ａ３の測定に用いる定量対象ペプチド及び安定同位体標識ペプチドとしては、配列表の配列番号１０１３、配列番号１０１４、配列番号１０１５、及び配列番号１０１６に示されるアミノ酸配列を有するペプチドから選定される１以上のペプチドを具体的に例示することができる。【０２７６】
同様に、上記被定量細胞膜タンパク質として、ヒトＳＬＣ３０Ａ４を挙げることができ、ヒトＳＬＣ３０Ａ４の測定に用いる定量対象ペプチド及び安定同位体標識ペプチドとしては、配列表の配列番号１０１７、配列番号１０１８、配列番号１０１９、配列番号１０２０、及び配列番号１０２１に示されるアミノ酸配列を有するペプチドから選定される１以上のペプチドを具体的に例示することができる。【０２７７】
同様に、上記被定量細胞膜タンパク質として、ヒトＳＬＣ３０Ａ５を挙げることができ、ヒトＳＬＣ３０Ａ５の測定に用いる定量対象ペプチド及び安定同位体標識ペプチドとしては、配列表の配列番号１０２２、及び配列番号１０２３に示されるアミノ酸配列を有するペプチドから選定される１以上のペプチドを具体的に例示することができる。【０２７８】
同様に、上記被定量細胞膜タンパク質として、ヒトＳＬＣ３０Ａ６を挙げることができ、ヒトＳＬＣ３０Ａ６の測定に用いる定量対象ペプチド及び安定同位体標識ペプチドとしては、配列表の配列番号１０２４、配列番号１０２５、及び配列番号１０２６に示されるアミノ酸配列を有するペプチドから選定される１以上のペプチドを具体的に例示することができる。【０２７９】
同様に、上記被定量細胞膜タンパク質として、ヒトＳＬＣ３０Ａ７を挙げることができ、ヒトＳＬＣ３０Ａ７の測定に用いる定量対象ペプチド及び安定同位体標識ペプチドとしては、配列表の配列番号１０２７、配列番号１０２８、及び配列番号１０２９に示されるアミノ酸配列を有するペプチドから選定される１以上のペプチドを具体的に例示することができる。【０２８０】
同様に、上記被定量細胞膜タンパク質として、ヒトＳＬＣ３０Ａ８を挙げることができ、ヒトＳＬＣ３０Ａ８の測定に用いる定量対象ペプチド及び安定同位体標識ペプチドとしては、配列表の配列番号１０３０、配列番号１０３１、配列番号１０３２、配列番号１０３３、及び配列番号１０３４に示されるアミノ酸配列を有するペプチドから選定される１以上のペプチドを具体的に例示することができる。【０２８１】
同様に、上記被定量細胞膜タンパク質として、ヒトＳＬＣ３０Ａ９を挙げることができ、ヒトＳＬＣ３０Ａ９の測定に用いる定量対象ペプチド及び安定同位体標識ペプチドとしては、配列表の配列番号１０３５、配列番号１０３６、配列番号１０３７、配列番号１０３８、配列番号１０３９、及び配列番号１０４０に示されるアミノ酸配列を有するペプチドから選定される１以上のペプチドを具体的に例示することができる。【０２８２】
同様に、上記被定量細胞膜タンパク質として、ヒトＳＬＣ３１Ａ１を挙げることができ、ヒトＳＬＣ３１Ａ１の測定に用いる定量対象ペプチド及び安定同位体標識ペプチドとしては、配列表の配列番号１０４１、及び配列番号１０４２に示されるアミノ酸配列を有するペプチドから選定される１以上のペプチドを具体的に例示することができる。【０２８３】
同様に、上記被定量細胞膜タンパク質として、ヒトＳＬＣ３１Ａ２を挙げることができ、ヒトＳＬＣ３１Ａ２の測定に用いる定量対象ペプチド及び安定同位体標識ペプチドとしては、配列表の配列番号１０４３に示されるアミノ酸配列を有するペプチドから選定される１以上のペプチドを具体的に例示することができる。【０２８４】
同様に、上記被定量細胞膜タンパク質として、ヒトＳＬＣ３２Ａ１を挙げることができ、ヒトＳＬＣ３２Ａ１の測定に用いる定量対象ペプチド及び安定同位体標識ペプチドとしては、配列表の配列番号１０４４、配列番号１０４５、及び配列番号１０４６に示されるアミノ酸配列を有するペプチドから選定される１以上のペプチドを具体的に例示することができる。【０２８５】
同様に、上記被定量細胞膜タンパク質として、ヒトＳＬＣ３３Ａ１を挙げることができ、ヒトＳＬＣ３３Ａ１の測定に用いる定量対象ペプチド及び安定同位体標識ペプチドとしては、配列表の配列番号１０４７、及び配列番号１０４８に示されるアミノ酸配列を有するペプチドから選定される１以上のペプチドを具体的に例示することができる。【０２８６】
同様に、上記被定量細胞膜タンパク質として、ヒトＳＬＣ３４Ａ１を挙げることができ、ヒトＳＬＣ３４Ａ１の測定に用いる定量対象ペプチド及び安定同位体標識ペプチドとしては、配列表の配列番号１０４９、配列番号１０５０、配列番号１０５１、配列番号１０５２、及び配列番号１０５３に示されるアミノ酸配列を有するペプチドから選定される１以上のペプチドを具体的に例示することができる。【０２８７】
同様に、上記被定量細胞膜タンパク質として、ヒトＳＬＣ３４Ａ２を挙げることができ、ヒトＳＬＣ３４Ａ２の測定に用いる定量対象ペプチド及び安定同位体標識ペプチドとしては、配列表の配列番号１０５４、配列番号１０５５、及び配列番号１０５６に示されるアミノ酸配列を有するペプチドから選定される１以上のペプチドを具体的に例示することができる。【０２８８】
同様に、上記被定量細胞膜タンパク質として、ヒトＳＬＣ３４Ａ３を挙げることができ、ヒトＳＬＣ３４Ａ３の測定に用いる定量対象ペプチド及び安定同位体標識ペプチドとしては、配列表の配列番号１０５７、配列番号１０５８、配列番号１０５９、配列番号１０６０、及び配列番号１０６１に示されるアミノ酸配列を有するペプチドから選定される１以上のペプチドを具体的に例示することができる。【０２８９】
同様に、上記被定量細胞膜タンパク質として、ヒトＳＬＣ３５Ａ１を挙げることができ、ヒトＳＬＣ３５Ａ１の測定に用いる定量対象ペプチド及び安定同位体標識ペプチドとしては、配列表の配列番号１０６２に示されるアミノ酸配列を有するペプチドから選定される１以上のペプチドを具体的に例示することができる。【０２９０】
同様に、上記被定量細胞膜タンパク質として、ヒトＳＬＣ３５Ａ２を挙げることができ、ヒトＳＬＣ３５Ａ２の測定に用いる定量対象ペプチド及び安定同位体標識ペプチドとしては、配列表の配列番号１０６３、配列番号１０６４、及び配列番号１０６５に示されるアミノ酸配列を有するペプチドから選定される１以上のペプチドを具体的に例示することができる。【０２９１】
同様に、上記被定量細胞膜タンパク質として、ヒトＳＬＣ３５Ａ３を挙げることができ、ヒトＳＬＣ３５Ａ３の測定に用いる定量対象ペプチド及び安定同位体標識ペプチドとしては、配列表の配列番号１０６６、及び配列番号１０６７に示されるアミノ酸配列を有するペプチドから選定される１以上のペプチドを具体的に例示することができる。【０２９２】
同様に、上記被定量細胞膜タンパク質として、ヒトＳＬＣ３５Ａ４を挙げることができ、ヒトＳＬＣ３５Ａ４の測定に用いる定量対象ペプチド及び安定同位体標識ペプチドとしては、配列表の配列番号１０６８、及び配列番号１０６９に示されるアミノ酸配列を有するペプチドから選定される１以上のペプチドを具体的に例示することができる。【０２９３】
同様に、上記被定量細胞膜タンパク質として、ヒトＳＬＣ３５Ａ５を挙げることができ、ヒトＳＬＣ３５Ａ５の測定に用いる定量対象ペプチド及び安定同位体標識ペプチドとしては、配列表の配列番号１０７０、配列番号１０７１、及び配列番号１０７２に示されるアミノ酸配列を有するペプチドから選定される１以上のペプチドを具体的に例示することができる。【０２９４】
同様に、上記被定量細胞膜タンパク質として、ヒトＳＬＣ３５Ｂ１を挙げることができ、ヒトＳＬＣ３５Ｂ１の測定に用いる定量対象ペプチド及び安定同位体標識ペプチドとしては、配列表の配列番号１０７３に示されるアミノ酸配列を有するペプチドから選定される１以上のペプチドを具体的に例示することができる。【０２９５】
同様に、上記被定量細胞膜タンパク質として、ヒトＳＬＣ３５Ｂ２を挙げることができ、ヒトＳＬＣ３５Ｂ２の測定に用いる定量対象ペプチド及び安定同位体標識ペプチドとしては、配列表の配列番号１０７４、配列番号１０７５、配列番号１０７６、及び配列番号１０７７に示されるアミノ酸配列を有するペプチドから選定される１以上のペプチドを具体的に例示することができる。【０２９６】
同様に、上記被定量細胞膜タンパク質として、ヒトＳＬＣ３５Ｂ３を挙げることができ、ヒトＳＬＣ３５Ｂ３の測定に用いる定量対象ペプチド及び安定同位体標識ペプチドとしては、配列表の配列番号１０７８、配列番号１０７９、及び配列番号１０８０に示されるアミノ酸配列を有するペプチドから選定される１以上のペプチドを具体的に例示することができる。【０２９７】
同様に、上記被定量細胞膜タンパク質として、ヒトＳＬＣ３５Ｂ４を挙げることができ、ヒトＳＬＣ３５Ｂ４の測定に用いる定量対象ペプチド及び安定同位体標識ペプチドとしては、配列表の配列番号１０８１、及び配列番号１０８２に示されるアミノ酸配列を有するペプチドから選定される１以上のペプチドを具体的に例示することができる。【０２９８】
同様に、上記被定量細胞膜タンパク質として、ヒトＳＬＣ３５Ｃ１を挙げることができ、ヒトＳＬＣ３５Ｃ１の測定に用いる定量対象ペプチド及び安定同位体標識ペプチドとしては、配列表の配列番号１０８３、及び配列番号１０８４に示されるアミノ酸配列を有するペプチドから選定される１以上のペプチドを具体的に例示することができる。【０２９９】
同様に、上記被定量細胞膜タンパク質として、ヒトＳＬＣ３５Ｃ２を挙げることができ、ヒトＳＬＣ３５Ｃ２の測定に用いる定量対象ペプチド及び安定同位体標識ペプチドとしては、配列表の配列番号１０８５、配列番号１０８６、及び配列番号１０８７に示されるアミノ酸配列を有するペプチドから選定される１以上のペプチドを具体的に例示することができる。【０３００】
同様に、上記被定量細胞膜タンパク質として、ヒトＳＬＣ３５Ｄ１を挙げることができ、ヒトＳＬＣ３５Ｄ１の測定に用いる定量対象ペプチド及び安定同位体標識ペプチドとしては、配列表の配列番号１０８８、及び配列番号１０８９に示されるアミノ酸配列を有するペプチドから選定される１以上のペプチドを具体的に例示することができる。【０３０１】
同様に、上記被定量細胞膜タンパク質として、ヒトＳＬＣ３５Ｄ２を挙げることができ、ヒトＳＬＣ３５Ｄ２の測定に用いる定量対象ペプチド及び安定同位体標識ペプチドとしては、配列表の配列番号１０９０、配列番号１０９１、及び配列番号１０９２に示されるアミノ酸配列を有するペプチドから選定される１以上のペプチドを具体的に例示することができる。【０３０２】
同様に、上記被定量細胞膜タンパク質として、ヒトＳＬＣ３５Ｄ３を挙げることができ、ヒトＳＬＣ３５Ｄ３の測定に用いる定量対象ペプチド及び安定同位体標識ペプチドとしては、配列表の配列番号１０９３、配列番号１０９４、及び配列番号１０９５に示されるアミノ酸配列を有するペプチドから選定される１以上のペプチドを具体的に例示することができる。【０３０３】
同様に、上記被定量細胞膜タンパク質として、ヒトＳＬＣ３５Ｅ１を挙げることができ、ヒトＳＬＣ３５Ｅ１の測定に用いる定量対象ペプチド及び安定同位体標識ペプチドとしては、配列表の配列番号１０９６、配列番号１０９７、及び配列番号１０９８に示されるアミノ酸配列を有するペプチドから選定される１以上のペプチドを具体的に例示することができる。【０３０４】
同様に、上記被定量細胞膜タンパク質として、ヒトＳＬＣ３５Ｅ２を挙げることができ、ヒトＳＬＣ３５Ｅ２の測定に用いる定量対象ペプチド及び安定同位体標識ペプチドとしては、配列表の配列番号１０９９、配列番号１１００、配列番号１１０１、配列番号１１０２、配列番号１１０３、配列番号１１０４、配列番号１１０５、配列番号１１０６、及び配列番号１１０７に示されるアミノ酸配列を有するペプチドから選定される１以上のペプチドを具体的に例示することができる。【０３０５】
同様に、上記被定量細胞膜タンパク質として、ヒトＳＬＣ３５Ｅ３を挙げることができ、ヒトＳＬＣ３５Ｅ３の測定に用いる定量対象ペプチド及び安定同位体標識ペプチドとしては、配列表の配列番号１１０８、配列番号１１０９、及び配列番号１１１０に示されるアミノ酸配列を有するペプチドから選定される１以上のペプチドを具体的に例示することができる。【０３０６】
同様に、上記被定量細胞膜タンパク質として、ヒトＳＬＣ３５Ｅ４を挙げることができ、ヒトＳＬＣ３５Ｅ４の測定に用いる定量対象ペプチド及び安定同位体標識ペプチドとしては、配列表の配列番号１１１１、及び配列番号１１１２に示されるアミノ酸配列を有するペプチドから選定される１以上のペプチドを具体的に例示することができる。【０３０７】
同様に、上記被定量細胞膜タンパク質として、ヒトＳＬＣ３５Ｆ１を挙げることができ、ヒトＳＬＣ３５Ｆ１の測定に用いる定量対象ペプチド及び安定同位体標識ペプチドとしては、配列表の配列番号１１１３に示されるアミノ酸配列を有するペプチドから選定される１以上のペプチドを具体的に例示することができる。【０３０８】
同様に、上記被定量細胞膜タンパク質として、ヒトＳＬＣ３５Ｆ２を挙げることができ、ヒトＳＬＣ３５Ｆ２の測定に用いる定量対象ペプチド及び安定同位体標識ペプチドとしては、配列表の配列番号１１１４、及び配列番号１１１５に示されるアミノ酸配列を有するペプチドから選定される１以上のペプチドを具体的に例示することができる。【０３０９】
同様に、上記被定量細胞膜タンパク質として、ヒトＳＬＣ３５Ｆ３を挙げることができ、ヒトＳＬＣ３５Ｆ３の測定に用いる定量対象ペプチド及び安定同位体標識ペプチドとしては、配列表の配列番号１１１６、及び配列番号１１１７に示されるアミノ酸配列を有するペプチドから選定される１以上のペプチドを具体的に例示することができる。【０３１０】
同様に、上記被定量細胞膜タンパク質として、ヒトＳＬＣ３５Ｆ５を挙げることができ、ヒトＳＬＣ３５Ｆ５の測定に用いる定量対象ペプチド及び安定同位体標識ペプチドとしては、配列表の配列番号１１１８、及び配列番号１１１９に示されるアミノ酸配列を有するペプチドから選定される１以上のペプチドを具体的に例示することができる。
【０３１１】
同様に、上記被定量細胞膜タンパク質として、ヒトＳＬＣ３６Ａ１を挙げることができ、ヒトＳＬＣ３６Ａ１の測定に用いる定量対象ペプチド及び安定同位体標識ペプチドとしては、配列表の配列番号１１２０に示されるアミノ酸配列を有するペプチドから選定される１以上のペプチドを具体的に例示することができる。【０３１２】
同様に、上記被定量細胞膜タンパク質として、ヒトＳＬＣ３６Ａ２を挙げることができ、ヒトＳＬＣ３６Ａ２の測定に用いる定量対象ペプチド及び安定同位体標識ペプチドとしては、配列表の配列番号１１２１、配列番号１１２２、及び配列番号１１２３に示されるアミノ酸配列を有するペプチドから選定される１以上のペプチドを具体的に例示することができる。【０３１３】
同様に、上記被定量細胞膜タンパク質として、ヒトＳＬＣ３６Ａ３を挙げることができ、ヒトＳＬＣ３６Ａ３の測定に用いる定量対象ペプチド及び安定同位体標識ペプチドとしては、配列表の配列番号１１２４、及び配列番号１１２５に示されるアミノ酸配列を有するペプチドから選定される１以上のペプチドを具体的に例示することができる。【０３１４】
同様に、上記被定量細胞膜タンパク質として、ヒトＳＬＣ３６Ａ４を挙げることができ、ヒトＳＬＣ３６Ａ４の測定に用いる定量対象ペプチド及び安定同位体標識ペプチドとしては、配列表の配列番号１１２６、配列番号１１２７、配列番号１１２８、及び配列番号１１２９に示されるアミノ酸配列を有するペプチドから選定される１以上のペプチドを具体的に例示することができる。【０３１５】
同様に、上記被定量細胞膜タンパク質として、ヒトＳＬＣ３７Ａ１を挙げることができ、ヒトＳＬＣ３７Ａ１の測定に用いる定量対象ペプチド及び安定同位体標識ペプチドとしては、配列表の配列番号１１３０、配列番号１１３１、及び配列番号１１３２に示されるアミノ酸配列を有するペプチドから選定される１以上のペプチドを具体的に例示することができる。【０３１６】
同様に、上記被定量細胞膜タンパク質として、ヒトＳＬＣ３７Ａ２を挙げることができ、ヒトＳＬＣ３７Ａ２の測定に用いる定量対象ペプチド及び安定同位体標識ペプチドとしては、配列表の配列番号１１３３、及び配列番号１１３４に示されるアミノ酸配列を有するペプチドから選定される１以上のペプチドを具体的に例示することができる。【０３１７】
同様に、上記被定量細胞膜タンパク質として、ヒトＳＬＣ３７Ａ３を挙げることができ、ヒトＳＬＣ３７Ａ３の測定に用いる定量対象ペプチド及び安定同位体標識ペプチドとしては、配列表の配列番号１１３５、配列番号１１３６、及び配列番号１１３７に示されるアミノ酸配列を有するペプチドから選定される１以上のペプチドを具体的に例示することができる。【０３１８】
同様に、上記被定量細胞膜タンパク質として、ヒトＳＬＣ３７Ａ４を挙げることができ、ヒトＳＬＣ３７Ａ４の測定に用いる定量対象ペプチド及び安定同位体標識ペプチドとしては、配列表の配列番号１１３８、及び配列番号１１３９に示されるアミノ酸配列を有するペプチドから選定される１以上のペプチドを具体的に例示することができる。【０３１９】
同様に、上記被定量細胞膜タンパク質として、ヒトＳＬＣ３８Ａ１を挙げることができ、ヒトＳＬＣ３８Ａ１の測定に用いる定量対象ペプチド及び安定同位体標識ペプチドとしては、配列表の配列番号１１４０、及び配列番号１１４１に示されるアミノ酸配列を有するペプチドから選定される１以上のペプチドを具体的に例示することができる。【０３２０】
同様に、上記被定量細胞膜タンパク質として、ヒトＳＬＣ３８Ａ２を挙げることができ、ヒトＳＬＣ３８Ａ２の測定に用いる定量対象ペプチド及び安定同位体標識ペプチドとしては、配列表の配列番号１１４２、配列番号１１４３、及び配列番号１１４４に示されるアミノ酸配列を有するペプチドから選定される１以上のペプチドを具体的に例示することができる。【０３２１】
同様に、上記被定量細胞膜タンパク質として、ヒトＳＬＣ３８Ａ３を挙げることができ、ヒトＳＬＣ３８Ａ３の測定に用いる定量対象ペプチド及び安定同位体標識ペプチドとしては、配列表の配列番号１１４５、配列番号１１４６、及び配列番号１１４７に示されるアミノ酸配列を有するペプチドから選定される１以上のペプチドを具体的に例示することができる。【０３２２】
同様に、上記被定量細胞膜タンパク質として、ヒトＳＬＣ３８Ａ４を挙げることができ、ヒトＳＬＣ３８Ａ４の測定に用いる定量対象ペプチド及び安定同位体標識ペプチドとしては、配列表の配列番号１１４８、及び配列番号１１４９に示されるアミノ酸配列を有するペプチドから選定される１以上のペプチドを具体的に例示することができる。【０３２３】
同様に、上記被定量細胞膜タンパク質として、ヒトＳＬＣ３８Ａ５を挙げることができ、ヒトＳＬＣ３８Ａ５の測定に用いる定量対象ペプチド及び安定同位体標識ペプチドとしては、配列表の配列番号１１５０、配列番号１１５１、配列番号１１５２、配列番号１１５３、及び配列番号１１５４に示されるアミノ酸配列を有するペプチドから選定される１以上のペプチドを具体的に例示することができる。【０３２４】
同様に、上記被定量細胞膜タンパク質として、ヒトＳＬＣ３８Ａ６を挙げることができ、ヒトＳＬＣ３８Ａ６の測定に用いる定量対象ペプチド及び安定同位体標識ペプチドとしては、配列表の配列番号１１５５、配列番号１１５６、及び配列番号１１５７に示されるアミノ酸配列を有するペプチドから選定される１以上のペプチドを具体的に例示することができる。【０３２５】
同様に、上記被定量細胞膜タンパク質として、ヒトＳＬＣ３９Ａ１を挙げることができ、ヒトＳＬＣ３９Ａ１の測定に用いる定量対象ペプチド及び安定同位体標識ペプチドとしては、配列表の配列番号１１５８、及び配列番号１１５９に示されるアミノ酸配列を有するペプチドから選定される１以上のペプチドを具体的に例示することができる。【０３２６】
同様に、上記被定量細胞膜タンパク質として、ヒトＳＬＣ３９Ａ１０を挙げることができ、ヒトＳＬＣ３９Ａ１０の測定に用いる定量対象ペプチド及び安定同位体標識ペプチドとしては、配列表の配列番号１１６０、配列番号１１６１、及び配列番号１１６２に示されるアミノ酸配列を有するペプチドから選定される１以上のペプチドを具体的に例示することができる。【０３２７】
同様に、上記被定量細胞膜タンパク質として、ヒトＳＬＣ３９Ａ１１を挙げることができ、ヒトＳＬＣ３９Ａ１１の測定に用いる定量対象ペプチド及び安定同位体標識ペプチドとしては、配列表の配列番号１１６３、及び配列番号１１６４に示されるアミノ酸配列を有するペプチドから選定される１以上のペプチドを具体的に例示することができる。【０３２８】
同様に、上記被定量細胞膜タンパク質として、ヒトＳＬＣ３９Ａ１２を挙げることができ、ヒトＳＬＣ３９Ａ１２の測定に用いる定量対象ペプチド及び安定同位体標識ペプチドとしては、配列表の配列番号１１６５、及び配列番号１１６６に示されるアミノ酸配列を有するペプチドから選定される１以上のペプチドを具体的に例示することができる。【０３２９】
同様に、上記被定量細胞膜タンパク質として、ヒトＳＬＣ３９Ａ１３を挙げることができ、ヒトＳＬＣ３９Ａ１３の測定に用いる定量対象ペプチド及び安定同位体標識ペプチドとしては、配列表の配列番号１１６７、配列番号１１６８、及び配列番号１１６９に示されるアミノ酸配列を有するペプチドから選定される１以上のペプチドを具体的に例示することができる。【０３３０】
同様に、上記被定量細胞膜タンパク質として、ヒトＳＬＣ３９Ａ１４を挙げることができ、ヒトＳＬＣ３９Ａ１４の測定に用いる定量対象ペプチド及び安定同位体標識ペプチドとしては、配列表の配列番号１１７０、及び配列番号１１７１に示されるアミノ酸配列を有するペプチドから選定される１以上のペプチドを具体的に例示することができる。【０３３１】
同様に、上記被定量細胞膜タンパク質として、ヒトＳＬＣ３９Ａ２を挙げることができ、ヒトＳＬＣ３９Ａ２の測定に用いる定量対象ペプチド及び安定同位体標識ペプチドとしては、配列表の配列番号１１７２、配列番号１１７３、配列番号１１７４、及び配列番号１１７５に示されるアミノ酸配列を有するペプチドから選定される１以上のペプチドを具体的に例示することができる。【０３３２】
同様に、上記被定量細胞膜タンパク質として、ヒトＳＬＣ３９Ａ３を挙げることができ、ヒトＳＬＣ３９Ａ３の測定に用いる定量対象ペプチド及び安定同位体標識ペプチドとしては、配列表の配列番号１１７６、配列番号１１７７、配列番号１１７８、配列番号１１７９に示されるアミノ酸配列を有するペプチドから選定される１以上のペプチドを具体的に例示することができる。【０３３３】
同様に、上記被定量細胞膜タンパク質として、ヒトＳＬＣ３９Ａ４を挙げることができ、ヒトＳＬＣ３９Ａ４の測定に用いる定量対象ペプチド及び安定同位体標識ペプチドとしては、配列表の配列番号１１８０、配列番号１１８１、配列番号１１８２、及び配列番号１１８３に示されるアミノ酸配列を有するペプチドから選定される１以上のペプチドを具体的に例示することができる。【０３３４】
同様に、上記被定量細胞膜タンパク質として、ヒトＳＬＣ３９Ａ５を挙げることができ、ヒトＳＬＣ３９Ａ５の測定に用いる定量対象ペプチド及び安定同位体標識ペプチドとしては、配列表の配列番号１１８４、配列番号１１８５、及び配列番号１１８６に示されるアミノ酸配列を有するペプチドから選定される１以上のペプチドを具体的に例示することができる。【０３３５】
同様に、上記被定量細胞膜タンパク質として、ヒトＳＬＣ３９Ａ６を挙げることができ、ヒトＳＬＣ３９Ａ６の測定に用いる定量対象ペプチド及び安定同位体標識ペプチドとしては、配列表の配列番号１１８７、配列番号１１８８、及び配列番号１１８９に示されるアミノ酸配列を有するペプチドから選定される１以上のペプチドを具体的に例示することができる。【０３３６】
同様に、上記被定量細胞膜タンパク質として、ヒトＳＬＣ３９Ａ７を挙げることができ、ヒトＳＬＣ３９Ａ７の測定に用いる定量対象ペプチド及び安定同位体標識ペプチドとしては、配列表の配列番号１１９０、配列番号１１９１、及び配列番号１１９２に示されるアミノ酸配列を有するペプチドから選定される１以上のペプチドを具体的に例示することができる。【０３３７】
同様に、上記被定量細胞膜タンパク質として、ヒトＳＬＣ３９Ａ８を挙げることができ、ヒトＳＬＣ３９Ａ８の測定に用いる定量対象ペプチド及び安定同位体標識ペプチドとしては、配列表の配列番号１１９３、配列番号１１９４、及び配列番号１１９５に示されるアミノ酸配列を有するペプチドから選定される１以上のペプチドを具体的に例示することができる。【０３３８】
同様に、上記被定量細胞膜タンパク質として、ヒトＳＬＣ３９Ａ９を挙げることができ、ヒトＳＬＣ３９Ａ９の測定に用いる定量対象ペプチド及び安定同位体標識ペプチドとしては、配列表の配列番号１１９６、配列番号１１９７、及び配列番号１１９８に示されるアミノ酸配列を有するペプチドから選定される１以上のペプチドを具体的に例示することができる。【０３３９】
同様に、上記被定量細胞膜タンパク質として、ヒトＳＬＣ３Ａ１を挙げることができ、ヒトＳＬＣ３Ａ１の測定に用いる定量対象ペプチド及び安定同位体標識ペプチドとしては、配列表の配列番号１１９９、配列番号１２００、配列番号１２０１、配列番号１２０２、及び配列番号１２０３に示されるアミノ酸配列を有するペプチドから選定される１以上のペプチドを具体的に例示することができる。【０３４０】
同様に、上記被定量細胞膜タンパク質として、ヒトＳＬＣ３Ａ２を挙げることができ、ヒトＳＬＣ３Ａ２の測定に用いる定量対象ペプチド及び安定同位体標識ペプチドとしては、配列表の配列番号１２０４、配列番号１２０５、配列番号１２０６、配列番号１２０７、及び配列番号１２０８に示されるアミノ酸配列を有するペプチドから選定される１以上のペプチドを具体的に例示することができる。【０３４１】
同様に、上記被定量細胞膜タンパク質として、ヒトＳＬＣ４０Ａ１を挙げることができ、ヒトＳＬＣ４０Ａ１の測定に用いる定量対象ペプチド及び安定同位体標識ペプチドとしては、配列表の配列番号１２０９、配列番号１２１０、及び配列番号１２１１に示されるアミノ酸配列を有するペプチドから選定される１以上のペプチドを具体的に例示することができる。【０３４２】
同様に、上記被定量細胞膜タンパク質として、ヒトＳＬＣ４１Ａ１を挙げることができ、ヒトＳＬＣ４１Ａ１の測定に用いる定量対象ペプチド及び安定同位体標識ペプチドとしては、配列表の配列番号１２１２、配列番号１２１３、及び配列番号１２１４に示されるアミノ酸配列を有するペプチドから選定される１以上のペプチドを具体的に例示することができる。【０３４３】
同様に、上記被定量細胞膜タンパク質として、ヒトＳＬＣ４１Ａ２を挙げることができ、ヒトＳＬＣ４１Ａ２の測定に用いる定量対象ペプチド及び安定同位体標識ペプチドとしては、配列表の配列番号１２１５、配列番号１２１６、及び配列番号１２１７に示されるアミノ酸配列を有するペプチドから選定される１以上のペプチドを具体的に例示することができる。【０３４４】
同様に、上記被定量細胞膜タンパク質として、ヒトＳＬＣ４１Ａ３を挙げることができ、ヒトＳＬＣ４１Ａ３の測定に用いる定量対象ペプチド及び安定同位体標識ペプチドとしては、配列表の配列番号１２１８、及び配列番号１２１９に示されるアミノ酸配列を有するペプチドから選定される１以上のペプチドを具体的に例示することができる。【０３４５】
同様に、上記被定量細胞膜タンパク質として、ヒトＳＬＣ４２Ａ１を挙げることができ、ヒトＳＬＣ４２Ａ１の測定に用いる定量対象ペプチド及び安定同位体標識ペプチドとしては、配列表の配列番号１２２０、及び配列番号１２２１に示されるアミノ酸配列を有するペプチドから選定される１以上のペプチドを具体的に例示することができる。【０３４６】
同様に、上記被定量細胞膜タンパク質として、ヒトＳＬＣ４２Ａ２を挙げることができ、ヒトＳＬＣ４２Ａ２の測定に用いる定量対象ペプチド及び安定同位体標識ペプチドとしては、配列表の配列番号１２２２、及び配列番号１２２３に示されるアミノ酸配列を有するペプチドから選定される１以上のペプチドを具体的に例示することができる。【０３４７】
同様に、上記被定量細胞膜タンパク質として、ヒトＳＬＣ４２Ａ３を挙げることができ、ヒトＳＬＣ４２Ａ３の測定に用いる定量対象ペプチド及び安定同位体標識ペプチドとしては、配列表の配列番号１２２４、配列番号１２２５、配列番号１２２６、及び配列番号１２２７に示されるアミノ酸配列を有するペプチドから選定される１以上のペプチドを具体的に例示することができる。【０３４８】
同様に、上記被定量細胞膜タンパク質として、ヒトＳＬＣ４３Ａ１を挙げることができ、ヒトＳＬＣ４３Ａ１の測定に用いる定量対象ペプチド及び安定同位体標識ペプチドとしては、配列表の配列番号１２２８、配列番号１２２９、及び配列番号１２３０に示されるアミノ酸配列を有するペプチドから選定される１以上のペプチドを具体的に例示することができる。【０３４９】
同様に、上記被定量細胞膜タンパク質として、ヒトＳＬＣ４３Ａ２を挙げることができ、ヒトＳＬＣ４３Ａ２の測定に用いる定量対象ペプチド及び安定同位体標識ペプチドとしては、配列表の配列番号１２３１、配列番号１２３２、及び配列番号１２３３に示されるアミノ酸配列を有するペプチドから選定される１以上のペプチドを具体的に例示することができる。【０３５０】
同様に、上記被定量細胞膜タンパク質として、ヒトＳＬＣ４３Ａ３を挙げることができ、ヒトＳＬＣ４３Ａ３の測定に用いる定量対象ペプチド及び安定同位体標識ペプチドとしては、配列表の配列番号１２３４、配列番号１２３５、及び配列番号１２３６に示されるアミノ酸配列を有するペプチドから選定される１以上のペプチドを具体的に例示することができる。【０３５１】
同様に、上記被定量細胞膜タンパク質として、ヒトＳＬＣ４５Ａ１を挙げることができ、ヒトＳＬＣ４５Ａ１の測定に用いる定量対象ペプチド及び安定同位体標識ペプチドとしては、配列表の配列番号１２３７、配列番号１２３８、配列番号１２３９、配列番号１２４０に示されるアミノ酸配列を有するペプチドから選定される１以上のペプチドを具体的に例示することができる。【０３５２】
同様に、上記被定量細胞膜タンパク質として、ヒトＳＬＣ４５Ａ２を挙げることができ、ヒトＳＬＣ４５Ａ２の測定に用いる定量対象ペプチド及び安定同位体標識ペプチドとしては、配列表の配列番号１２４１、配列番号１２４２、及び配列番号１２４３に示されるアミノ酸配列を有するペプチドから選定される１以上のペプチドを具体的に例示することができる。【０３５３】
同様に、上記被定量細胞膜タンパク質として、ヒトＳＬＣ４５Ａ３を挙げることができ、ヒトＳＬＣ４５Ａ３の測定に用いる定量対象ペプチド及び安定同位体標識ペプチドとしては、配列表の配列番号１２４４、配列番号１２４５、配列番号１２４６、配列番号１２４７、配列番号１２４８に示されるアミノ酸配列を有するペプチドから選定される１以上のペプチドを具体的に例示することができる。【０３５４】
同様に、上記被定量細胞膜タンパク質として、ヒトＳＬＣ４５Ａ４を挙げることができ、ヒトＳＬＣ４５Ａ４の測定に用いる定量対象ペプチド及び安定同位体標識ペプチドとしては、配列表の配列番号１２４９、配列番号１２５０、配列番号１２５１に示されるアミノ酸配列を有するペプチドから選定される１以上のペプチドを具体的に例示することができる。【０３５５】
同様に、上記被定量細胞膜タンパク質として、ヒトＳＬＣ４Ａ１を挙げることができ、ヒトＳＬＣ４Ａ１の測定に用いる定量対象ペプチド及び安定同位体標識ペプチドとしては、配列表の配列番号１２５２、配列番号１２５３、配列番号１２５４、配列番号１２５５、配列番号１２５６、配列番号１２５７、及び配列番号１２５８に示されるアミノ酸配列を有するペプチドから選定される１以上のペプチドを具体的に例示することができる。【０３５６】
同様に、上記被定量細胞膜タンパク質として、ヒトＳＬＣ４Ａ１０を挙げることができ、ヒトＳＬＣ４Ａ１０の測定に用いる定量対象ペプチド及び安定同位体標識ペプチドとしては、配列表の配列番号１２５９、配列番号１２６０、配列番号１２６１、配列番号１２６２、配列番号１２６３、配列番号１２６４、及び配列番号１２６５に示されるアミノ酸配列を有するペプチドから選定される１以上のペプチドを具体的に例示することができる。【０３５７】
同様に、上記被定量細胞膜タンパク質として、ヒトＳＬＣ４Ａ１１を挙げることができ、ヒトＳＬＣ４Ａ１１の測定に用いる定量対象ペプチド及び安定同位体標識ペプチドとしては、配列表の配列番号１２６６、配列番号１２６７、配列番号１２６８、配列番号１２６９、配列番号１２７０、配列番号１２７１、配列番号１２７２、及び配列番号１２７３に示されるアミノ酸配列を有するペプチドから選定される１以上のペプチドを具体的に例示することができる。【０３５８】
同様に、上記被定量細胞膜タンパク質として、ヒトＳＬＣ４Ａ２を挙げることができ、ヒトＳＬＣ４Ａ２の測定に用いる定量対象ペプチド及び安定同位体標識ペプチドとしては、配列表の配列番号１２７４、配列番号１２７５、配列番号１２７６、配列番号１２７７、配列番号１２７８、配列番号１２７９、配列番号１２８０、配列番号１２８１、及び配列番号１２８２に示されるアミノ酸配列を有するペプチドから選定される１以上のペプチドを具体的に例示することができる。【０３５９】
同様に、上記被定量細胞膜タンパク質として、ヒトＳＬＣ４Ａ３を挙げることができ、ヒトＳＬＣ４Ａ３の測定に用いる定量対象ペプチド及び安定同位体標識ペプチドとしては、配列表の配列番号１２８３、配列番号１２８４、配列番号１２８５、配列番号１２８６、配列番号１２８７、配列番号１２８８、配列番号１２８９、配列番号１２９０、配列番号１２９１、配列番号１２９２、配列番号１２９３に示されるアミノ酸配列を有するペプチドから選定される１以上のペプチドを具体的に例示することができる。【０３６０】
同様に、上記被定量細胞膜タンパク質として、ヒトＳＬＣ４Ａ４を挙げることができ、ヒトＳＬＣ４Ａ４の測定に用いる定量対象ペプチド及び安定同位体標識ペプチドとしては、配列表の配列番号１２９４、配列番号１２９５、配列番号１２９６、配列番号１２９７、配列番号１２９８、配列番号１２９９、及び配列番号１３００に示されるアミノ酸配列を有するペプチドから選定される１以上のペプチドを具体的に例示することができる。【０３６１】
同様に、上記被定量細胞膜タンパク質として、ヒトＳＬＣ４Ａ８を挙げることができ、ヒトＳＬＣ４Ａ８の測定に用いる定量対象ペプチド及び安定同位体標識ペプチドとしては、配列表の配列番号１３０１、配列番号１３０２、配列番号１３０３、配列番号１３０４、配列番号１３０５、配列番号１３０６、配列番号１３０７に示されるアミノ酸配列を有するペプチドから選定される１以上のペプチドを具体的に例示することができる。【０３６２】
同様に、上記被定量細胞膜タンパク質として、ヒトＳＬＣ４Ａ９を挙げることができ、ヒトＳＬＣ４Ａ９の測定に用いる定量対象ペプチド及び安定同位体標識ペプチドとしては、配列表の配列番号１３０８、配列番号１３０９、配列番号１３１０、及び配列番号１３１１に示されるアミノ酸配列を有するペプチドから選定される１以上のペプチドを具体的に例示することができる。【０３６３】
同様に、上記被定量細胞膜タンパク質として、ヒトＳＬＣ５Ａ１を挙げることができ、ヒトＳＬＣ５Ａ１の測定に用いる定量対象ペプチド及び安定同位体標識ペプチドとしては、配列表の配列番号１３１２に示されるアミノ酸配列を有するペプチドから選定される１以上のペプチドを具体的に例示することができる。【０３６４】
同様に、上記被定量細胞膜タンパク質として、ヒトＳＬＣ５Ａ１２を挙げることができ、ヒトＳＬＣ５Ａ１２の測定に用いる定量対象ペプチド及び安定同位体標識ペプチドとしては、配列表の配列番号１３１３に示されるアミノ酸配列を有するペプチドから選定される１以上のペプチドを具体的に例示することができる。【０３６５】
同様に、上記被定量細胞膜タンパク質として、ヒトＳＬＣ５Ａ２を挙げることができ、ヒトＳＬＣ５Ａ２の測定に用いる定量対象ペプチド及び安定同位体標識ペプチドとしては、配列表の配列番号１３１４、配列番号１３１５、配列番号１３１６、及び配列番号１３１７に示されるアミノ酸配列を有するペプチドから選定される１以上のペプチドを具体的に例示することができる。【０３６６】
同様に、上記被定量細胞膜タンパク質として、ヒトＳＬＣ５Ａ３を挙げることができ、ヒトＳＬＣ５Ａ３の測定に用いる定量対象ペプチド及び安定同位体標識ペプチドとしては、配列表の配列番号１３１８、及び配列番号１３１９に示されるアミノ酸配列を有するペプチドから選定される１以上のペプチドを具体的に例示することができる。【０３６７】
同様に、上記被定量細胞膜タンパク質として、ヒトＳＬＣ５Ａ４を挙げることができ、ヒトＳＬＣ５Ａ４の測定に用いる定量対象ペプチド及び安定同位体標識ペプチドとしては、配列表の配列番号１３２０、及び配列番号１３２１に示されるアミノ酸配列を有するペプチドから選定される１以上のペプチドを具体的に例示することができる。【０３６８】
同様に、上記被定量細胞膜タンパク質として、ヒトＳＬＣ５Ａ５を挙げることができ、ヒトＳＬＣ５Ａ５の測定に用いる定量対象ペプチド及び安定同位体標識ペプチドとしては、配列表の配列番号１３２２、配列番号１３２３、及び配列番号１３２４に示されるアミノ酸配列を有するペプチドから選定される１以上のペプチドを具体的に例示することができる。【０３６９】
同様に、上記被定量細胞膜タンパク質として、ヒトＳＬＣ６Ａ１を挙げることができ、ヒトＳＬＣ６Ａ１の測定に用いる定量対象ペプチド及び安定同位体標識ペプチドとしては、配列表の配列番号１３２５、及び配列番号１３２６に示されるアミノ酸配列を有するペプチドから選定される１以上のペプチドを具体的に例示することができる。【０３７０】
同様に、上記被定量細胞膜タンパク質として、ヒトＳＬＣ６Ａ１１を挙げることができ、ヒトＳＬＣ６Ａ１１の測定に用いる定量対象ペプチド及び安定同位体標識ペプチドとしては、配列表の配列番号１３２７、配列番号１３２８、及び配列番号１３２９に示されるアミノ酸配列を有するペプチドから選定される１以上のペプチドを具体的に例示することができる。【０３７１】
同様に、上記被定量細胞膜タンパク質として、ヒトＳＬＣ６Ａ１４を挙げることができ、ヒトＳＬＣ６Ａ１４の測定に用いる定量対象ペプチド及び安定同位体標識ペプチドとしては、配列表の配列番号１３３０に示されるアミノ酸配列を有するペプチドから選定される１以上のペプチドを具体的に例示することができる。【０３７２】
同様に、上記被定量細胞膜タンパク質として、ヒトＳＬＣ６Ａ１５を挙げることができ、ヒトＳＬＣ６Ａ１５の測定に用いる定量対象ペプチド及び安定同位体標識ペプチドとしては、配列表の配列番号１３３１、及び配列番号１３３２に示されるアミノ酸配列を有するペプチドから選定される１以上のペプチドを具体的に例示することができる。【０３７３】
同様に、上記被定量細胞膜タンパク質として、ヒトＳＬＣ６Ａ１６を挙げることができ、ヒトＳＬＣ６Ａ１６の測定に用いる定量対象ペプチド及び安定同位体標識ペプチドとしては、配列表の配列番号１３３３に示されるアミノ酸配列を有するペプチドから選定される１以上のペプチドを具体的に例示することができる。【０３７４】
同様に、上記被定量細胞膜タンパク質として、ヒトＳＬＣ６Ａ１７を挙げることができ、ヒトＳＬＣ６Ａ１７の測定に用いる定量対象ペプチド及び安定同位体標識ペプチドとしては、配列表の配列番号１３３４、及び配列番号１３３５に示されるアミノ酸配列を有するペプチドから選定される１以上のペプチドを具体的に例示することができる。【０３７５】
同様に、上記被定量細胞膜タンパク質として、ヒトＳＬＣ６Ａ１８を挙げることができ、ヒトＳＬＣ６Ａ１８の測定に用いる定量対象ペプチド及び安定同位体標識ペプチドとしては、配列表の配列番号１３３６に示されるアミノ酸配列を有するペプチドから選定される１以上のペプチドを具体的に例示することができる。【０３７６】
同様に、上記被定量細胞膜タンパク質として、ヒトＳＬＣ６Ａ１９を挙げることができ、ヒトＳＬＣ６Ａ１９の測定に用いる定量対象ペプチド及び安定同位体標識ペプチドとしては、配列表の配列番号１３３７に示されるアミノ酸配列を有するペプチドから選定される１以上のペプチドを具体的に例示することができる。【０３７７】
同様に、上記被定量細胞膜タンパク質として、ヒトＳＬＣ６Ａ２を挙げることができ、ヒトＳＬＣ６Ａ２の測定に用いる定量対象ペプチド及び安定同位体標識ペプチドとしては、配列表の配列番号１３３８に示されるアミノ酸配列を有するペプチドから選定される１以上のペプチドを具体的に例示することができる。【０３７８】
同様に、上記被定量細胞膜タンパク質として、ヒトＳＬＣ６Ａ２０を挙げることができ、ヒトＳＬＣ６Ａ２０の測定に用いる定量対象ペプチド及び安定同位体標識ペプチドとしては、配列表の配列番号１３３９、配列番号１３４０、及び配列番号１３４１に示されるアミノ酸配列を有するペプチドから選定される１以上のペプチドを具体的に例示することができる。【０３７９】
同様に、上記被定量細胞膜タンパク質として、ヒトＳＬＣ６Ａ３を挙げることができ、ヒトＳＬＣ６Ａ３の測定に用いる定量対象ペプチド及び安定同位体標識ペプチドとしては、配列表の配列番号１３４２、配列番号１３４３、及び配列番号１３４４に示されるアミノ酸配列を有するペプチドから選定される１以上のペプチドを具体的に例示することができる。【０３８０】
同様に、上記被定量細胞膜タンパク質として、ヒトＳＬＣ６Ａ４を挙げることができ、ヒトＳＬＣ６Ａ４の測定に用いる定量対象ペプチド及び安定同位体標識ペプチドとしては、配列表の配列番号１３４５、配列番号１３４６、及び配列番号１３４７に示されるアミノ酸配列を有するペプチドから選定される１以上のペプチドを具体的に例示することができる。【０３８１】
同様に、上記被定量細胞膜タンパク質として、ヒトＳＬＣ６Ａ５を挙げることができ、ヒトＳＬＣ６Ａ５の測定に用いる定量対象ペプチド及び安定同位体標識ペプチドとしては、配列表の配列番号１３４８、及び配列番号１３４９に示されるアミノ酸配列を有するペプチドから選定される１以上のペプチドを具体的に例示することができる。【０３８２】
同様に、上記被定量細胞膜タンパク質として、ヒトＳＬＣ６Ａ６を挙げることができ、ヒトＳＬＣ６Ａ６の測定に用いる定量対象ペプチド及び安定同位体標識ペプチドとしては、配列表の配列番号１３５０、配列番号１３５１、配列番号１３５２、配列番号１３５３、及び配列番号１３５４に示されるアミノ酸配列を有するペプチドから選定される１以上のペプチドを具体的に例示することができる。【０３８３】
同様に、上記被定量細胞膜タンパク質として、ヒトＳＬＣ６Ａ７を挙げることができ、ヒトＳＬＣ６Ａ７の測定に用いる定量対象ペプチド及び安定同位体標識ペプチドとしては、配列表の配列番号１３５５、配列番号１３５６、及び配列番号１３５７に示されるアミノ酸配列を有するペプチドから選定される１以上のペプチドを具体的に例示することができる。【０３８４】
同様に、上記被定量細胞膜タンパク質として、ヒトＳＬＣ６Ａ８を挙げることができ、ヒトＳＬＣ６Ａ８の測定に用いる定量対象ペプチド及び安定同位体標識ペプチドとしては、配列表の配列番号１３５８、配列番号１３５９、及び配列番号１３６０に示されるアミノ酸配列を有するペプチドから選定される１以上のペプチドを具体的に例示することができる。【０３８５】
同様に、上記被定量細胞膜タンパク質として、ヒトＳＬＣ７Ａ１を挙げることができ、ヒトＳＬＣ７Ａ１の測定に用いる定量対象ペプチド及び安定同位体標識ペプチドとしては、配列表の配列番号１３６１に示されるアミノ酸配列を有するペプチドから選定される１以上のペプチドを具体的に例示することができる。【０３８６】
同様に、上記被定量細胞膜タンパク質として、ヒトＳＬＣ７Ａ１０を挙げることができ、ヒトＳＬＣ７Ａ１０の測定に用いる定量対象ペプチド及び安定同位体標識ペプチドとしては、配列表の配列番号１３６２に示されるアミノ酸配列を有するペプチドから選定される１以上のペプチドを具体的に例示することができる。【０３８７】
同様に、上記被定量細胞膜タンパク質として、ヒトＳＬＣ７Ａ１１を挙げることができ、ヒトＳＬＣ７Ａ１１の測定に用いる定量対象ペプチド及び安定同位体標識ペプチドとしては、配列表の配列番号１３６３、配列番号１３６４、配列番号１３６５、配列番号１３６６、配列番号１３６７、及び配列番号１３６８に示されるアミノ酸配列を有するペプチドから選定される１以上のペプチドを具体的に例示することができる。【０３８８】
同様に、上記被定量細胞膜タンパク質として、ヒトＳＬＣ７Ａ１３を挙げることができ、ヒトＳＬＣ７Ａ１３の測定に用いる定量対象ペプチド及び安定同位体標識ペプチドとしては、配列表の配列番号１３６９、及び配列番号１３７０に示されるアミノ酸配列を有するペプチドから選定される１以上のペプチドを具体的に例示することができる。【０３８９】
同様に、上記被定量細胞膜タンパク質として、ヒトＳＬＣ７Ａ１４を挙げることができ、ヒトＳＬＣ７Ａ１４の測定に用いる定量対象ペプチド及び安定同位体標識ペプチドとしては、配列表の配列番号１３７１に示されるアミノ酸配列を有するペプチドから選定される１以上のペプチドを具体的に例示することができる。【０３９０】
同様に、上記被定量細胞膜タンパク質として、ヒトＳＬＣ７Ａ３を挙げることができ、ヒトＳＬＣ７Ａ３の測定に用いる定量対象ペプチド及び安定同位体標識ペプチドとしては、配列表の配列番号１３７２、及び配列番号１３７３に示されるアミノ酸配列を有するペプチドから選定される１以上のペプチドを具体的に例示することができる。【０３９１】
同様に、上記被定量細胞膜タンパク質として、ヒトＳＬＣ７Ａ４を挙げることができ、ヒトＳＬＣ７Ａ４の測定に用いる定量対象ペプチド及び安定同位体標識ペプチドとしては、配列表の配列番号１３７４、及び配列番号１３７５に示されるアミノ酸配列を有するペプチドから選定される１以上のペプチドを具体的に例示することができる。【０３９２】
同様に、上記被定量細胞膜タンパク質として、ヒトＳＬＣ７Ａ７を挙げることができ、ヒトＳＬＣ７Ａ７の測定に用いる定量対象ペプチド及び安定同位体標識ペプチドとしては配列表の配列番号１３７６に示されるアミノ酸配列を有するペプチドから選定される１以上のペプチドを具体的に例示することができる。【０３９３】
同様に、上記被定量細胞膜タンパク質として、ヒトＳＬＣ７Ａ８を挙げることができ、ヒトＳＬＣ７Ａ８の測定に用いる定量対象ペプチド及び安定同位体標識ペプチドとしては配列表の配列番号１３７７、配列番号１３７８、及び配列番号１３７９に示されるアミノ酸配列を有するペプチドから選定される１以上のペプチドを具体的に例示することができる。【０３９４】
同様に、上記被定量細胞膜タンパク質として、ヒトＳＬＣ８Ａ１を挙げることができ、ヒトＳＬＣ８Ａ１の測定に用いる定量対象ペプチド及び安定同位体標識ペプチドとしては配列表の配列番号１３８０、配列番号１３８１、配列番号１３８２に示されるアミノ酸配列を有するペプチドから選定される１以上のペプチドを具体的に例示することができる。【０３９５】
同様に、上記被定量細胞膜タンパク質として、ヒトＳＬＣ８Ａ２を挙げることができ、ヒトＳＬＣ８Ａ２の測定に用いる定量対象ペプチド及び安定同位体標識ペプチドとしては配列表の配列番号１３８３、及び配列番号１３８４に示されるアミノ酸配列を有するペプチドから選定される１以上のペプチドを具体的に例示することができる。【０３９６】
同様に、上記被定量細胞膜タンパク質として、ヒトＳＬＣ８Ａ３を挙げることができ、ヒトＳＬＣ８Ａ３の測定に用いる定量対象ペプチド及び安定同位体標識ペプチドとしては配列表の配列番号１３８５、及び配列番号１３８６に示されるアミノ酸配列を有するペプチドから選定される１以上のペプチドを具体的に例示することができる。【０３９７】
同様に、上記被定量細胞膜タンパク質として、ヒトＳＬＣ９Ａ１を挙げることができ、ヒトＳＬＣ９Ａ１の測定に用いる定量対象ペプチド及び安定同位体標識ペプチドとしては配列表の配列番号１３８７、配列番号１３８８、配列番号１３８９、配列番号１３９０、配列番号１３９１、配列番号１３９２、及び配列番号１３９３に示されるアミノ酸配列を有するペプチドから選定される１以上のペプチドを具体的に例示することができる。【０３９８】
同様に、上記被定量細胞膜タンパク質として、ヒトＳＬＣ９Ａ２を挙げることができ、ヒトＳＬＣ９Ａ２の測定に用いる定量対象ペプチド及び安定同位体標識ペプチドとしては配列表の配列番号１３９４、配列番号１３９５、配列番号１３９６、配列番号１３９７、配列番号１３９８、配列番号１３９９、配列番号１４００、配列番号１４０１、配列番号１４０２、配列番号１４０３、及び配列番号１４０４に示されるアミノ酸配列を有するペプチドから選定される１以上のペプチドを具体的に例示することができる。【０３９９】
同様に、上記被定量細胞膜タンパク質として、ヒトＳＬＣ９Ａ３を挙げることができ、ヒトＳＬＣ９Ａ３の測定に用いる定量対象ペプチド及び安定同位体標識ペプチドとしては配列表の配列番号１４０５、配列番号１４０６、及び配列番号１４０７に示されるアミノ酸配列を有するペプチドから選定される１以上のペプチドを具体的に例示することができる。【０４００】
同様に、上記被定量細胞膜タンパク質として、ヒトＳＬＣ９Ａ４を挙げることができ、ヒトＳＬＣ９Ａ４の測定に用いる定量対象ペプチド及び安定同位体標識ペプチドとしては配列表の配列番号１４０８、配列番号１４０９、配列番号１４１０、及び配列番号１４１１に示されるアミノ酸配列を有するペプチドから選定される１以上のペプチドを具体的に例示することができる。【０４０１】
同様に、上記被定量細胞膜タンパク質として、ヒトＳＬＣ９Ａ５を挙げることができ、ヒトＳＬＣ９Ａ５の測定に用いる定量対象ペプチド及び安定同位体標識ペプチドとしては配列表の配列番号１４１２、及び配列番号１４１３に示されるアミノ酸配列を有するペプチドから選定される１以上のペプチドを具体的に例示することができる。【０４０２】
同様に、上記被定量細胞膜タンパク質として、ヒトＳＬＣ９Ａ６を挙げることができ、ヒトＳＬＣ９Ａ６の測定に用いる定量対象ペプチド及び安定同位体標識ペプチドとしては配列表の配列番号１４１４に示されるアミノ酸配列を有するペプチドから選定される１以上のペプチドを具体的に例示することができる。【０４０３】
同様に、上記被定量細胞膜タンパク質として、ヒトＳＬＣ９Ａ７を挙げることができ、ヒトＳＬＣ９Ａ７の測定に用いる定量対象ペプチド及び安定同位体標識ペプチドとしては配列表の配列番号１４１５、配列番号１４１６、及び配列番号１４１７に示されるアミノ酸配列を有するペプチドから選定される１以上のペプチドを具体的に例示することができる。【０４０４】
同様に、上記被定量細胞膜タンパク質として、ヒトＳＬＣ９Ａ８を挙げることができ、ヒトＳＬＣ９Ａ８の測定に用いる定量対象ペプチド及び安定同位体標識ペプチドとしては配列表の配列番号１４１８に示されるアミノ酸配列を有するペプチドから選定される１以上のペプチドを具体的に例示することができる。【０４０５】
同様に、上記被定量細胞膜タンパク質として、ヒトＳＬＣ９Ａ９を挙げることができ、ヒトＳＬＣ９Ａ９の測定に用いる定量対象ペプチド及び安定同位体標識ペプチドとしては配列表の配列番号１４１９、及び配列番号１４２０に示されるアミノ酸配列を有するペプチドから選定される１以上のペプチドを具体的に例示することができる。【０４０６】
以下、実施例により本発明をより具体的に説明するが、本発明の技術的範囲はこれらの例示に限定されるものではない。
【実施例１】
【０４０７】
（ペプチド試料の調製）
細胞膜タンパク質としてヒトＡＢＣＧ２（ヒトATP binding cassette transporter G2）を選択し、ＬＣ−ＭＳＭＳで検出可能なペプチドの選定を行うためにペプチド試料の調製を行った。先ず、ペプチド供給源としてヒトＡＢＣＧ２発現細胞の細胞膜を用いて以下のように調製した。即ち、ＡＢＣＧ２発現細胞膜タンパク質を７Ｍ 塩酸グアニジン, ０．１Ｍ Tris-ＨＣｌ, １０ｍＭ  ＥＤＴＡ ｐＨ８．５緩衝液中で変性させ、システイン残基のＳＨ基を保護するために、ＤＴＴによる還元処理とIodoacetamideによるカルバミドメチル化処理を行った。５０ｍＭ 炭酸水素アンモニウム緩衝液に対し透析し、タンパク質重量の１／１００量のトリプシン（Trypsin）を加え３７℃で１６時間酵素消化してペプチド試料を得た。【０４０８】
（定量対象ペプチド及び安定同位体標識ペプチドの調製）
ヒトＡＢＣＧ２発現細胞膜ペプチド試料を、ＬＣ−ＭＳＭＳで測定した。測定の結果から、定量対象ペプチド選定クライテリアによりヒトＡＢＣＧ２タンパク質由来の５つのペプチド、ＥＮＬＱＦＳＡＡＬＲ（配列番号１）、ＬＡＥＩＹＶＮＳＳＦＹＫ（配列番号２）、ＬＦＤＳＬＴＬＬＡＳＧＲ（配列番号３）、ＳＳＬＬＤＶＬＡＡＲ（配列番号４）、及び、ＶＩＱＥＬＧＬＤＫ（配列番号５）を選択した。ＥＮＬＱＦＳＡＡＬＲ（配列番号１）の採用クライテリアは（１），（２），（３），（４），（５），（６），（８），（９）及び（１０）であり、ＬＡＥＩＹＶＮＳＳＦＹＫ（配列番号２）の採用クライテリアは（１），（２），（３），（４），（５），（６），（７），（８），（９）及び（１０）であり、ＬＦＤＳＬＴＬＬＡＳＧＲ（配列番号３）の採用クライテリアは（１），（２），（３），（４），（５），（６），（７），（８），（９），（１０）及び（１１）であり、ＳＳＬＬＤＶＬＡＡＲ（配列番号４）の採用クライテリアは（１），（２），（３），（４），（５），（６），（７），（８），（９），（１０）及び（１１）であり、ＶＩＱＥＬＧＬＤＫ（配列番号５）の採用クライテリアは（１），（２），（３），（４），（５），（６），（７），（８），（９）及び（１０）であった。これらペプチドのうちラット及びマウスと同一のアミノ酸配列であるペプチドＳＳＬＬＤＶＬＡＡＲ（配列番号４）を測定対象とした。種間で相同性のあるペプチドを対象とすることで、同じ標準ペプチドを使用してヒトだけでなくラット及びマウス由来の試料の定量が可能である。対象ペプチドについて、非標識ペプチドと７番目のLeucineが13Ｃ6,15Ｎで標識された安定同位体ペプチドをＦ−ｍｏｃ法にて合成した：ＳＳＬＬＤＶＬ（13Ｃ6，15Ｎ）ＡＡＲ。ＬＣ−ＭＳＭＳを用いて、質量分析により目的のペプチドが合成されていることを確認した。【０４０９】
（検量線の作成）
選定した定量対象ペプチド（非標識ペプチド：ＳＳＬＬＤＶＬＡＡＲ）及び合成した安定同位体標識ペプチド［同位体標識ペプチド：ＳＳＬＬＤＶＬ（13Ｃ6，15Ｎ）ＡＡＲ］］を用いて、検量線（直線性についての検討）を作成した。０．５ｆｍｏｌ, １ｆｍｏｌ, ５ｆｍｏｌ，１０ｆｍｏｌ, ５０ｆｍｏｌの非標識ペプチドにそれぞれ１０ｆｍｏｌの13Ｃ6,15Ｎ標識ペプチドを添加し、ＬＣ−ＭＳＭＳにより測定した（図３）。ＭＳスペクトル面積比（非標識ペプチド／13Ｃ6，15Ｎ標識ペプチド）を算出し、検量線を作成した（図４）。測定した０．５ｆｍｏｌ〜５０ｆｍｏｌの範囲において検量線の直線性が示され、この範囲で定量が可能であることが確認された。【０４１０】
（ＡＢＣＧ２タンパク質試料の定量）
ＡＢＣＧ２タンパク質供給源として、マウス条件的不死化脳毛細血管内皮細胞株の細胞膜タンパク質を選択し、定量を行った。先ず、培養細胞を１０ｍＭ Ｔｒｉｓ-ＨＣｌ, ２５０ｍＭ Sucrose, １ｍＭ  ＥＧＴＡ  ｐＨ７．４に顕濁した。高圧窒素ガス充填法を、１５分間行い、溶液を１０，０００ｘｇ, １５分間遠心した。さらに、上清を３８％  sucrose溶液上に乗せて１０，０００ｘｇ、４０分間遠心して細胞膜試料を得た。【０４１１】
上記「（ペプチド試料の調製）」の項に記載の方法で細胞膜試料からペプチド試料を作製した。こうして得られたマウス条件的不死化脳毛細血管内皮細胞株の細胞膜ペプチド試料１μｇに、１０ｆｍｏｌの１３Ｃ６，１５Ｎ標識ペプチドを加えてＬＣ−ＭＳＭＳで測定した（図５）。測定後、ＭＳスペクトル面積比（内因性ＡＢＣＧ２ペプチド１３Ｃ６，１５Ｎ標識ペプチド）を算出し、上記検量線を用いて定量値を算出した。結果、マウス条件的不死化脳毛細血管内皮細胞株の細胞膜のＡＢＣＧ２タンパク質量は４．７ｆｍｏｌ／μｇと算出された。
【実施例２】
【０４１２】
定量対象ペプチド選定クライテリアとして、クライテリア（１），（２），（３），（４），（５），（６），（７），（８），（９）及び（１０）、並びに必要に応じて（１１）を採用し、実施例１と同様に、以下の表１に記載のタンパク質について定量対象ペプチドを合成し、検量線を作成して直線性について検討した。非標識ペプチド１０ｆｍｏｌ，５０ｆｍｏｌ，１００ｆｍｏｌ，５００ｆｍｏｌ，１０００ｆｍｏｌにそれぞれ５００ｆｍｏｌの安定同位体標識ペプチドを添加し、ＬＣ−ＭＳＭＳを用いて測定した。いずれのペプチドにおいても１０ｆｍｏｌ−１０００ｆｍｏｌの範囲において検量線の直線性が示され、この範囲で標的タンパク質の定量が可能であることが確認された（図６）。また、トランスポータータンパク質供給源としてヒト白血病細胞株の細胞膜タンパク質を選択し、定量を行った。得られた検量線の定量限界値と白血病細胞細胞膜の定量値を表１に示した。【０４１３】
【表１】
0004670060.tif 000002
【実施例３】
【０４１４】
定量対象ペプチド選定クライテリアとして、クライテリア（１），（２），（３），（４），（５），（６），（７），（８），（９）及び（１０）、並びに必要に応じて（１１）を採用し、実施例１と同様に、以下の表２に記載のタンパク質について対象ペプチドを合成し、検量線を作成して直線性について検討した。非標識ペプチド１ｆｍｏｌ，５ｆｍｏｌ，１０ｆｍｏｌ，５０ｆｍｏｌ，１００ｆｍｏｌ，５００ｆｍｏｌ，１０００ｆｍｏｌにそれぞれ１００ｆｍｏｌの安定同位体標識ペプチドを添加し、ＬＣ−ＭＳ／ＭＳを用いて測定した。いずれのペプチドにおいても検量線の直線性が示され、標的タンパク質の定量が可能であることが確認された。得られた検量線の定量限界値と白血病細胞細胞膜の定量値を表２に示した。【０４１５】
【表２】
0004670060.tif 000003
【産業上の利用可能性】
【０４１６】
本発明の安定同位体標識ペプチドを用いた質量分析による細胞膜タンパク質の定量法により、従来法では困難であった難溶性・高分子量の膜タンパク質の定量を、簡便、かつ迅速に、更に、精度よく行うことが可能となる。また、本発明の細胞膜タンパク質の定量法は、抗体を使用せずに、膜タンパク質を定量することできるので、従来もっとも時間のかかっていた抗体作成の段階を省略することができ、更に、抗体が作成できない膜タンパク質についても定量が可能となって、適用範囲の広い、精度の高い細胞膜タンパク質の定量法を提供することができる。したがって、本発明の細胞膜タンパク質の定量法は、生体作用因子に対する受容体、生体物質の輸送担体、イオンチャンネル、細胞膜抗原など、生体における重要な機能を有している細胞膜タンパク質の機能の解明や、活性物質のスクリーニング、或いは、該タンパク質の発現を利用した検査、診断等の分野において、大きな貢献が期待できるものである。特に、新薬の開発等に際しては、新薬候補物質の検定のために、膜タンパク質のようなタンパク質を、簡便かつ精度のよい手段で、絶対定量できることに、重要な意義を有しており、本発明の細胞膜の定量法は、これらの分野の開発促進に多大な貢献が期待できる。
【図２−１】
0004670060.tif 000004
【図２−２】
0004670060.tif 000005
【図３−１】
0004670060.tif 000006
【図３−２】
0004670060.tif 000007
【図４】
0004670060.tif 000008
【図５】
0004670060.tif 000009
【図６】
0004670060.tif 000010
【図１】
0004670060.tif 000011
【配列表】
0004670060000001.app